(57)【要約】容器の蓋は、容器頂部と、閉鎖部と、押しボタンと、を含む。閉鎖部は、容器頂部に連結され、容器頂部の蓋開口部が閉止している閉止閉鎖部位置と、蓋開口部が開放している開放閉鎖部位置との間で移動可能である。押しボタンは、閉鎖部に移動可能に連結されている。押しボタンは、閉鎖部が閉止閉鎖部位置にあるときに容器頂部に選択的に係合するように構成されているラッチを含む。押しボタンは、ラッチが容器頂部と係合可能である第１の押しボタン位置と、ラッチが容器頂部から係合解除される第２の押しボタン位置との間で移動可能である。閉鎖部は押しボタン用凹部を画定し、押しボタンは、実質的に押しボタン用凹部内に配設され、閉鎖部によって実質的に包囲されている。
2020536019.tif 000002
【特許請求の範囲】
【請求項１】
容器の蓋であって、
容器本体に選択的に結合される寸法及び形状である容器頂部であって、蓋開口部を有する、容器頂部と、
前記容器頂部に連結され、前記蓋開口部が閉止している閉止閉鎖部位置と、前記蓋開口部が開放している開放閉鎖部位置との間を移動可能である閉鎖部と、
前記閉鎖部に移動可能に連結されている押しボタンであって、前記閉鎖部が前記閉止閉鎖部位置にあるときに前記容器頂部に選択的に係合するように構成されているラッチを含み、前記ラッチが前記容器頂部と係合可能である第１の押しボタン位置と、前記ラッチが前記容器頂部から係合解除される第２の押しボタン位置との間を移動可能である、押しボタンと、を備え、
前記閉鎖部は押しボタン用凹部を画定し、前記押しボタンは、実質的に前記押しボタン用凹部内に配設され、前記閉鎖部によって実質的に包囲されている、容器の蓋。
【請求項２】
前記閉鎖部が、前記押しボタン用凹部を少なくとも部分的に画定する上壁及び下壁を含み、前記押しボタンが、実質的に前記閉鎖部の上壁と下壁との間に配設される、請求項１に記載の容器の蓋。
【請求項３】
前記押しボタンを前記第１の押しボタン位置に向けて付勢し、前記第２の押しボタン位置への前記押しボタンの移動に応答して弾性的に変形するように構成されている付勢部材を更に備える、請求項１又は２に記載の容器の蓋。
【請求項４】
前記押しボタンが押し領域を備え、前記押し領域、前記付勢部材、及び前記ラッチは、前記ラッチが、前記押し領域と前記付勢部材との間に、前記押しボタンが前記第１の押しボタン位置から前記第２の押しボタン位置へと移動する方向で位置付けられている状態で配置される、請求項１〜３のいずれか一項に記載の容器の蓋。
【請求項５】
前記押しボタンが前記第２の押しボタン位置から前記第１の押しボタン位置へと移動する方向の前記付勢部材の突起部が、前記押しボタンの押し領域と交差する、請求項１〜４のいずれか一項に記載の容器の蓋。
【請求項６】
前記押しボタンが前記第２の押しボタン位置から前記第１の押しボタン位置へと移動する方向の前記付勢部材の突起部が、前記ラッチと更に交差する、請求項１〜５のいずれか一項に記載の容器の蓋。
【請求項７】
前記付勢部材が、前記押しボタンの後向き面に接して位置付けられている第１の端部と、前記閉鎖部の前向き面に接して位置付けられている、反対側の第２の端部と、を有する付勢ばねを備え、
前記付勢ばねが、前記押しボタンの後向き面と前記閉鎖部の前向き面との間に延在し、
前記付勢ばねが、前記第１の押しボタン位置から前記第２の押しボタン位置への前記押しボタンの移動に応答して、前記押しボタンの後向き面と前記閉鎖部の前向き面との間で圧縮するように構成されている、請求項１〜６のいずれか一項に記載の容器の蓋。
【請求項８】
蓋開口部シールと、前記付勢部材と、を備える一体形成された弾性部材を更に備え、前記付勢部材が、前記押しボタンを前記第１の押しボタン位置に向けて付勢し、前記第２の押しボタン位置への前記押しボタンの移動に応答して弾性的に変形するように構成されており、前記蓋開口部シールが、前記蓋開口部を選択的に封止するように構成されている、請求項１〜７のいずれか一項に記載の容器の蓋。
【請求項９】
前記付勢部材が、舌端部と、前記舌端部を前記蓋開口部シールに連結する舌首部と、を含み、前記舌首部が、少なくとも部分的に前記舌端部を前記蓋開口部シールから機械的に分離する１つ以上の畝を備える、請求項１〜８のいずれか一項に記載の容器の蓋。
【請求項１０】
前記付勢部材が、前記押しボタンの後向き面と前記押しボタン用凹部の前向き面との間に位置付けられている舌端部を含み、前記舌端部が、前記第１の押しボタン位置から前記第２の押しボタン位置への前記押しボタンの移動に応答して前記２つの面の間で圧縮し、前記第２の押しボタン位置から前記第１の押しボタン位置への前記押しボタンの移動に応答して弾性的に伸張するように構成されている、請求項１〜９のいずれか一項に記載の容器の蓋。
【請求項１１】
前記押しボタンが、前記閉鎖部に摺動可能に連結され、本体と、前記本体から外側に延出する保持タブと、を備え、
前記閉鎖部がタブ止めを備え、前記タブ止めが、前記押しボタンの保持タブに係合して、前記タブ止めを越えての前記保持タブの前方移動を防止するように構成されている、請求項１〜１０のいずれか一項に記載の容器の蓋。
【請求項１２】
前記少なくとも１つの保持タブが、前記押しボタンの本体の両側から外側に延出する２つの保持タブを備える、請求項１〜１１のいずれか一項に記載の容器の蓋。
【請求項１３】
前記押しボタンの一部が前記閉鎖部の前部を包み込み、前記閉鎖部の前部を越えて後方に延在する、請求項１〜１２のいずれか一項に記載の容器の蓋。
【請求項１４】
前記押しボタンが、本体と、前記本体の少なくとも一部に沿って前部から後部まで延在するチャネル又はレールのうちの少なくとも１つと、を含み、
前記閉鎖部が、前記押しボタンのチャネル又はレールに対して相補的である、前記押しボタン用凹部内のレール又はチャネルのうちの少なくとも１つを含み、
前記閉鎖部のレール又はチャネルが、前記押しボタンのチャネル又はレールに係合して、前記閉鎖部に対する前記押しボタンの垂直移動を阻止する、請求項１〜１３のいずれか一項に記載の容器の蓋。
【請求項１５】
前記容器頂部がラッチ止めを備え、前記ラッチが、前記ラッチ止めに選択的に係合して、前記容器頂部に選択的に係合するように構成されている、請求項１〜１４のいずれか一項に記載の容器の蓋。
【請求項１６】
前記閉鎖部及び前記押しボタンに対してロック位置とロック解除位置との間を移動可能なロックを更に備え、前記ロックが、前記第１の押しボタン位置から前記第２の押しボタン位置への前記押しボタンの移動を選択的に阻止するように構成されている、請求項１〜１５のいずれか一項に記載の容器の蓋。
【請求項１７】
前記ロックが、ロック位置とロック解除位置との間を移動可能であり、
前記ロック位置にあるロックが、前記第１の押しボタン位置から前記第２の押しボタン位置への前記押しボタンの移動を阻止するように構成されており、
前記ロック解除位置にあるロックが、前記第１の押しボタン位置と前記第２の押しボタン位置との間での前記押しボタンの移動を可能にするように構成されている、請求項１〜１６のいずれか一項に記載の容器の蓋。
【請求項１８】
前記押しボタンが、前記第１の押しボタン位置と前記第２の押しボタン位置との間の係合距離を移動し、
前記閉鎖部が、前記閉鎖部の押しボタン用凹部上壁の底面にロック用凹部を画定し、前記ロック用凹部が、前記ロックの支点を形成する後方端部を有し、
前記押しボタンが、前記押しボタンの上面にロック用空洞を画定し、
前記ロック用空洞が、前記ロック用空洞の第１の部分にある第１の止め具と、前記ロック用空洞の第２の部分にある第２の止め具と、を含み、前記第２の止め具は前記第１の止め具の前方にあり、
前記ロックが、当接部を備え、
前記押しボタンが前記第１の押しボタン位置にあり、かつ前記ロックが前記ロック位置にあるとき、前記当接部が、前記押しボタンのロック用空洞の第１の止め具に面して位置付けられ、前記第１の止め具から係合距離よりも短い距離だけ離間しており、
前記押しボタンが前記第１の押しボタン位置にあり、かつ前記ロックが前記ロック解除位置にあるとき、前記当接部が、前記ロック用空洞の第２の止め具に面して位置付けられ、前記第２の止め具から係合距離以上の距離だけ離間している、請求項１〜１７のいずれか一項に記載の容器の蓋。
【請求項１９】
前記押しボタンのロック用空洞の底面が、第１の硬質止め具の後方にある第１の受容部と、第２の硬質止め具の後方にある第２の受容部と、を含み、
前記ロックが、前記ロックが前記ロック位置にあるときに前記第１の受容部に受容され、前記ロックが前記ロック解除位置にあるときに前記第２の受容部に受容されるように位置付けられている突起部を更に備える、請求項１〜１８のいずれか一項に記載の容器の蓋。
【請求項２０】
前記閉鎖部が、ロックスイッチチャネルを含み、
前記ロックが、前記ロックスイッチチャネルを通って延在して、前記ロックへのアクセスを提供するロックスイッチを更に備える、請求項１〜１９のいずれか一項に記載の容器の蓋。
【請求項２１】
容器の蓋であって、
蓋開口部を有する容器頂部と、
前記容器頂部に連結され、前記蓋開口部が開放している開放閉鎖部位置と、前記蓋開口部が閉止している閉止閉鎖部位置との間を移動可能である閉鎖部と、
前記閉鎖部に移動可能に連結され、前記容器頂部に選択的に係合して、前記閉鎖部を前記閉止閉鎖部位置に選択的に保持するように構成されている押しボタンであって、保持タブを備え、前記保持タブは前記閉鎖部に係合して、前記閉鎖部との係合を越えての前記保持タブの前方移動を阻止する、押しボタンと、を備える、容器の蓋。
【請求項２２】
前記押しボタンが、前記閉鎖部に向けて前記保持タブを付勢し、前記閉鎖部から前記保持タブを選択的に係合解除して、前記押しボタンが前記閉鎖部から分離され得るように弾性的に変形可能である弾性部分を備える、請求項２１に記載の容器の蓋。
【請求項２３】
前記保持タブが、前記閉鎖部の後向き面に係合して、前記後向き面を越えての前記保持タブの前方移動を阻止する、請求項２１又は２２に記載の容器の蓋。
【請求項２４】
前記閉鎖部が、押しボタン用凹部を少なくとも部分的に画定する押しボタン用凹部側壁を備え、前記側壁が前記後向き面を備え、
前記押しボタンが、少なくとも部分的に前記押しボタン用凹部内に位置付けられる、請求項２１〜２３のいずれか一項に記載の容器の蓋。
【請求項２５】
前記側壁が、前記押しボタン用凹部の後部に少なくとも部分的に配設されている、請求項２１〜２４のいずれか一項に記載の容器の蓋。
【請求項２６】
前記押しボタンが、前記保持タブを保持するアームを備える、請求項２１〜２５のいずれか一項に記載の容器の蓋。
【請求項２７】
前記押しボタン用凹部側壁に穴が形成され、
前記押しボタンの前記アームが、前記押しボタン用凹部側壁内に形成された前記穴の中へと延在し、
前記保持タブが、前記押しボタン用凹部側壁に係合して、後向き面を越えての前記保持タブの前方移動を阻止する、請求項２１〜２６のいずれか一項に記載の容器の蓋。
【請求項２８】
前記保持タブへの取り外し力の印加に応答して、前記アームが弾性的に変形して、前記保持タブと前記押しボタン用凹部側壁に形成された前記穴との位置合わせを可能にし、前記閉鎖部の押しボタン用凹部からの前記押しボタンの取り外しを可能にする、請求項２１〜２７のいずれか一項に記載の容器の蓋。
【請求項２９】
前記容器頂部が、前記蓋開口部を画定する注ぎ口を備え、前記押しボタンが、前記蓋開口部が前記閉鎖部によって閉止されているときに、前記注ぎ口の内部に形成されたラッチ止めに選択的に係合するように構成されているラッチを含む、請求項２１〜２８のいずれか一項に記載の容器の蓋。
【請求項３０】
前記閉鎖部に連結されている蓋開口部シールを更に備え、前記蓋開口部シールが、第１の外周フランジと、前記第１の外周フランジの上方に位置付けられている第２の外周フランジと、を含み、
前記容器頂部が、前記蓋開口部を画定する注ぎ口を備え、前記蓋開口部が、第１の直径を有する腰部を有する前記注ぎ口を通る断面プロファイルを有し、前記蓋開口部が、前記蓋開口部に沿って前記腰部から上方及び下方に移動しながら前記第１の直径から増大する直径を有し、
前記閉鎖部が前記閉止閉鎖部位置に位置付けられるとき、前記蓋開口部シールが、前記注ぎ口の蓋開口部内に位置付けられ、前記蓋開口部シールの第１の外周フランジが、前記蓋開口部の腰部の下方に位置付けられ、前記第２の外周フランジが、前記蓋開口部の腰部の上方に位置付けられる、請求項２１〜２９のいずれか一項に記載の容器の蓋。
【請求項３１】
前記第１の押しボタン位置から前記第２の押しボタン位置への前記押しボタンの移動を選択的に阻止するように構成されているロックを更に備える、請求項２１〜３０のいずれか一項に記載の容器の蓋。
【請求項３２】
容器の蓋であって、
蓋開口部を有する容器頂部と、
前記容器頂部に連結され、前記蓋開口部が開放している開放閉鎖部位置と、前記蓋開口部が閉止している閉止閉鎖部位置との間を移動可能である閉鎖部と、
前記閉鎖部に移動可能に連結され、前記容器頂部に選択的に係合して、前記閉鎖部を前記閉止閉鎖部位置に選択的に保持するように構成されている押しボタンと、
蓋開口部シール及び付勢部材の両方を備える弾性部材であって、前記蓋開口部シールは、前記蓋開口部と前記閉鎖部との間にシールを形成するように構成されており、前記付勢部材は、前記押しボタンが前記容器頂部に係合する第１の押しボタン位置に向けて前記押しボタンを付勢し、前記付勢部材は、前記押しボタンが前記容器頂部から係合解除される第２の押しボタン位置への前記押しボタンの移動に応答して弾性的に変形する、弾性部材と、を備える、容器の蓋。
【請求項３３】
前記弾性部材が、前記蓋開口部シールと前記付勢部材とを接合する舌部を備える、請求項３２に記載の容器の蓋。
【請求項３４】
前記付勢部材が舌部を備え、前記舌部が、前記押しボタンが前記容器頂部に係合する第１の押しボタン位置に向けて前記押しボタンを付勢し、前記舌部が、前記押しボタンが前記容器頂部から係合解除される第２の押しボタン位置への前記押しボタンの移動に応答して弾性的に変形する、請求項３２に記載の容器の蓋。
【請求項３５】
前記舌部が、舌端部と、前記舌端部を前記蓋開口部シールに連結する舌首部と、を含み、
前記第１の押しボタン位置から前記第２の押しボタン位置への前記押しボタンの移動が、前記押しボタンと前記閉鎖部との間で前記舌端部を圧縮するように構成されている、又は
前記第１の押しボタン位置から前記第２の押しボタン位置への前記押しボタンの移動が、前記舌首部を伸張するように構成されている、のうちの少なくとも１つである、請求項３２〜３４のいずれか一項に記載の容器の蓋。
【請求項３６】
前記閉鎖部が押しボタン用凹部を画定し、前記押しボタンが、実質的に前記押しボタン用凹部内に配設され、前記閉鎖部によって実質的に包囲されている、請求項３２〜３５のいずれか一項に記載の容器の蓋。
【請求項３７】
前記押しボタンが、前記閉鎖部に選択的に係合して、前記押しボタンを前記閉鎖部に選択的に連結するように構成されている保持タブを備え、
前記保持タブが、前記閉鎖部に対して外部から前記閉鎖部と係合解除可能である、請求項３２〜３６のいずれか一項に記載の容器の蓋。
【請求項３８】
前記容器頂部が注ぎ口を備え、前記蓋開口部が前記注ぎ口を貫通し、
前記押しボタンが、前記注ぎ口に選択的に係合するように構成されているラッチを備え、
前記注ぎ口が、前記閉鎖部が前記閉止閉鎖部位置にあり、かつ前記押しボタンが前記第１の押しボタン位置にあるときに前記ラッチに覆いかぶさるように構成されているラッチ止めを備え、
前記押しボタンが、前記ラッチ止めに選択的に係合する前記ラッチによって、前記注ぎ口において前記容器頂部に選択的に係合するように構成されている、請求項３２〜３７のいずれか一項に記載の容器の蓋。
【請求項３９】
前記閉鎖部に連結されている蓋開口部シールを更に備え、前記蓋開口部シールが、第１の外周フランジと、前記第１の外周フランジの上方に位置付けられている第２の外周フランジと、を含み、
前記容器頂部が、前記蓋開口部を画定する注ぎ口を備え、前記蓋開口部が、前記蓋開口部の高さに沿って可変径を有し、前記蓋開口部が、中間高さにおいて第１の直径を有し、前記可変径が、前記蓋開口部の少なくとも上部に対して、前記中間高さから上方に移動しながら増大し、前記可変径が、前記蓋開口部の少なくとも下部に対して、前記中間高さから下方に移動しながら増大し、
前記閉鎖部が前記閉止閉鎖部位置に位置付けられるとき、前記蓋開口部シールが、前記注ぎ口の蓋開口部内に位置付けられ、前記蓋開口シールの第１の外周フランジが、前記中間高さの下方に位置付けられ、前記第２の外周フランジが、前記中間高さの上方に位置付けられる、請求項３２〜３８のいずれか一項に記載の容器の蓋。
【請求項４０】
前記閉鎖部及び前記押しボタンに対して移動可能なロックを更に備える、請求項３２〜３９のいずれか一項に記載の容器の蓋。
【発明の詳細な説明】
【技術分野】
【０００１】
本開示は、概してラッチを有する容器の蓋に関する。
【背景技術】
【０００２】
容器は、水、飲料、ドリンク、ジュースなど様々な異なる種類の液体を保持し得る。容器はまた、エネルギードリンク、タンパク質補給ドリンク、シェーク、食品、ドレッシング、ソース、及び液体食事代替物など様々な品目を保持し得る。
【０００３】
閉鎖部を有する蓋は、容器の内部へのアクセスを制御するために使用され得る。蓋は、容器の開口部を選択的に覆い得る。閉鎖部は、蓋に形成された比較的小さい開口部を選択的に覆い得る。蓋は、氷又は他の内容物で容器を充填する、容器を洗浄する、又はそれ以外で容器の比較的大きい開口部を通じて容器の内部にアクセスできるようにするために取り外され得る。閉鎖部は、ユーザーが、蓋の比較的小さい開口部を通って容器の内容物を消費できるようにする、又はそれ以外で蓋に形成された比較的小さい開口部を通じて容器の内部にアクセスできるようにするために開放され得る。
【発明の概要】
【発明が解決しようとする課題】
【０００４】
本明細書で特許請求する対象は、いずれかの欠点を解決する、又は上述したような環境でのみ動作する実施形態に限定されない。むしろ、この「背景技術」は、本明細書に記載するいくつかの実施形態が実践され得る１つの例示の技術領域を示すためにのみ提供される。
【課題を解決するための手段】
【０００５】
対象の開示のいくつかの実施形態では、容器は、液体、飲料、ドリンクなどを保持、つまり収容し得る。容器は、水及び他の種類の流体が輸送され、及び／又は消費されることを可能にし得る。例えば、容器は、水、フレーバーウォーター、ジュース、ビタミン増強飲料、エネルギードリンク、止渇飲料などを輸送する、又は消費するために使用され得る。加えて、容器は、ビタミン、サプリメント、タンパク質粉末、食事代替物などであり得る混合物及び溶液を保持し得る。更に、容器は、様々な粉末、固体、及び／又は果物、野菜、スープ、ドレッシングなど食品を含む他の種類の材料を保持し得る。いくつかの実施形態では、容器は、内容物を所望の温度に保持することを支援するために絶縁され得る。容器は、ボトル、カップ、器などであってよく、容器は、例えば容器の用途に応じて、様々な異なる形状、寸法、構成、及び配置を有してよい。
【０００６】
対象の開示のいくつかの態様は、容器用の容器の蓋に関する。いくつかの実施形態では、容器の蓋は、選択的に容器に取り付けられ得、及び／又は容器から取り外され得る。容器の蓋は、容器の開口部を覆い得、容器の蓋の１つ以上の開口部を覆う閉鎖部を含み得る。容器の蓋は、１つ以上の開口部を空気シール及び／又は流体密封シールで封止し得、これにより内容物の漏出又は流出を防止し得る。１つ以上の開口部により、内容物を素早くかつ容易に容器に追加する、又は取り出すことが可能になり得る。
【０００７】
対象技術は、例えば、以下に記載する様々な態様に従って示す。対象技術の態様の様々な例は、便宜上、番号付けした項（１、２、３など）として説明する。これらは例として提供するものであり、対象技術を限定するものではない。いずれの従属項も任意の組み合わせで組み合わされ得、それぞれ独立項、例えば、第１項、第２１項、第３２項、第４１項、第６０項、又は第６７号に配置され得ることに留意されたい。他の項は、類似の方法で提示することができる。以下は、本明細書に提示するいくつかの実施例の非限定的な概要である。
【０００８】
第１項．容器の蓋であって、
容器本体に選択的に結合される寸法及び形状である容器頂部であって、容器頂部は蓋開口部を有する、容器頂部と、
容器頂部に連結され、蓋開口部が閉止している閉止閉鎖部位置と、蓋開口部が開放している開放閉鎖部位置との間を移動可能である閉鎖部と、
閉鎖部に移動可能に連結されている押しボタンであって、押しボタンは、閉鎖部が閉止閉鎖部位置にあるときに容器頂部に選択的に係合するように構成されているラッチを含み、押しボタンは、ラッチが容器頂部と係合可能である第１の押しボタン位置と、ラッチが容器頂部から係合解除される第２の押しボタン位置との間を移動可能である、押しボタンと、を備え、
閉鎖部は押しボタン用凹部を画定し、押しボタンは、実質的に押しボタン用凹部内に配設され、閉鎖部によって実質的に包囲されている、容器の蓋。
【０００９】
第２項．閉鎖部は、押しボタン用凹部を少なくとも部分的に画定する上壁及び下壁を含み、押しボタンは、実質的に閉鎖部の上壁と下壁との間に配設される、第１項に記載の容器の蓋。
【００１０】
第３項．押しボタンを第１の押しボタン位置に向けて付勢し、第２の押しボタン位置への押しボタンの移動に応答して弾性的に変形するように構成されている付勢部材を更に備える、第１又は２項に記載の容器の蓋。
【００１１】
第４項．押しボタンは押し領域を備え、押し領域、付勢部材、及びラッチは、ラッチが、押し領域と付勢部材との間に、押しボタンが第１の押しボタン位置から第２の押しボタン位置へと移動する方向で位置付けられている状態で配置される、第１〜３項のいずれか一項に記載の容器の蓋。
【００１２】
第５項．押しボタンが第２の押しボタン位置から第１の押しボタン位置へと移動する方向の付勢部材の突起部が、押しボタンの押し領域と交差する、第１〜４項のいずれか一項に記載の容器の蓋。
【００１３】
第６項．押しボタンが第２の押しボタン位置から第１の押しボタン位置へと移動する方向の付勢部材の突起部は、ラッチと更に交差する、第１〜５項のいずれか一項に記載の容器の蓋。
【００１４】
第７項．付勢部材は、押しボタンの後向き面に接して位置付けられている第１の端部と、閉鎖部の前向き面に接して位置付けられている、反対側の第２の端部と、を有する付勢ばねを備え、
付勢ばねは、押しボタンの後向き面と閉鎖部の前向き面との間に延在し、
付勢ばねは、第１の押しボタン位置から第２の押しボタン位置への押しボタンの移動に応答して、押しボタンの後向き面と閉鎖部の前向き面との間で圧縮するように構成されている、第１〜６項のいずれか一項に記載の容器の蓋。
【００１５】
第８項．蓋開口部シールと、付勢部材と、を備える一体形成された弾性部材を更に備え、付勢部材は、押しボタンを第１の押しボタン位置に向けて付勢し、第２の押しボタン位置への押しボタンの移動に応答して弾性的に変形するように構成されており、蓋開口部シールは、蓋開口部を選択的に封止するように構成されている、第１〜７項のいずれか一項に記載の容器の蓋。
【００１６】
第９項．付勢部材は、舌端部と、舌端部を蓋開口部シールに連結する舌首部と、を含み、舌首部は、少なくとも部分的に舌端部を蓋開口部シールから機械的に分離する１つ以上の畝を備える、第１〜８項のいずれか一項に記載の容器の蓋。
【００１７】
第１０項．付勢部材は、押しボタンの後向き面と押しボタン用凹部の前向き面との間に位置付けられている舌端部を含み、舌端部は、第１の押しボタン位置から第２の押しボタン位置への押しボタンの移動に応答して２つの面の間で圧縮し、第２の押しボタン位置から第１の押しボタン位置への押しボタンの移動に応答して弾性的に伸張するように構成されている、第１〜９項のいずれか一項に記載の容器の蓋。
【００１８】
第１１項．押しボタンは、閉鎖部に摺動可能に連結され、本体と、本体から外側に延出する保持タブと、を備え、
閉鎖部は、押しボタンの保持タブに係合して、タブ止めを越えての保持タブの前方移動を防止するように構成されているタブ止めを備える、第１〜１０項のいずれか一項に記載の容器の蓋。
【００１９】
第１２項．少なくとも１つの保持タブは、押しボタンの本体の両側から外側に延出する２つの保持タブを備える、第１〜１１項のいずれか一項に記載の容器の蓋。
第１３項．押しボタンの一部が閉鎖部の前部を包み込み、閉鎖部の前部を越えて後方に延在する、第１〜１２項のいずれか一項に記載の容器の蓋。
【００２０】
第１４項．押しボタンは、本体と、本体の少なくとも一部に沿って前部から後部まで延在するチャネル又はレールのうちの少なくとも１つと、を含み、
閉鎖部は、押しボタンのチャネル又はレールに対して相補的である、押しボタン用凹部内のレール又はチャネルのうちの少なくとも１つを含み、
閉鎖部のレール又はチャネルは、押しボタンのチャネル又はレールに係合して、閉鎖部に対する押しボタンの垂直移動を阻止する、第１〜１３項のいずれか一項に記載の容器の蓋。
【００２１】
第１５項．容器頂部はラッチ止めを備え、ラッチは、ラッチ止めに選択的に係合して、容器頂部に選択的に係合するように構成されている、第１〜１４項のいずれか一項に記載の容器の蓋。
【００２２】
第１６項．閉鎖部及び押しボタンに対してロック位置とロック解除位置との間を移動可能なロックを更に備え、ロックは、第１の押しボタン位置から第２の押しボタン位置への押しボタンの移動を選択的に阻止するように構成されている、第１〜１５項のいずれか一項に記載の容器の蓋。
【００２３】
第１７項．ロックは、ロック位置とロック解除位置との間を移動可能であり、
ロック位置にあるロックは、第１の押しボタン位置から第２の押しボタン位置への押しボタンの移動を阻止するように構成されており、
ロック解除位置にあるロックは、第１の押しボタン位置と第２の押しボタン位置との間での押しボタンの移動を可能にするように構成されている、第１〜１６項のいずれか一項に記載の容器の蓋。
【００２４】
第１８項．押しボタンは、第１の押しボタン位置と第２の押しボタン位置との間の係合距離を移動し、
閉鎖部は、閉鎖部の押しボタン用凹部上壁の底面にロック用凹部を画定し、ロック用凹部は、ロックの支点を形成する後方端部を有し、
押しボタンは、押しボタンの上面にロック用空洞を画定し、
ロック用空洞は、ロック用空洞の第１の部分にある第１の止め具と、ロック用空洞の第２の部分にある第２の止め具と、を含み、第２の止め具は第１の止め具の前方にあり、
ロックは、当接部を備え、
押しボタンが第１の押しボタン位置にあり、かつロックがロック位置にあるとき、当接部は、押しボタンのロック用空洞の第１の止め具に面して位置付けられ、第１の止め具から係合距離よりも短い距離だけ離間しており、
押しボタンが第１の押しボタン位置にあり、かつロックがロック解除位置にあるとき、当接部は、ロック用空洞の第２の止め具に面して位置付けられ、第２の止め具から係合距離以上の距離だけ離間している、第１〜１７項のいずれか一項に記載の容器の蓋。
【００２５】
第１９項．押しボタンのロック用空洞の底面が、第１の硬質止め具の後方にある第１の受容部と、第２の硬質止め具の後方にある第２の受容部と、を含み、
ロックは、ロックがロック位置にあるときに第１の受容部に受容され、ロックがロック解除位置にあるときに第２の受容部に受容されるように位置付けられている突起部を更に備える、第１〜１８項のいずれか一項に記載の容器の蓋。
【００２６】
第２０項．閉鎖部は、ロックスイッチチャネルを含み、
ロックは、ロックスイッチチャネルを通って延在して、ロックへのアクセスを提供するロックスイッチを更に備える、第１〜１９項のいずれか一項に記載の容器の蓋。
【００２７】
第２１項．容器の蓋であって、
蓋開口部を有する容器頂部と、
容器頂部に連結され、蓋開口部が開放している開放閉鎖部位置と、蓋開口部が閉止している閉止閉鎖部位置との間を移動可能である閉鎖部と、
閉鎖部に移動可能に連結され、容器頂部に選択的に係合して、閉鎖部を閉止閉鎖部位置に選択的に保持するように構成されている押しボタンであって、押しボタンは保持タブを備え、保持タブは閉鎖部に係合して、閉鎖部との保持タブの係合を越えての保持タブの前方移動を阻止する、押しボタンと、を備える、容器の蓋。
【００２８】
第２２項．押しボタンは、閉鎖部に向けて保持タブを付勢し、閉鎖部から保持タブを選択的に係合解除して、押しボタンが閉鎖部から分離され得るように弾性的に変形可能である弾性部分を備える、第２１項に記載の容器の蓋。
【００２９】
第２３項．保持タブは、閉鎖部の後向き面に係合して、後向き面を越えての保持タブの前方移動を阻止する、第２１又は２２項に記載の容器の蓋。
第２４項．閉鎖部は、押しボタン用凹部を少なくとも部分的に画定する押しボタン用凹部側壁を備え、側壁は、後向き面を備え、
押しボタンは、少なくとも部分的に押しボタン用凹部内に位置付けられる、第２１〜２３項のいずれか一項に記載の容器の蓋。
【００３０】
第２５項．側壁は、押しボタン用凹部の後部に少なくとも部分的に配設されている、第２１〜２４項のいずれか一項に記載の容器の蓋。
第２６項．押しボタンは、保持タブを保持するアームを備える、第２１〜２５項のいずれか一項に記載の容器の蓋。
【００３１】
第２７項．押しボタン用凹部側壁に穴が形成され、
押しボタンのアームは、押しボタン用凹部側壁内に形成された穴の中へと延在し、
保持タブは、押しボタン用凹部側壁に係合して、後向き面を越えての保持タブの前方移動を阻止する、第２１〜２６項のいずれか一項に記載の容器の蓋。
【００３２】
第２８項．保持タブへの取り外し力の印加に応答して、アームは弾性的に変形して、保持タブと押しボタン用凹部側壁に形成された穴との位置合わせを可能にし、閉鎖部の押しボタン用凹部からの押しボタンの取り外しを可能にする、第２１〜２７項のいずれか一項に記載の容器の蓋。
【００３３】
第２９項．容器頂部は、蓋開口部を画定する注ぎ口を備え、押しボタンは、蓋開口部が閉鎖部によって閉止されているときに、注ぎ口の内部に形成されたラッチ止めに選択的に係合するように構成されているラッチを含む、第２１〜２８項のいずれか一項に記載の容器の蓋。
【００３４】
第３０項．閉鎖部に連結されている蓋開口部シールを更に備え、蓋開口部シールは、第１の外周フランジと、第１の外周フランジの上方に位置付けられている第２の外周フランジと、を含み、
容器頂部は、蓋開口部を画定する注ぎ口を備え、蓋開口部は、第１の直径を有する腰部を有する注ぎ口を通る断面プロファイルを有し、蓋開口部は、蓋開口部に沿って腰部から上方又は下方に移動しながら第１の直径から増大する直径を有し、
閉鎖部が閉止閉鎖部位置に位置付けられるとき、蓋開口部シールは、注ぎ口の蓋開口部内に位置付けられ、蓋開口部シールの第１の外周フランジは、蓋開口部の腰部の下方に位置付けられ、第２の外周フランジは、蓋開口部の腰部の上方に位置付けられる、第２１〜２９項のいずれか一項に記載の容器の蓋。
【００３５】
第３１項．第１の押しボタン位置から第２の押しボタン位置への押しボタンの移動を選択的に阻止するように構成されているロックを更に備える、第２１〜３０項のいずれか一項に記載の容器の蓋。
【００３６】
第３２項．容器の蓋であって、
蓋開口部を有する容器頂部と、
容器頂部に連結され、蓋開口部が開放している開放閉鎖部位置と、蓋開口部が閉止している閉止閉鎖部位置との間を移動可能である閉鎖部と、
閉鎖部に移動可能に連結され、容器頂部に選択的に係合して、閉鎖部を閉止閉鎖部位置に選択的に保持するように構成されている押しボタンと、
蓋開口部シール及び付勢部材の両方を備える弾性部材であって、蓋開口部シールは、蓋開口部と閉鎖部との間にシールを形成するように構成されており、付勢部材は、押しボタンが容器頂部に係合する第１の押しボタン位置に向けて押しボタンを付勢し、付勢部材は、押しボタンが容器頂部から係合解除される第２の押しボタン位置への押しボタンの移動に応答して弾性的に変形する、弾性部材と、を備える、容器の蓋。
【００３７】
第３３項．弾性部材は、蓋開口部シールと付勢部材とを接合する舌部を備える、第３２項に記載の容器の蓋。
第３４項．付勢部材は舌部を備え、舌部は、押しボタンが容器頂部に係合する第１の押しボタン位置に向けて押しボタンを付勢し、舌部は、押しボタンが容器頂部から係合解除される第２の押しボタン位置への押しボタンの移動に応答して弾性的に変形する、第３２又は３３項に記載の容器の蓋。
【００３８】
第３５項．舌部は、舌端部と、舌端部を蓋開口部シールに連結する舌首部と、を含み、
第１の押しボタン位置から第２の押しボタン位置への押しボタンの移動が、押しボタンと閉鎖部との間で舌端部を圧縮するように構成されている、又は
第１の押しボタン位置から第２の押しボタン位置への押しボタンの移動が、舌首部を伸張するように構成されている、のうちの少なくとも１つである、第３２〜３４項のいずれか一項に記載の容器の蓋。
【００３９】
第３６項．閉鎖部は押しボタン用凹部を画定し、押しボタンは、実質的に押しボタン用凹部内に配設され、閉鎖部によって実質的に包囲されている、第３２〜３５項のいずれか一項に記載の容器の蓋。
【００４０】
第３７項．押しボタンは、閉鎖部に選択的に係合して、押しボタンを閉鎖部に選択的に連結するように構成されている保持タブを備え、
保持タブは、閉鎖部に対して外部から閉鎖部と係合解除可能である、第３２〜３６項のいずれか一項に記載の容器の蓋。
【００４１】
第３８項．容器頂部は注ぎ口を備え、蓋開口部は注ぎ口を貫通し、
押しボタンは、注ぎ口に選択的に係合するように構成されているラッチを備え、
注ぎ口は、閉鎖部が閉止閉鎖部位置にあり、かつ押しボタンが第１の押しボタン位置にあるときにラッチに覆いかぶさるように構成されているラッチ止めを備え、
押しボタンは、ラッチ止めに選択的に係合するラッチによって、注ぎ口において容器頂部に選択的に係合するように構成されている、第３２〜３７項のいずれか一項に記載の容器の蓋。
【００４２】
第３９項．閉鎖部に連結されている蓋開口部シールを更に備え、蓋開口部シールは、第１の外周フランジと、第１の外周フランジの上方に位置付けられている第２の外周フランジと、を含み、
容器頂部は、蓋開口部を画定する注ぎ口を備え、蓋開口部は、蓋開口部の高さに沿って可変径を有し、蓋開口部は、中間高さにおいて第１の直径を有し、可変径は、蓋開口部の少なくとも上部に対して、中間高さから上方に移動しながら増大し、可変径は、蓋開口部の少なくとも下部に対して、中間高さから下方に移動しながら増大し、
閉鎖部が閉止閉鎖部位置に位置付けられるとき、蓋開口部シールは、注ぎ口の蓋開口部内に位置付けられ、蓋開口シールの第１の外周フランジは、中間高さの下方に位置付けられ、第２の外周フランジは、中間高さの上方に位置付けられる、第３２〜３８項のいずれか一項に記載の容器の蓋。
【００４３】
第４０項．閉鎖部及び押しボタンに対して移動可能なロックを更に備える、第３２〜３９項のいずれか一項に記載の容器の蓋。
第４１項．容器の蓋であって、
蓋開口部を有する容器頂部と、
容器頂部に連結され、蓋開口部が開放している開放閉鎖部位置と、蓋開口部が閉止している閉止閉鎖部位置との間を移動可能である閉鎖部と、
閉鎖部に移動可能に連結され、容器頂部に選択的に係合して、閉鎖部を閉止位置に選択的に保持するように構成されている押しボタンと、
蓋開口部と閉鎖部との間にシールを形成するように構成されている蓋開口部シール、及び蓋開口部シールから延在し、押しボタンが容器頂部に係合する第１の押しボタン位置に向けて押しボタンを付勢する舌部の両方を含む付勢部材であって、押しボタンが容器頂部から係合解除される第２の押しボタン位置への押しボタンの移動に応答して弾性的に変形する、付勢部材と、を備える、容器の蓋。
【００４４】
第４２項．閉鎖部は押しボタン用凹部を画定し、押しボタンは、実質的に押しボタン用凹部内に配設され、閉鎖部によって実質的に包囲されている、第４１項に記載の容器の蓋。
【００４５】
第４３項．押しボタンは、本体と、本体から外側に延在する少なくとも１つの保持タブと、を備え、
閉鎖部は、押しボタン用凹部内に少なくとも１つのタブ止めを備え、
閉鎖部は、押しボタンの少なくとも１つの保持タブに係合して、少なくとも１つのタブ止めを越えての少なくとも１つの保持タブの前方移動を防止するように構成されている、第４１又は４２項に記載の容器の蓋。
【００４６】
第４４項．少なくとも１つの保持タブは、押しボタンの本体の両側から外側に延出する２つの保持タブを備える、第４１〜４３項のいずれか一項に記載の容器の蓋。
第４５項．押しボタンは、本体と、本体から後方に延在するアームと、を備え、アームは、アームの端部に保持タブを含み、
閉鎖部は、押しボタン用凹部上壁と、少なくとも部分的に押しボタン用凹部を共に画定する押しボタン用凹部後壁と、を備え、
穴が押しボタン用凹部後壁に形成され、
押しボタンのアームは、押しボタン用凹部後壁に形成された穴を通って延在し、保持タブは、押しボタン用凹部後壁の後面に係合して、押しボタン用凹部後壁の後面を越えての保持タブの前方移動を阻止する、第４１〜４４項のいずれか一項に記載の容器の蓋。
【００４７】
第４６項．保持タブは、押しボタン用凹部後壁の後面から選択的に係合解除可能である、第４１〜４５項のいずれか一項に記載の容器の蓋。
第４７項．容器頂部は注ぎ口を備え、蓋開口部は注ぎ口を貫通し、
押しボタンは、注ぎ口に選択的に係合するように構成されているラッチを備え、
注ぎ口は、閉鎖部が閉止閉鎖部位置にあり、かつ押しボタンが第１の押しボタン位置にあるときにラッチに覆いかぶさるように構成されているラッチ止めを備え、
押しボタンは、ラッチ止めに選択的に係合するラッチによって、注ぎ口において容器頂部に選択的に係合するように構成されている、第４１〜４６項のいずれか一項に記載の容器の蓋。
【００４８】
第４８項．ラッチ止めが、リップ、肩部、又は注ぎ口に形成されたラッチ用凹部の上面を備える、第４１〜４７項のいずれか一項に記載の容器の蓋。
第４９項．ラッチ止めは注ぎ口の外部に形成される、第４１〜４８項のいずれか一項に記載の容器の蓋。
【００４９】
第５０項．ラッチ止めは注ぎ口の内部に形成される、第４１〜４９項のいずれか一項に記載の容器の蓋。
第５１項．舌部は、蓋開口部シールの前部から後方に延在し、
舌部は、前向き面を有する舌端部と、舌端部を蓋開口部シールの前部に連結する舌首部と、を備え、
押しボタンは、舌端部を受容するように構成されている舌端部用空洞と、舌首部を受容するように構成されている舌首部用空洞と、舌の前向き面と直接接触するように構成されている後向き面５０Ｃと、を備える、第４１〜５０項のいずれか一項に記載の容器の蓋。
【００５０】
第５２項．蓋開口部シールは、
Ｏリングガスケット、
蓋開口部の直径よりも大きい、非圧縮直径を有する、オーバーサイズの弾性環状プラグ突起部、又は
逆ドーム型弾性シールのうちの少なくとも１つを備える、第４１〜５１項のいずれか一項に記載の容器の蓋。
【００５１】
第５３項．閉鎖部及び押しボタンに対して移動可能なロックを更に備える、第４１〜５２項のいずれか一項に記載の容器の蓋。
第５４項．ロックは、ロック位置とロック解除位置との間を移動可能であり、
ロック位置にあるロックは、第１の押しボタン位置から第２の押しボタン位置への押しボタンの移動を阻止するように構成されており、
ロック解除位置にあるロックは、第１の押しボタン位置と第２の押しボタン位置との間での押しボタンの移動を可能にするように構成されている、第４１〜５３項のいずれか一項に記載の容器の蓋。
【００５２】
第５５項．押しボタンは、第１の押しボタン位置と第２の押しボタン位置との間の係合距離を移動し、
閉鎖部は、閉鎖部の押しボタン用凹部上壁の底面にロック用凹部を画定し、ロック用凹部は、ロックの支点を形成する後方端部を有し、
押しボタンは、押しボタンの上面にロック用空洞を画定し、
空洞は、ロック用空洞の第１の部分にある第１の止め具と、ロック用空洞の第２の部分にある第２の止め具と、を含み、第２の止め具は第１の止め具の前方にあり、
ロックは、当接部を備え、
押しボタンが第１の押しボタン位置にあり、かつロックがロック位置にあるとき、当接部は、押しボタンのロック用空洞の第１の止め具に面して位置付けられ、第１の止め具から係合距離よりも短い距離だけ離間しており、
押しボタンが第１の押しボタン位置にあり、かつロックがロック解除位置にあるとき、当接部は、ロック用空洞の第２の止め具に面して位置付けられ、第２の止め具から係合距離以上の距離だけ離間している、第４１〜５４項のいずれか一項に記載の容器の蓋。
【００５３】
第５６項．押しボタンのロック用空洞の底面が、第１の硬質止め具の後方にある第１の受容部と、第２の硬質止め具の後方にある第２の受容部と、を含み、
ロックは、ロックがロック位置にあるときに第１の受容部に受容され、ロックがロック解除位置にあるときに第２の受容部に受容されるように位置付けられている突起部を更に備える、第４１〜５５項のいずれか一項に記載の容器の蓋。
【００５４】
第５７項．閉鎖部は、ロックスイッチチャネルを含み、
ロックは、ロックスイッチチャネルを通って延在して、ロックへのアクセスを提供するロックスイッチを更に備える、第４１〜５５項のいずれか一項に記載の容器の蓋。
【００５５】
第５８項．ロックがロック位置及びロック解除位置の両方にあるとき、基部が押しボタンの上面上のロック用空洞の上方に支持され、基部は、ロック用凹部の支点に少なくとも部分的に受容される基部の枢動部を有する、閉鎖部の押しボタン用凹部上壁の底面内のロック用凹部内に少なくとも部分的に受容される、第５１〜５７項のいずれか一項に記載の容器の蓋。
【００５６】
第５９項．基部から下方に延在する支持体を更に備え、支持体の少なくとも一部が当接部を形成する、第５１〜５８項のいずれか一項に記載の容器の蓋。
第６０項．容器の蓋であって、
容器本体に選択的に結合される寸法及び形状である容器頂部であって、容器頂部は蓋開口部を有する、容器頂部と、
容器頂部に連結され、蓋開口部が閉止している閉止閉鎖部位置と、蓋開口部が開放している開放閉鎖部位置との間を移動可能である閉鎖部と、
閉鎖部に移動可能に連結されている押しボタンであって、押しボタンは、閉鎖部が閉止閉鎖部位置にあるときに選択的に容器頂部に係合するように構成されているラッチを含み、押しボタンは、ラッチが容器頂部と係合可能である第１の押しボタン位置と、ラッチが容器頂部から係合解除される第２の押しボタン位置との間を移動可能である、押しボタンと、を備え、閉鎖部は押しボタン用凹部を画定し、押しボタンは、実質的に押しボタン用凹部内に配設され、閉鎖部によって実質的に包囲されている、容器の蓋。
【００５７】
第６１項．押しボタンを第１の押しボタン位置に向けて付勢し、第２の押しボタン位置への押しボタンの移動に応答して弾性的に変形するように構成されている付勢部材として、蓋開口部と一体形成された舌部を更に備える、第６０項に記載の容器の蓋。
【００５８】
第６２項．押しボタンを第１の押しボタン位置に向けて付勢し、第２の押しボタン位置への押しボタンの移動に応答して弾性的に変形するように構成されている付勢部材を更に備える、第６０又は６１項に記載の容器の蓋。
【００５９】
第６３項．付勢部材は、押しボタンの後向き面に接して位置付けられている第１の端部と、閉鎖部の前向き面に接して位置付けられている、反対側の第２の端部と、を有する付勢ばねを備え、
付勢ばねは、押しボタンの後向き面と閉鎖部の前向き面との間に延在し、
付勢ばねは、第１の押しボタン位置から第２の押しボタン位置への押しボタンの移動に応答して、押しボタンの後向き面と閉鎖部の前向き面との間で圧縮するように構成されている、第６０〜６２項のいずれか一項に記載の容器の蓋。
【００６０】
第６４項．押しボタンは、閉鎖部に摺動可能に連結され、本体と、本体から外側に延出する少なくとも１つの保持タブと、を備え、
閉鎖部は、押しボタン用凹部内に少なくとも１つのタブ止めを備え、
閉鎖部は、押しボタンの少なくとも１つの保持タブに係合して、少なくとも１つのタブ止めを越えての少なくとも１つの保持タブの前方移動を防止するように構成されている、第６０〜６３項のいずれか一項に記載の容器の蓋。
【００６１】
第６５項．少なくとも１つの保持タブは、押しボタンの本体の両側から外側に延出する２つの保持タブを備える、第６０〜６４項のいずれか一項に記載の容器の蓋。
第６６項．容器頂部はラッチ止めを備え、ラッチは、ラッチ止めに選択的に係合して、容器頂部に選択的に係合するように構成されている、第６０〜６５項のいずれか一項に記載の容器の蓋。
【００６２】
第６７項．容器の蓋であって、
容器頂部と、
容器頂部を通って延在する蓋開口部を有する、容器頂部から延在する注ぎ口と、
容器頂部に枢動可能に連結され、蓋開口部を選択的に閉止するように構成されている閉鎖部と、
閉鎖部に摺動可能に連結されている押しボタンであって、蓋開口部が閉鎖部によって閉止されているとき、注ぎ口の外部に形成されたラッチ止めに選択的に係合するように構成されているラッチを含む、押しボタンと、
蓋開口部が閉鎖部によって閉止されているとき、閉鎖部から蓋開口部の中へと延在するプラグと、を備える、容器の蓋。
【００６３】
第６８項．容器頂部から上方に延在する２つの枢動ポストと、
２つの面取り心棒であって、それぞれが面取り面を有し、２つの枢動ポストのうちの異なる一方の対応する面取り面から２つの枢動ポストのうちの他方に向かって延在し、閉鎖部は、２つの面取り心棒に連結され、２つの枢動ポストに対して２つの面取り心棒と共に回転可能である、２つの面取り心棒と、
２つの面取り心棒間に連結されている付勢部材であって、２つの面取り心棒間の距離が、２つの枢動ポストに対する２つの面取り心棒の回転位置によって決定され、付勢部材は、閉鎖部の開放閉鎖部位置に関連付けられている回転位置へと２つの面取り心棒を付勢するように構成されている、付勢部材と、を更に備える、第６７項に記載の容器の蓋。
【００６４】
第６９項．閉鎖部は、押しボタンが少なくとも部分的に配設される押しボタン用凹部を画定し、押しボタンの上部及び後部は覆われておらず、露出している、第６７又は６８項に記載の容器の蓋。
【００６５】
対象技術のこれら及び他の態様、特徴、及び利点は、以下の「図面の簡単な説明」、図面、「発明を実施するための形態」、及び添付の「特許請求の範囲」から、より完全に明らかになるであろう。
【００６６】
添付の図面は、本明細書に組み込まれ、この説明の一部を構成し、対象技術の上記及び他の態様、原理、利点、及び特徴を更に開示するために、特定の実施形態の図面を含む。これらの図面は、特定の実施形態のみを示し、本発明の範囲を限定することを意図するものではないことが理解されるであろう。更に、図面は、対象技術の特定の寸法、規模、関係、及び構成を示し得るが、図面は、特許請求する発明の範囲を限定することを意図するものではないことが理解されるであろう。
【図面の簡単な説明】
【００６７】
【図１】例示の容器の上面斜視図である。
【図２】図１の容器の蓋の上面斜視図である。
【図３】図１及び図２の容器の蓋の分解上面斜視図である。
【図４Ａ】図２及び図３の押しボタンの下面斜視図である。
【図４Ｂ】図２及び図３の付勢部材の上面斜視図である。
【図５】図１及び図２の容器の蓋の断面図である。
【図６】別の例示の容器の上面斜視図である。
【図７】図６の容器の蓋の上面斜視図である。
【図８】図６及び図７の容器の蓋の分解上面斜視図である。
【図９】図６及び図７の容器の蓋の断面図である。
【図１０】別の例示の容器の上面斜視図である。
【図１１】図１０の容器の蓋の上面斜視図である。
【図１２】図１０及び図１１の容器の蓋の分解上面斜視図である。
【図１３】図１０及び図１１の容器の蓋の断面図である。
【図１４】別の例示の容器の上面斜視図である。
【図１５Ａ】図１４の容器の蓋の上面斜視図である。
【図１５Ｂ】図１４の容器の蓋の上面斜視図である。
【図１６】図１４、図１５Ａ、及び図１５Ｂの容器の蓋の分解上面斜視図である。
【図１７Ａ】図１５Ａ〜図１６の押しボタンの正面上面斜視図を含む。
【図１７Ｂ】図１５Ａ〜図１６の押しボタンの正面下面斜視図を含む。
【図１８Ａ】図１５Ａ〜図１６のロックの正面上面斜視図を含む。
【図１８Ｂ】図１５Ａ〜図１６のロックの正面下面斜視図を含む。
【図１９】図１５Ａ〜図１６の付勢部材の上面斜視図である。
【図２０】図１５Ａ〜図１６の閉鎖部の正面下面斜視図である。
【図２１Ａ】ロックがロック位置にある、図１５Ａ〜図１６の容器の蓋の断面図である。
【図２１Ｂ】ロックがロック解除位置にある、図１５Ａ〜図１６の容器の蓋の断面図である。
【図２２】別の例示の容器の上面斜視図である。
【図２３Ａ】図２２の容器の蓋の上面斜視図である。
【図２３Ｂ】図２２の容器の蓋の上面斜視図である。
【図２３Ｃ】図２２の容器の蓋の上面斜視図である。
【図２４】図２２〜図２３Ｃの容器の蓋の分解上面斜視図である。
【図２５Ａ】図２３Ａ〜図２４の押しボタンの正面上面斜視図を含む。
【図２５Ｂ】図２３Ａ〜図２４の押しボタンの正面下面斜視図を含む。
【図２５Ｃ】図２３Ａ〜図２４の押しボタンの上面図を含む。
【図２５Ｄ】図２３Ａ〜図２４の押しボタンの側面図を含む。
【図２５Ｅ】図２３Ａ〜図２４の押しボタンの断面図を含む。
【図２６Ａ】図２３Ａ〜図２４のロックの正面上面斜視図を含む。
【図２６Ｂ】図２３Ａ〜図２４のロックの正面下面斜視図を含む。
【図２７Ａ】図２３Ａ〜図２４のシール及び付勢部材の上面斜視図を含む。
【図２７Ｂ】図２３Ａ〜図２４のシール及び付勢部材の断面図を含む。
【図２８Ａ】図２３Ａ〜図２４の閉鎖部の正面上面斜視図を含む。
【図２８Ｂ】図２３Ａ〜図２４の閉鎖部の正面下面斜視図を含む。
【図２９Ａ】ロックがロック位置にある、図２３Ａ〜図２４の容器の蓋の断面図である。
【図２９Ｂ】ロックがロック解除位置にある、図２３Ａ〜図２４の容器の蓋の断面図である。
【図２９Ｃ】押しボタンが第２の押しボタン位置にある、図２３Ａ〜図２４の容器の蓋の断面図である。
【図３０】図２９Ｂの一部の拡大図である。
【図３１】押しボタンが第１の押しボタン位置にある、図２３Ａ〜図２４の容器の蓋の断面図である。
【発明を実施するための形態】
【００６８】
以下に記載する「発明を実施するための形態」は、対象技術の様々な構成の説明を含むものであり、対象技術が実施され得る唯一の構成を表すことを意図するものではない。「発明を実施するための形態」は、対象技術を完全に理解するという目的のための具体的な詳細を含む。しかしながら、対象技術は、これらの具体的な詳細を伴わずに実施され得る。いくつかの例では、周知の構造及び構成要素を示さない、又は概略的に示して、対象技術の概念を不明瞭にしないようにする。
【００６９】
対象技術の様々な態様、原理、利点、及び特徴は、本明細書では液体分配容器若しくは容器の蓋、又は場合によってはシェーカーカップを参照して開示しているが、本開示は、液体分配容器若しくは容器の蓋、又はシェーカーカップに限定されない。本開示を考慮すれば、本明細書に開示する液体分配容器は、様々な好適な形状、寸法、構成、及び配置を有し得ることが理解されるであろう。対象技術による容器及び容器の蓋は、器、切り換え弁、弁本体、ノズル、蓋体、ストローなど任意の好適な数の部品及び構成要素を含んでよく、容器及び容器の蓋は、任意の適切な数及び組み合わせの特徴、部品、態様などを含んでよいことも理解されたい。開示する構成要素は、対象技術のいくつかの実施形態で組み合わされるか、又は細分化されてよい。加えて、添付の図面は、特定のスタイル及び構成を有する容器及び容器の蓋を示しているが、特許請求する対象は、図示するスタイル及び構成に限定されなくてよいことが理解されるであろう。更に、容器及び容器の蓋は、他の種類の装置に関連して良好に使用され得る。
【００７０】
様々な例示的実施形態を添付の図面に示す。様々な例示的実施形態の説明に役立つように、頂部、底部、前部、後部、側部、右、左、及び／又はそれらの変形などの単語を使用して添付の図面を説明してよい。ただし、これらの図面は必ずしも縮尺どおりに描かれているわけではない。容器は、様々な所望の位置又は向きで配設され、多数の場所、環境、及び配置で使用され得ることが更に理解されるであろう。
【００７１】
いくつかの容器の蓋は、蓋開口部と、蓋開口部を閉止するための閉鎖部と、を含む。いくつかのかかる容器の蓋は、閉鎖部が閉止されているときに蓋開口部を封止して、対応する容器の内容物が蓋開口部を通って不用意に漏出しないようにするように意図されているシール部材を含む。いくつかの容器の蓋では、閉鎖部は、シール部材と蓋開口部との間での摩擦、干渉、及び／又は加圧力によって閉止位置に保持されてよい。しかしながら、シール部材と蓋開口部との封止係合が、閉鎖部を閉止位置に保持するための唯一の機構を提供する場合、シール部材と蓋開口部との確実な封止及び容器の蓋を開閉する際の使いやすさの両方を得ることは困難であり得る。例えば、シール部材と蓋開口部とのより緊密な封止係合は、より確実な封止を提供するが、これはまた閉鎖部を閉止位置に保持する可能性が高く、したがって、不用意に漏出する可能性は緩い封止よりも比較的低いが、閉鎖部の開閉が比較的困難であり得る。本明細書に開示するいくつかの例示の実施形態では、ラッチは、単独で、又はシール部材と蓋開口部との係合（例えば、摩擦、干渉、及び／又は加圧力）と組み合わせて、閉鎖部を閉止位置に保持してよい。いくつかの例示の実施形態では、閉鎖部は、主にラッチによって閉止位置に保持されてよい。
【００７２】
図１は、本明細書に記載する少なくとも１つの実施形態に従って配置された、例示の容器１０Ａの上面斜視図である。図１に示すように、容器１０Ａは、容器本体１８Ａと、容器の蓋１６Ａと、を含んでよい。容器本体１８Ａは、本明細書において概して内容物と称する１種以上の液体及び／又は固体を保持し、及び／又は格納する寸法及び形状であってよい。
【００７３】
容器の蓋１６Ａは容器本体１８Ａと協働して、容器本体１８Ａ内の液体など内容物を保護し得る。容器の蓋１６Ａは容器本体１８Ａから完全に取り外されて、容器本体１８Ａの頂部開口部（図１では見えない）を露出させてよく、この頂部開口部を通って容器本体１８Ａの内部にアクセスして、例えば、内容物を容器１０Ａに追加し得る、容器１０Ａから内容物を取り出しし得る、容器本体１８Ａの内部を洗浄し得る、又はそれ以外で容器本体１８Ａの内部にアクセスし得る。
【００７４】
容器の蓋１６Ａは、比較的小さい、例えば、容器本体１８Ａの頂部開口部よりも小さい蓋開口部（例えば、図３を参照）を画定し得、この蓋開口部を通って容器本体１８Ａの内部にアクセスし得る。例えば、ユーザーは、容器の蓋１６Ａの蓋開口部を通って容器１０Ａの内容物を消費し得る、蓋開口部を通って粉末状のドリンク混合物を容器１０Ａ内に分配し得る、又はそれ以外で容器の蓋１６Ａの蓋開口部を通って容器本体１８Ａの内部にアクセスし得る。
【００７５】
容器の蓋１６Ａは、容器本体１８Ａに選択的に結合されてよい。例えば、容器の蓋１６Ａは、容器の蓋１６Ａを螺入する、スナップ嵌めする、ねじる、摺動する、又はねじ込むことによって容器本体１８Ａに選択的に結合されてよい。例えば、容器本体１８Ａの上部は、１つ以上の雄ねじ山又は雌ねじ山を含んでよく、容器の蓋１６Ａの下部は、１つ以上の対応するねじ山を含んでよい。ねじ山は、容器の蓋１６Ａが容器本体１８Ａに選択的に結合され得るように嵌合してよい。容器の蓋１６Ａの容器本体１８Ａへのねじ結合は、確実なシール、気密シール、水密シール、及び／又は漏れ止めシールを形成してよい。ねじ結合では、容器本体１８Ａと容器の蓋１６Ａとを確実に結合するために、複数の巻、又は単一の巻、又はそれよりも少ない巻が必要であり得る。より一般には、容器本体１８Ａ及び容器の蓋１６Ａは、任意の好適な巻数で結合されてよい。容器本体１８Ａ及び容器の蓋１６Ａはまた、例えば、容器の用途に応じて、他の好適な種類の結合及び構造を使用して結合されてよい。
【００７６】
図２は、本明細書に記載する少なくとも１つの実施形態に従って配置された、容器の蓋１６Ａの上面斜視図である。図３は、本明細書に記載する少なくとも１つの実施形態に従って配置された、容器の蓋１６Ａの分解上面斜視図である。図２及び図３に示すように、容器の蓋１６Ａは、容器頂部２０Ａと、閉鎖部２２Ａと、押しボタン２４Ａと、プラグ２６Ａ（例えば、図５を参照）と、を含んでよい。
【００７７】
容器頂部２０Ａは、端壁２８Ａ、スカート３０Ａ、注ぎ口３２Ａ、及び／又は１つ以上の枢動ポスト３３Ａを含んでよい。スカート３０Ａは、概して端壁２８Ａから下方に延在してよく、容器本体１８Ａの頂部に嵌合係合するように構成されてよい。この実施形態及び他の実施形態では、スカート３０Ａは、その内面又は外面に１つ以上の容器係合部材を含んで、容器頂部２０Ａを容器本体１８Ａに選択的に固定してよい。例えば、スカート３０Ａは、雌ねじ山（図５でのように）、雄ねじ山、バヨネットマウント、又は１つ以上の対応するねじ山、バヨネットマウント、若しくは容器本体１８Ａの上外面若しくは上内面に形成された他の蓋係合部材と嵌合係合するように構成されている他の容器係合部材を含んで、容器頂部２０Ａを容器本体１８Ａに固定してよい。
【００７８】
注ぎ口３２Ａは、端壁２８Ａから上方に延在してよい。１つ以上の蓋開口部３４Ａは、注ぎ口３２Ａを貫通してよい。いくつかの実施形態では、注ぎ口３２Ａは、１つ以上の蓋開口部を画定してよい。一例として、単一の概ね円形の蓋開口部３４Ａを図３に示す。他の実施形態では、注ぎ口３２Ａは、任意の好適な寸法及び／又は形状の２つ以上の開口部を画定してよい。容器の蓋１６Ａが容器本体１８Ａに連結され、閉鎖部２２Ａが開放閉鎖部位置に移動されると、ユーザーは、蓋開口部３４Ａを通って容器１０Ａから内容物を消費し得る、ないしは別の方法で取り出し得る。代替的に又は追加的に、ユーザーは、蓋開口部３４Ａを通って容器１０Ａに内容物を追加し得る。
【００７９】
閉鎖部２２Ａは、容器頂部２０Ａに枢動可能に連結されてよく、蓋開口部３４Ａを選択的に覆うように構成されてよい。例えば、閉鎖部２２Ａは、蓋開口部３４Ａが開放されている開放閉鎖部位置と、（図２に示すように）蓋開口部３４Ａが閉止されている閉止閉鎖部位置との間で回転可能であってよい。
【００８０】
閉鎖部２２Ａは、枢動ポスト３３Ａを介して容器頂部２０Ａに枢動可能に連結されてよく、枢動ポスト３３Ａは、閉鎖部２２Ａの回転軸を画定し得る。図示する実施形態では、枢動ポスト３３Ａのそれぞれは、動作中に対応する開口部３６Ａ内に保持される突起部３８Ａ（図３では１つのみが見える）を受容するように構成されている開口部３６Ａ（図３では１つのみが見える）を画定し、閉鎖部２２Ａが容器頂部２０Ａに対して回転できるようにする。
【００８１】
押しボタン２４Ａは、閉鎖部２２Ａに摺動可能に連結されてよく、注ぎ口３２Ａ又は容器頂部２０Ａの他の部分に選択的に係合して、閉鎖部２２Ａを閉止閉鎖部位置に選択的に保持するように構成されてよい。弾性部材３７Ａは、押しボタン２４Ａが、例えば注ぎ口３２Ａにおいて容器頂部２０Ａに係合し得る、第１の押しボタン位置に向けて押しボタン２４Ａを付勢し、押しボタン２４Ａが容器頂部２０Ａから係合解除される第２の押しボタン位置への押しボタン２４Ａの移動に応答して弾性的に変形するように構成されてよい。弾性部材３７Ａは、それによって押しボタン２４Ａを前方向に付勢してよく、例えば、押しボタン２４Ａは、弾性部材３７Ａによって前方向に付勢されてよい。他の実施形態では、押しボタン２４Ａは弾性部材３７Ａによって後方向に付勢されてよい。
【００８２】
図３に示すように、閉鎖部２２Ａは押しボタン用凹部２３Ａを有してよい。図２及び図３を合わせて参照すると、押しボタン２４Ａは、実質的に押しボタン用凹部２３Ａ内に配設されてよく、閉鎖部２２Ａによって実質的に包囲されてよい。例えば、押しボタン２４Ａの大部分は、例えば、図２及び図５に示すように、閉鎖部２２Ａによって覆われてもよく、及び／又は閉鎖部２２Ａ内に封入されてよい。
【００８３】
図４Ａは、本明細書に記載する少なくとも１つの実施形態に従って配置された、図２及び図３の押しボタン２４Ａの下面斜視図である。図４Ｂは、本明細書に記載する少なくとも１つの実施形態に従って配置された、図２及び図３の弾性部材３７Ａの上面斜視図である。図５は、本明細書に記載する少なくとも１つの実施形態に従って配置された、図２の切断面５−５に沿った図１及び図２の容器の蓋１６Ａの断面図である。図１〜図５を合わせて参照すると、押しボタン２４Ａは、本体４０Ａ、１つ以上のラッチ４２Ａ、及び／又は１つ以上の保持タブ４３Ａを含んでよい。押しボタン２４Ａは、図示するように、２つのラッチ４２Ａと、２つの保持タブ４３Ａと、を含んでよく、保持タブ４３Ａは本体４０Ａの両側から外側に延出する。あるいは、押しボタン２４Ａは、単一のラッチ４２Ａ、３つ以上のラッチ４２Ａ、単一の保持タブ４３Ａ、又は３つ以上の保持タブ４３Ａを含んでよい。
【００８４】
保持タブ４３Ａは、閉鎖部２２Ａの押しボタン用凹部２３Ａ内に押しボタン２４Ａを保持するように構成されてよい。保持タブ４３Ａのそれぞれは、概して本体４０Ａから外側に延出してよい。加えて、保持タブ４３Ａのそれぞれは、図示するように押しボタン２４Ａが前方向に付勢される実施例では本体４０Ａから前方に延在する、つまり前向き面を有してよく、又は押しボタン２４Ａが後方向に付勢される実施例では本体４０Ａから後方に延在する、つまり後向き面を有してよく、又は押しボタン２４Ａが横方向に付勢される実施例では本体４０Ａから横方向に延在する、つまり横向き面を有してよく、又は対応する実施例では、その組み合わせであってよい。
【００８５】
閉鎖部２２Ａは、押しボタン用凹部２３Ａ内に少なくとも１つのタブ止め２５Ａを含んでよい。図３では単一のタブ止め２５Ａが見えるが、閉鎖部２２Ａは、図１〜図５の実施形態において２つのタブ止め２５Ａを含んでよい。いくつかの実施形態において、タブ止め２５Ａの数は、保持タブ４３Ａの数と等しくてよい。閉鎖部２２Ａのタブ止め２５Ａのそれぞれは、保持タブ４３Ａの対応する１つに係合して、対応するタブ止め２５Ａを越えての保持タブ４３Ａの前方移動を防止するように構成されてよい。したがって、押しボタン２４Ａの保持タブ４３Ａが閉鎖部２２Ａのタブ止め２５Ａの後ろに位置するまで押しボタン２４Ａを押しボタン用凹部２３Ａに挿入した後、前方向はタブ止め２５Ａ、後方向は押しボタン用凹部２３Ａの後端部など１つ以上の他の特徴によって決定された規定の範囲内で、押しボタン２４Ａが閉鎖部２２Ａに対して前後に摺動可能であってよい。
【００８６】
ラッチ４２Ａは、図示するように押しボタン２４Ａが前方向に付勢される実施例では本体４０Ａから前方に延在してよく、又は後方向に付勢される実施例では本体４０Ａから後方に延在してよく、横方向に付勢される実施例では本体４０Ａから横方向に延在してよく、又は対応する実施例では、前方向及び横方向若しくは後方向及び横方向の組み合わせであってよい。
【００８７】
ラッチ４２Ａのそれぞれは、例えば注ぎ口３２Ａにおいて容器頂部２０Ａに選択的に係合するように構成されてよい。例えば、閉鎖部２２Ａが、（図５に示すように）閉止閉鎖部位置にあり、かつ押しボタン２４Ａが、（図５に示すように）第１の押しボタン位置にあるとき、注ぎ口３２Ａは、ラッチ４２Ａのそれぞれに覆いかぶさるように構成されている１つ以上のラッチ止め４４Ａ（図５）を含んでよい。ラッチ止め４４Ａは、注ぎ口３２Ａに形成されたリップ、注ぎ口に形成された肩部、注ぎ口３２Ａに形成されたラッチ用凹部の上面、又は他の好適なラッチ止め４４Ａを含んでよい。更に、押しボタン２４Ａが適切に実装される場合、ラッチ止め４４Ａは、例えば図５に示すように注ぎ口３２Ａの内部に形成されてよく、又は注ぎ口３２Ａの外部に形成されてよい（図５には示さない）。
【００８８】
図５に示すように、押しボタン２４Ａが第１の押しボタン位置にあり、かつ閉鎖部２２Ａが閉止閉鎖部位置にあるとき、ラッチ４２Ａのそれぞれは、ラッチ止め４４Ａの後縁部からラッチ４２Ａのそれぞれの前端部まで測定される係合距離ｄｅだけラッチ止め４４Ａの下方に延在してよい。ラッチ４２Ａは、例えば、ラッチ４２Ａのそれぞれの前端部が第２の押しボタン位置を構成し得るラッチ止め４４Ａの後縁部から離れるまで、ユーザーが係合距離ｄｅを通って後方に押しボタン２４Ａを押すことによって、ラッチ止め４４Ａから係合解除されて、閉鎖部２２Ａが開放閉鎖部位置まで移動できるようにしてよい。押しボタン２４Ａが第２の押しボタン位置にある場合、ラッチ４２Ａ及び注ぎ口３２Ａはほとんど又は全く係合しない。したがって、閉鎖部２２Ａ（及び押しボタン２４Ａ）は、図５の向きの容器の蓋２０Ａに対して時計回りに、蓋開口部３４Ａが開放している開放閉鎖部位置へと回転されてよい。
【００８９】
弾性部材３７Ａは、押しボタン２４Ａが注ぎ口３２Ａに係合する第１の押しボタン位置（図５に示す）に向けて押しボタン２４Ａを付勢するように構成されてよい。弾性部材３７Ａはまた、押しボタン２４Ａが注ぎ口３２Ａを係合解除する第２の押しボタン位置への押しボタン２４Ａの移動に応答して、弾性的に変形するように構成されてよい。
【００９０】
図４Ｂに示すように、弾性部材３７Ａは、付勢部材２９と、蓋開口部シール４６Ａと、を含んでよい。付勢部材２９及び蓋開口部シール４６Ａは、図示するように単一及び／若しくはモノリシック構成要素として一体形成されてよく、又は形成後にそれに続いて連結される別個の構成要素として形成されてよい。
【００９１】
いくつかの実施形態では、弾性部材３７Ａは、蓋開口部シール４６Ａと付勢部材２９とを接合する舌部を備えてよい。代替的に又は追加的に、付勢部材２９は舌部を備えてよい。舌部は、押しボタン２４Ａを第１の押しボタン位置に向けて付勢してよく、第２の押しボタン位置への押しボタンの移動に応答して弾性的に変形してよい。
【００９２】
図３及び図５を参照すると、プラグ２６Ａは、蓋開口部シール４６Ａの少なくとも一部を内部に受容するように概ね構成されているシール受座３１Ａを画定してよい。例えば、シール受座３１Ａは、プラグ２６Ａの周囲に形成された環状チャネルを含んでよく、シール受座３１Ａ又は環状チャネルは、蓋開口部シール４６Ａの内径とほぼ同一の直径を有する。いくつかの実施形態では、シール受座３１Ａの直径は、蓋開口部シール４６Ａの直径よりも若干小さくてよく、蓋開口部シール４６Ａは、シール受座３１Ａ内に設置されたときに、蓋開口部シール４６Ａが伸張されてシール受座３１Ａの周囲にぴったりと収まるように、弾性材料及び／又は伸縮性材料で形成される。他の実施形態では、蓋開口部シール４６Ａは、シール受座３１Ａ内に設置されたときに弛緩し、伸張しなくてよい。
【００９３】
図４Ｂ及び図５を参照すると、付勢部材２９は、前方向に付勢される実施例において、蓋開口部シール４６Ａの前部から後方に延在してよい。代替的に又は追加的に、付勢部材２９は、蓋開口部シール４６Ａから上方に延在してよい。上記のように、付勢部材２９は、舌端部２９Ａ及び舌首部２９Ｃのうちの１つ以上を備える舌部を備えてよい。舌端部２９Ａは、前方向に付勢される実施例において前向き面２９Ｂを含んでよく、舌端部２９Ａよりも狭い舌首部２９Ｃを介して蓋開口部シール４６Ａに連結されてよい。
【００９４】
図４Ａを参照すると、押しボタン２４Ａは、弾性部材３７Ａの付勢部材２９に対して相補的な形状を有し得る舌部用チャネル５０を備えてよい。舌部用チャネル５０は、押しボタン２４Ａの下側に位置してよい。舌部用チャネル５０は、舌端部用空洞５０Ａと、舌首部用空洞５０Ｂと、を含んでよい。図示する実施形態では、舌端部用空洞５０Ａは、内部に付勢部材２９の舌端部２９Ａを受容する寸法であり、そのように構成されていてよく、舌首部用空洞５０Ｂは、内部に舌首部２９Ｃを受容する寸法であり、そのように構成されてよい。舌部用チャネル５０は、前方向に付勢される実施例において、後向き面５０Ｃを更に含んでよい。弾性部材３７Ａの付勢部材２９が押しボタン２４Ａの舌部用チャネル５０内に位置付けられるとき、舌端部２９Ａの前向き面２９Ｂは、押しボタン２４Ａによって画定される舌部用チャネル５０の後向き面５０Ｃに隣接して、及び／又はこれと直接接触して位置付けられてよい。
【００９５】
図５に示すように、容器の蓋１６Ａが組み立てられると、弾性部材３７Ａの蓋開口部シール４６Ａは、プラグ２６Ａのシール受座３１Ａ内に着座してよく、付勢部材２９は、蓋開口部シール４６Ａの前部から押しボタン２４Ａの舌部用チャネル５０の中へと後方に、また任意選択的に上方に延在する。押しボタン２４Ａが第１の押しボタン位置にあるとき、押しボタン２４Ａの舌部用チャネル５０の後向き面５０Ｃは、舌端部２９の前向き面２９Ｂと直接接触していてよい。いくつかの実施形態では、押しボタン２４Ａが第１の押しボタン位置にあるとき、付勢部材２９又は少なくとも舌首部２９Ｃは、少なくとも部分的に後方に伸張されて、押しボタン２４Ａを第１の押しボタン位置に向けて前方向に継続的に付勢してよい。
【００９６】
押しボタン２４Ａ、例えば、押し領域４５Ａに十分な後方力を加えると、付勢部材２９による継続的な前方向付勢力を克服し、押しボタン２４Ａを第２の押しボタン位置に向けて後方に移動させ得る。押しボタン２４Ａが第２の押しボタン位置に向かって後方移動することにより、付勢部材２９、又は少なくとも舌首部２９Ｃが伸張し得る。これは、舌部用チャネル５０の後向き面５０Ｃを付勢部材２９が前向き面２９Ｂに対して付勢すると、押しボタン２４Ａが舌端部２９Ａを後方に移動させるためである。舌首部２９Ｃの前部は、蓋開口部シール４６Ａの前部に連結され、これは次に、プラグ２６Ａのシール受座３１Ａ内に着座し、その結果、押しボタン２４Ａの後方移動は舌端部２９Ａの後方移動２４Ａを引き起こすため、舌首部２９Ｃはその長さに沿って伸張する。
【００９７】
後方力が押しボタン２４Ａから除去されると、付勢部材２９の伸張した舌首部２９Ｃは少なくとも部分的に再圧縮され、付勢部材２９の前向き面２９Ｂが押しボタン２４Ａの舌部用チャネル５０内の後向き面５０Ｃに対して前方向に付勢する際に、押しボタン２４Ａを第１の押しボタン位置に戻すように付勢する。この実施形態及び他の実施形態では、容器の蓋１６Ａは、付勢部材及び蓋開口部シールの両方を別個の構成要素として有する一部の容器の蓋と比較して、部品数及びコストが削減され得る。
【００９８】
プラグ２６Ａは、例えば図示するように、閉鎖部２２Ａと一体形成されてよく、又は閉鎖部２２Ａに連結される別個の構成要素として形成されてよい。代替的に又は追加的に、プラグ２６Ａは、蓋開口部シール４６Ａと一体形成されてよい。ただし、図１〜５では別個の構成要素として示す。
【００９９】
蓋開口部シール４６Ａは、閉鎖部２２Ａが閉止閉鎖部位置にあるときに注ぎ口３２Ａの蓋開口部３４Ａを封止するように構成されてよい。蓋開口部シール４６Ａとしては、図１〜図５、図１４〜図２１Ｂ、及び図２２〜図３１の実施形態でのようなＯリングガスケット、図１０〜図１３の実施形態でのようなオーバーサイズの弾性環状プラグ突起部、図６〜図９の実施形態でのような逆ドーム型弾性シール、又は他の好適な蓋開口部シールが挙げられてよい。
【０１００】
蓋開口部３４Ａが閉鎖部２２Ａによって閉止されているとき、蓋開口部シール４６Ａと蓋開口部３４Ａとの封止は十分に緊密であって、容器１０Ａから流体又は他の内容物が意図せず漏出しないようにし得るが、比較的緩やかな開放力の下で、閉止閉鎖部位置にある閉鎖部２２Ａをそれ自体で保持するほど緊密ではない。代わりに、ラッチ４２Ａはラッチ止め４４Ａと協働して、押しボタン２４Ａが第１の押しボタン位置にあるときに閉鎖部２２Ａを閉止閉鎖部位置に保持してよい。
【０１０１】
図６は、本明細書に記載する少なくとも１つの実施形態に従って配置された、別の例示の容器１０Ｂの上面斜視図である。図６に示すように、容器１０Ｂは、容器本体１８Ｂと、容器の蓋１６Ｂと、を含んでよい。容器本体１８Ｂは、１種以上の液体、固体、又は他の内容物を保持し、及び／又は格納する寸法及び形状であってよい。
【０１０２】
容器の蓋１６Ｂは容器本体１８Ｂと協働して、容器本体１８Ｂ内の液体など内容物を保護し得る。容器の蓋１６Ｂは容器本体１８Ｂから完全に取り外されて、容器本体１８Ｂの頂部開口部（図６では見えない）を露出させてよく、この頂部開口部を通って容器本体１８Ｂの内部にアクセスして、例えば、内容物を容器１０Ｂに追加し得る、容器１０Ｂから内容物を取り出しし得る、容器本体１８Ｂの内部を洗浄し得る、又はそれ以外で容器本体１８Ｂの内部にアクセスし得る。
【０１０３】
容器の蓋１６Ｂは、比較的小さい、例えば、容器本体１８Ｂの頂部開口部よりも小さい蓋開口部（例えば、図８を参照）を画定し得、この蓋開口部を通って容器本体１８Ｂの内部にアクセスし得る。例えば、ユーザーは、容器の蓋１６Ｂの蓋開口部を通って容器１０Ｂの内容物を消費し得る、蓋開口部を通って粉末状のドリンク混合物を容器１０Ｂ内に分配し得る、又はそれ以外で容器の蓋１６Ｂの蓋開口部を通って容器本体１８Ｂの内部にアクセスし得る。
【０１０４】
容器の蓋１６Ｂは、容器本体１８Ｂに選択的に結合されてよい。例えば、容器の蓋１６Ｂは、容器の蓋１６Ｂを螺入する、スナップ嵌めする、ねじる、摺動する、又はねじ込むことによって容器本体１８Ｂに選択的に結合されてよい。例えば、容器本体１８Ｂの上部は、１つ以上の雄ねじ山又は雌ねじ山を含んでよく、容器の蓋１６Ｂの下部は、１つ以上の対応するねじ山を含んでよい。ねじ山は、容器の蓋１６Ｂが容器本体１８Ｂに選択的に結合され得るように嵌合してよい。容器の蓋１６Ｂの容器本体１８Ｂへのねじ結合は、確実なシール、気密シール、水密シール、及び／又は漏れ止めシールを形成してよい。ねじ結合では、容器本体１８Ｂと容器の蓋１６Ｂとを確実に結合するために、複数の巻、又は単一の巻、又はそれよりも少ない巻が必要であり得る。より一般的には、容器本体１８Ｂ及び容器の蓋１６Ｂは、任意の好適な巻数で結合されてよい。容器本体１８Ｂ及び容器の蓋１６Ｂはまた、例えば、容器の用途に応じて、他の好適な種類の結合及び構造を使用して結合されてよい。
【０１０５】
図７は、本明細書に記載する少なくとも１つの実施形態に従って配置された、図６の容器の蓋１６Ｂの上面斜視図である。図８は、本明細書に記載する少なくとも１つの実施形態に従って配置された、図６及び図７の容器の蓋１６Ｂの分解上面斜視図である。図７及び図８に示すように、容器の蓋１６Ｂは、容器頂部２０Ｂと、閉鎖部２２Ｂと、押しボタン２４Ｂと、プラグ２６Ｂ（例えば、図９を参照）と、を含んでよい。代替的に又は追加的に、容器の蓋１６Ｂは、容器頂部２０Ｂに対して回転するように構成され得るハンドル、つまりキャリーループ２７Ｂを含んでよい。キャリーループ２７Ｂは、閉鎖部２２Ｂとは独立して回転するように構成されてよい。あるいは、キャリーループ２７Ｂは、閉鎖部２２Ｂと共に回転するように構成されてよい。
【０１０６】
容器頂部２０Ｂは、端壁２８Ｂ、スカート３０Ｂ、注ぎ口３２Ｂ、及び／又は１つ以上の枢動ポスト３３Ｂを含んでよい。スカート３０Ｂは、概して端壁２８Ｂから下方に延在してよく、容器本体１８Ｂの頂部に嵌合係合するように構成されてよい。この実施形態及び他の実施形態では、スカート３０Ｂは、その内面又は外面に１つ以上の容器係合部材を含んで、容器頂部２０Ｂを容器本体１８Ｂに選択的に固定してよい。例えば、スカート３０Ｂは、（図９でのように）雌ねじ山、雄ねじ山、バヨネットマウント、又は１つ以上の対応するねじ山、バヨネットマウント、若しくは容器本体１８Ｂの上外面若しくは上内面上に形成された他の蓋係合部材と嵌合係合するように構成されている他の容器係合部材を含んで、容器頂部２０Ｂを容器本体１８Ｂに固定してよい。
【０１０７】
注ぎ口３２Ｂは、端壁２８Ｂから上方に延在してよい。１つ以上の蓋開口部３４Ｂは、注ぎ口３２Ｂを貫通してよい。いくつかの実施形態では、注ぎ口３２Ｂは、１つ以上の開口部を画定してよい。一例として、単一の概ね円形の蓋開口部３４Ｂを図８に示す。他の実施形態では、注ぎ口３２Ｂは、任意の好適な寸法及び／又は形状の２つ以上の開口部を画定してよい。容器の蓋１６Ｂが容器本体１８Ｂに連結され、閉鎖部２２Ｂが開放閉鎖部位置に移動されると、ユーザーは、蓋開口部３４Ｂを通って容器１０Ｂから内容物を消費し得る、ないしは別の方法で取り出し得る。代替的に又は追加的に、ユーザーは、蓋開口部３４Ｂを通って容器１０Ｂに内容物を追加し得る。
【０１０８】
閉鎖部２２Ｂは、容器頂部２０Ｂに枢動可能に連結されてよく、蓋開口部３４Ｂを選択的に覆うように構成されてよい。例えば、閉鎖部２２Ｂは、蓋開口部３４Ｂが開放されている開放閉鎖部位置と、（図７に示すように）蓋開口部３４Ｂが閉止されている閉止閉鎖部位置との間で回転可能であってよい。
【０１０９】
閉鎖部２２Ｂは、枢動ポスト３３Ｂ及び面取り心棒５２を介して容器頂部２０Ｂに枢動可能に連結されてよく、これらは、閉鎖部２２Ｂの回転軸を画定し得る。図示する実施形態では、枢動ポスト３３Ｂのそれぞれは、面取り心棒５２のうちの対応する１つの外向き面取り面と相互作用して、面取り心棒５２を回転軸の周りで回転させながら互いに向けて又は互いから離れる方向に面取り心棒５２を並進させる内向き面取り面を含む。
【０１１０】
面取り心棒５２のそれぞれは、押しボタン２４Ｂの両側の、２つの閉鎖部心棒開口部５４（図８では１つのみが見える）のうちの対応する１つの内部に画定される、２つの押しボタン心棒開口部３５（図８では１つのみが見える）のうちの対応する１つの内部に受容されるように構成されてよい。押しボタン心棒開口部３５及び閉鎖部心棒開口部５４の一方又は両方の断面形状は、面取り心棒５２の断面形状に対して相補的であってよい。したがって、回転軸を中心とした押しボタン２４Ｂ及び／又は閉鎖部２２Ｂの回転はまた、回転軸を中心とした面取り心棒５２の回転を生じさせ得、逆もまた同様である。
【０１１１】
面取り心棒５２のそれぞれは、付勢部材５８の対向する端部の対応する一方を受容するように構成されている付勢部材用開口部５６（図８では１つのみが見える）を含んでよい。付勢部材５８は、２つの面取り心棒５２が、枢動ポスト３３Ｂの面取り面と面取り心棒５２の面取り面との相互作用によって許容される最も広い距離だけ分離される場合であっても、２つの面取り心棒５２の間で若干圧縮される付勢ばねを含んでよい。枢動ポスト３３Ｂの面取り面、及び面取り心棒５２の面取り面は、閉鎖部２２Ｂが閉止閉鎖部位置へと回転されると、面取り心棒５２が共に近づき、閉鎖部２２Ｂが開放閉鎖部位置に向けて回転されるにつれて互いから次第に離れるように配置されてよい。
【０１１２】
付勢部材５８は、枢動ポスト３３Ｂの面取り面及び面取り心棒５２の面取り面と共に、面取り心棒５２を回転位置に向けて回転付勢してよく、この回転付勢では、互いから更に離れて、任意の反作用力によって妨げられない場合、互いから更に離れる回転位置に向けて面取り心棒５２を付勢してよい。面取り心棒５２が互いから更に離れている回転位置が、閉鎖部２２Ｂの開放閉鎖部位置に対応し得、かつ面取り心棒５２が互いに接近する回転位置が、閉鎖部２２Ｂの閉止閉鎖部位置に対応し得る限りにおいて、付勢部材５８は、枢動ポスト３３Ｂの面取り面及び面取り心棒５２の面取り面と共に、閉鎖部２２Ｂを開放閉鎖部位置に向けて回転付勢してよい。例えば、押しボタン２４Ｂが操作されて、ラッチ４２Ｂを注ぎ口３２Ｂから係合解除すると、付勢部材５８は、枢動ポスト３３Ｂの面取り面及び面取り心棒５２の面取り面と共に、閉鎖部２２Ｂを第１の閉鎖部位置から第２の閉鎖部位置に向けて自動的にフリップ開放させてよい。ユーザーは、閉鎖部２２Ｂ及び／又は押しボタン２４Ｂに適切な力を加えて、かかる付勢力を克服し、閉鎖部２２Ｂ及び押しボタン２４Ｂを第１の閉鎖部位置へと戻し、ラッチ４２Ｂは注ぎ口３２Ｂに再係合して、閉鎖部２２Ｂを第１の閉鎖部位置に保持することができる。
【０１１３】
押しボタン心棒開口部３５のそれぞれは、対応する面取り心棒５２に対して少なくとも１つの寸法でオーバーサイズであり得、面取り心棒５２、摺動ポスト３３Ｂ、したがって注ぎ口３４Ｂに対する押しボタン２４Ｂの摺動又は他の並進運動を可能にして、ラッチ４２Ｂによる注ぎ口３２Ｂの係合及び係合解除を可能にする。
【０１１４】
押しボタン２４Ｂは、閉鎖部２２Ｂに摺動可能に連結されてよく、注ぎ口３２Ｂ又は容器頂部２０Ｂの他の部分に選択的に係合して、閉鎖部２２Ｂを閉止閉鎖部位置に選択的に保持するように構成されてよい。これら及び他の実施形態では、容器の蓋１６Ｂは、ボタン２４Ｂが、例えば注ぎ口３２Ｂにおいて容器頂部２０Ｂに係合し得る、第１の押しボタン位置に向けて押しボタン２４Ｂを付勢し、押しボタン２４Ｂが容器頂部２０Ｂから係合解除される第２の押しボタン位置への押しボタン２４Ｂの移動に応答して弾性的に変形するように構成されていている付勢部材３７Ｂを含んでよい。付勢部材３７Ｂは、それによって押しボタン２４Ｂを前方向に付勢してよく、例えば、押しボタン２４Ｂは、付勢部材３７Ｂによって前方向に付勢されてよい。他の実施形態では、押しボタン２４Ｂは付勢部材３７Ｂによって後方向に付勢されてよい。
【０１１５】
図８に示すように、閉鎖部２２Ｂは押しボタン用凹部２３Ｂを有してよい。図７及び図８を合わせて参照すると、押しボタン２４Ｂは、押しボタン用凹部２３Ｂ内に少なくとも部分的に配設されてよい。図示する実施形態では、押しボタン２４Ｂの上部及び後部は、覆われておらず、露出されてよい。いくつかの実施形態では、押しボタン２４Ｂは、枢動ポスト３３Ｂに連結されてよく、閉鎖部２２Ｂはまた、枢動ポスト３３Ｂに連結されて、例えば図１〜図５の実施形態でのように、保持タブを含むのではなく、閉鎖部２２Ｂに対して適所（又は位置範囲内）に維持され得る。
【０１１６】
図９は、本明細書に記載する少なくとも１つの実施形態に従って配置された、図７の切断面９−９に沿った図６及び図７の容器の蓋１６Ｂの断面図である。図６〜図９を合わせて参照すると、押しボタン２４Ｂは、本体４０Ｂと、１つ以上のラッチ４２Ｂと、を含んでよい。押しボタン２４Ｂは、例えば、図８に示すように１つのラッチ４２Ｂ、又は２つ以上のラッチ４２Ｂを含んでよい。代替的に又は追加的に、押しボタン２４Ｂは、他の箇所に記載するような保持タブを含んでよい。
【０１１７】
ラッチ４２Ｂは、図示するように押しボタン２４Ｂが前方向に付勢される実施例では本体４０Ｂから前方に延在してよく、後方向に付勢される実施例では本体４０Ｂから後方に延在してよく、横方向に付勢される実施例では本体４０Ｂから横方向に延在してよく、又は対応する実施例では、前方向及び横方向若しくは後方向及び横方向の組み合わせであってよい。
【０１１８】
ラッチ４２Ｂは、例えば注ぎ口３２Ｂにおいて容器頂部２０Ｂに選択的に係合するように構成されてよい。例えば、閉鎖部２２Ｂが、（図９に示すように）閉止閉鎖部位置にあり、かつ押しボタン２４Ｂが、（図９に示すように）第１の押しボタン位置にあるとき、注ぎ口３２Ｂは、ラッチ４２Ｂのそれぞれに覆いかぶさるように構成されている１つ以上のラッチ止め４４Ｂ（図９）を含んでよい。ラッチ止め４４Ｂは、注ぎ口３２Ｂに形成されたリップ、注ぎ口に形成された肩部、注ぎ口３２Ｂに形成されたラッチ用凹部の上面、又は他の好適なラッチ止め４４Ｂを含んでよい。更に、押しボタン２４Ｂが適切に実装される場合、ラッチ止め４４Ｂは、例えば図９に示すように注ぎ口３２Ａの外部に形成されてよく、又は注ぎ口３２Ｂの内部に形成されてよい（図９には示さない）。例えば図９に示すように、注ぎ口３２Ｂの後外部にラッチ止め４４Ｂを実装することにより、図５の注ぎ口３２Ａの内部に実装された図５のラッチ止め４４Ａと比較して、ラッチ止め４４Ｂに材料が蓄積する可能性を低減することができる。
【０１１９】
図９に示すように、押しボタン２４Ｂが第１の押しボタン位置にあり、かつ閉鎖部２２Ｂが閉止閉鎖部位置にあるとき、ラッチ４２Ｂは、ラッチ止め４４Ｂの後縁部からラッチ４２Ｂの前端部まで測定される係合距離ｄｅだけラッチ止め４４Ａの下方に延在してよい。ラッチ４２Ｂは、例えば、ラッチ４２Ｂの前端部が第２の押しボタン位置を構成し得るラッチ止め４４Ｂの後縁部から離れるまで、ユーザーが係合距離ｄｅを通って後方に押しボタン２４Ｂを押すことによって、ラッチ止め４４Ｂから係合解除されて、閉鎖部２２Ｂが開放閉鎖部位置まで移動できるようにしてよい。押しボタン２４Ｂが第２の押しボタン位置にある場合、ラッチ４２Ｂ及び注ぎ口３２Ｂはほとんど又は全く係合しない。したがって、閉鎖部２２Ｂ（及び押しボタン２４Ｂ）は、図９の向きの容器の蓋２０Ｂに対して時計回りに、蓋開口部３４Ｂが開放している開放閉鎖部位置へと回転されてよい。
【０１２０】
図８及び図９に示すように、付勢部材３７Ｂは、空洞４８Ｂ内に位置付けられている付勢ばねを含んでよい。空洞４８Ｂの前部は、押しボタン２４Ｂによって画定され、空洞４８Ｂの後部は、閉鎖部２２Ｂによって画定される。付勢部材３７Ｂは、押しボタン２４Ｂと閉鎖部２２Ｂとの間の空洞４８Ｂ内で若干圧縮されて、押しボタン２４Ｂを第１の押しボタン位置に向けて前方向に継続的に付勢してよい。押しボタン２４Ｂ、例えば押しボタン２４Ｂの押し領域４５Ｂに十分な後方力を加えると、押しボタン２４Ｂを第２の押しボタン位置に向けて後方に移動させ、押しボタン２４Ｂによる付勢部材３７Ｂの圧縮をもたらしてよい。後方力が押しボタン２４Ｂから除去されると、圧縮された付勢部材３７Ｂは、少なくとも部分的に圧縮解除され、押しボタン２４Ｂを付勢して第１の押しボタン位置に戻してよい。
【０１２１】
プラグ２６Ｂは、閉鎖部２２Ｂと一体形成されてよく、又は、例えば図示するように、閉鎖部２２Ａに連結される別個の構成要素として形成されてよい。プラグ２６Ｂは、閉鎖部２２Ｂが閉止閉鎖部位置にあるときに注ぎ口３２Ｂの蓋開口部３４Ａを封止するように構成されている蓋開口部シール４６Ｂを更に含んでよい。蓋開口部シール４６Ｂは、プラグ２６Ｂと一体形成されてよく、又は図示するように、プラグ２６Ｂに連結される別個の構成要素として形成されてよい。蓋開口部シール４６Ｂとしては、図６〜図９の実施形態でのような逆ドーム型シール、図１〜図５、図１４〜図２１Ｂ、及び図２２〜図３１の実施形態でのようなＯリングガスケット、並びに図１０〜図１３の実施形態でのようなオーバーサイズの弾性環状プラグ突起部、又は他の好適な蓋開口部シールが挙げられてよい。
【０１２２】
蓋開口部３４Ｂが閉鎖部２２Ｂによって閉止されているとき、蓋開口部シール４６Ｂと蓋開口部３４Ｂとの封止は十分に緊密であって、容器１０Ｂから流体又は他の内容物が意図せず漏出しないようにし得るが、比較的緩やかな開放力の下で、閉止閉鎖部位置にある閉鎖部２２Ｂをそれ自体で保持するほど緊密ではない。代わりに、ラッチ４２Ｂはラッチ止め４４Ｂと協働して、押しボタン２４Ｂが第１の押しボタン位置にあるときに閉鎖部２２Ｂを閉止閉鎖部位置に保持してよい。
【０１２３】
図１０は、本明細書に記載する少なくとも１つの実施形態に従って配置された、別の例示の容器１０Ｃの上面斜視図である。図１０に示すように、容器１０Ｃは、容器本体１８Ｃと、容器の蓋１６Ｃと、を含んでよい。容器本体１８Ｃは、本明細書において一般に内容物と称する１種以上の液体及び／又は固体を保持し、及び／又は格納する寸法及び形状であってよい。
【０１２４】
容器の蓋１６Ｃは容器本体１８Ｃと協働して、容器本体１８Ｃ内の液体など内容物を保護し得る。容器の蓋１６Ｃは容器本体１８Ｃから完全に取り外されて、容器本体１８Ｃの頂部開口部（図１０では見えない）を露出させてよく、この頂部開口部を通って容器本体１８Ｃの内部にアクセスして、例えば、内容物を容器１０Ｃに追加し得る、容器１０Ｃから内容物を取り出しし得る、容器本体１８Ｃの内部を洗浄し得る、又はそれ以外で容器本体１８Ｃの内部にアクセスし得る。
【０１２５】
容器の蓋１６Ｃは、比較的小さい、例えば、容器本体１８Ｃの頂部開口部よりも小さい蓋開口部（例えば、図１２を参照）を画定し得、この蓋開口部を通って容器本体１８Ｃの内部にアクセスし得る。例えば、ユーザーは、容器の蓋１６Ｃの蓋開口部を通って容器１０Ｃの内容物を消費し得る、蓋開口部を通って粉末状のドリンク混合物を容器１０Ｃ内に分配し得る、又はそれ以外で容器の蓋１６Ｃの蓋開口部を通って容器本体１８Ｃの内部にアクセスし得る。
【０１２６】
容器の蓋１６Ｃは、容器本体１８Ｃに選択的に結合されてよい。例えば、容器の蓋１６Ｃは、容器の蓋１６Ｃを螺入する、スナップ嵌めする、ねじる、摺動する、又はねじ込むことによって容器本体１８Ｃに選択的に結合されてよい。例えば、容器本体１８Ｃの上部は、１つ以上の雄ねじ山又は雌ねじ山を含んでよく、容器の蓋１６Ｃの下部は、１つ以上の対応するねじ山を含んでよい。ねじ山は、容器の蓋１６Ｃが容器本体１８Ｃに選択的に結合され得るように嵌合してよい。容器の蓋１６Ｃの容器本体１８Ｃへのねじ結合は、確実なシール、気密シール、水密シール、及び／又は漏れ止めシールを形成してよい。ねじ結合では、容器本体１８Ｃと容器の蓋１６Ｃとを確実に結合するために、複数の巻、又は単一の巻、又はそれよりも少ない巻が必要であり得る。より一般的には、容器本体１８Ｃ及び容器の蓋１６Ｃは、任意の好適な巻数で結合されてよい。容器本体１８Ｃ及び容器の蓋１６Ｃはまた、例えば、容器の用途に応じて、他の好適な種類の結合及び構造を使用して結合されてよい。
【０１２７】
図１１は、本明細書に記載する少なくとも１つの実施形態に従って配置された、図１０の容器の蓋１６Ｃの上面斜視図である。図１２は、本明細書に記載する少なくとも１つの実施形態に従って配置された、図１０及び図１１の容器の蓋１６Ｂの分解上面斜視図である。図１３は、本明細書に記載する少なくとも１つの実施形態に従って配置された、図１１の切断面１３−１３に沿った図１０及び図１１の容器の蓋１６Ｃの断面図である。図１１〜図１３に示すように、容器の蓋１６Ｃは、容器頂部２０Ｃと、閉鎖部２２Ｃと、押しボタン２４Ｃと、プラグ２６Ｃ（例えば、図１３を参照）と、を含んでよい。代替的に又は追加的に、容器の蓋１６Ｃは、容器頂部２０Ｃに対して回転するように構成され得るハンドル、つまりキャリーループ２７Ｃを含んでよい。キャリーループ２７Ｃは、閉鎖部２２Ｃとは独立して回転するように構成されてよい。あるいは、キャリーループ２７Ｃは、閉鎖部２２Ｃと共に回転するように構成されてよい。
【０１２８】
容器頂部２０Ｃは、端壁２８Ｃ、スカート３０Ｃ、注ぎ口３２Ｃ、及び／又は１つ以上の枢動ポスト３３Ｃを含んでよい。スカート３０Ｃは、概して端壁２８Ｃから下方に延在してよく、容器本体１８Ｃの頂部に嵌合係合するように構成されてよい。この実施形態及び他の実施形態では、スカート３０Ｃは、その内面又は外面に１つ以上の容器係合部材を含んで、容器頂部２０Ｃを容器本体１８Ｃに選択的に固定してよい。例えば、スカート３０Ｃは、（図１３でのように）雌ねじ山、雄ねじ山、バヨネットマウント、又は１つ以上の対応するねじ山、バヨネットマウント、若しくは容器本体１８Ｃの上外面若しくは上内面上に形成された他の蓋係合部材と嵌合係合するように構成されている他の容器係合部材を含んで、容器頂部２０Ｃを容器本体１８Ｃに固定してよい。
【０１２９】
注ぎ口３２Ｃは、端壁２８Ｃから上方に延在してよい。１つ以上の蓋開口部３４Ｃは、注ぎ口３２Ｃを貫通してよい。いくつかの実施形態では、注ぎ口３２Ｃは、１つ以上の蓋開口部を画定してよい。一例として、単一の概ね円形の蓋開口部３４Ｃを図１２に示す。他の実施形態では、注ぎ口３２Ｃは、任意の好適な寸法及び／又は形状の２つ以上の開口部を画定してよい。容器の蓋１６Ｃが容器本体１８Ｃに連結され、閉鎖部２２Ｃが開放閉鎖部位置に移動されると、ユーザーは、蓋開口部３４Ｃを通って容器１０Ｃから内容物を消費し得る、ないしは別の方法で取り出し得る。代替的に又は追加的に、ユーザーは、蓋開口部３４Ｃを通って容器１０Ｃに内容物を追加し得る。
【０１３０】
閉鎖部２２Ｃは、容器頂部２０Ｃに枢動可能に連結されてよく、蓋開口部３４Ｃを選択的に覆うように構成されてよい。例えば、閉鎖部２２Ｃは、蓋開口部３４Ｃが開放されている開放閉鎖部位置と、（図１１に示すように）蓋開口部３４Ｃが閉止されている閉止閉鎖部位置との間で回転可能であってよい。
【０１３１】
閉鎖部２２Ｃは、枢動ポスト３３Ｃを介して容器頂部２０Ｃに枢動可能に連結されてよく、枢動ポスト３３Ｃは、閉鎖部２２Ｃの回転軸を画定し得る。図示の実施形態では、枢動ポスト３３Ｃのそれぞれは、キャリーループ２７Ｃの突起部３９を受容するように構成されている開口部３６Ｃ（図１２では１つのみが見える）を画定する。キャリーループ２７Ｃは、閉鎖部２２Ｃの対応する突起部３８Ｃ（図１２では１つのみが見える）を受容するように構成されている開口部４１（図１２では１つのみが見える）を画定してよい。閉鎖部２２Ｃ及び／又はキャリーループ２７Ｃが容器頂部２０Ｃに対して、及び／又は互いに対して回転できるようにする操作の間、閉鎖部２２Ｃの突起部３８Ｃは、キャリーループ２７Ｃの開口部４１内に保持され、キャリーループ２７Ｃの突起部３９は、枢動ポスト３３Ｃの開口部３６Ｃ内に保持される。
【０１３２】
押しボタン２４Ｃは、閉鎖部２２Ｃに摺動可能に連結されてよく、注ぎ口３２Ｃ又は容器頂部２０Ｃの他の部分に選択的に係合して、閉鎖部２２Ｃを閉止閉鎖部位置に選択的に保持するように構成されてよい。これら及び他の実施形態では、容器の蓋１６Ｃは、押しボタン２４Ｃが、例えば注ぎ口３２Ｂにおいて容器頂部２０Ｃに係合し得る、第１の押しボタン位置に向けて押しボタン２４Ｃを付勢し、押しボタン２４Ｃが容器頂部２０Ｃから係合解除される第２の押しボタン位置への押しボタン２４Ｃの移動に応答して弾性的に変形するように構成されていている付勢部材３７Ｃを含んでよい。付勢部材３７Ｃは、それによって押しボタン２４Ｃを前方向に付勢してよく、例えば、押しボタン２４Ｃは、付勢部材３７Ｃによって前方向に付勢されてよい。他の実施形態では、押しボタン２４Ｃは付勢部材３７Ｃによって後方向に付勢されてよい。
【０１３３】
図１２に示すように、閉鎖部２２Ｃは押しボタン用凹部２３Ｃを有してよい。図１１〜図１３を合わせて参照すると、押しボタン２４Ｃは、実質的に押しボタン用凹部２３Ｃ内に配設されてよく、閉鎖部２２Ｃによって実質的に包囲されてよい。例えば、押しボタン２４Ｃの大部分は、例えば、図１１及び図１３に示すように、閉鎖部２２Ｃによって覆われてもよく、及び／又は閉鎖部２２Ｃ内に封入されてよい。
【０１３４】
押しボタン２４Ｃは、本体４０Ｃ、１つ以上のラッチ４２Ｃ、及び／又は１つ以上の保持タブ４３Ｃ（図１２では１つのみが見える）を含んでよい。押しボタン２４Ｃは、例えば図１２に示すように、１つのラッチ４２Ｃと、２つの保持タブ４３Ｃと、を含んでよく、保持タブ４３Ｃは本体４０Ｃの両側から外側に延出する。あるいは、押しボタン２４Ｃは、２つ以上のラッチ４２Ｃ、単一の保持タブ４３Ｃ、又は３つ以上の保持タブ４３Ｃを含んでよい。
【０１３５】
保持タブ４３Ｃは、閉鎖部２２Ｃの押しボタン用凹部２３Ｃ内に押しボタン２４Ｃを保持するように構成されてよい。保持タブ４３Ｃのそれぞれは、概して本体４０Ｃから外側に延出してよい。加えて、保持タブ４３Ｃのそれぞれは、図示のように押しボタン２４Ｃが前方向に付勢される実施例では本体４０Ｃから前方に延在する、つまり前向き面を有してよく、又は押しボタン２４Ｃが後方向に付勢される実施例では本体４０Ｃから後方に延在する、つまり後向き面を有してよく、又は押しボタン２４Ｃが横方向に付勢される実施例では本体４０Ｃから横方向に延在する、つまり横向き面を有してよく、又は対応する実装では、その組み合わせであってよい。
【０１３６】
閉鎖部２２Ｃは、押しボタン用凹部２３Ｃ内に少なくとも１つのタブ止め２５Ｃを含んでよい。図１２では単一のタブ止め２５Ｃが見えるが、閉鎖部２２Ｃは、図１０〜図１３の実施形態では２つのタブ止め２５Ｃを含んでよい。いくつかの実施形態では、タブ止め２５Ｃの数は、保持タブ４３Ｃの数と等しくてよい。閉鎖部２２Ｃのタブ止め２５Ｃのそれぞれは、保持タブ４３Ｃの対応する１つに係合して、対応するタブ止め２５Ｃを越えての保持タブ４３Ｃの前方移動を防止するように構成されてよい。したがって、押しボタン２４Ｃの保持タブ４３Ｃが閉鎖部２２Ｃのタブ止め２５Ｃの後ろに位置するまで押しボタン２４Ｃを押しボタン用凹部２３Ｃに挿入した後、前方向はタブ止め２５Ｃ、後方向は押しボタン用凹部２３Ｃの後端部など１つ以上の他の特徴によって決定された規定範囲内で、押しボタン２４Ｃが閉鎖部２２Ｃに対して前後に摺動することができてよい。
【０１３７】
ラッチ４２Ｃは、図示するように押しボタン２４Ｃが前方向に付勢される実施例では本体４０Ｃから前方に延在してよく、後方向に付勢される実施例では本体４０Ｃから後方に延在してよく、横方向に付勢される実施例では本体４０Ｃから横方向に延在してよく、又は対応する実施例では、前方向及び横方向若しくは後方向及び横方向の組み合わせであってよい。
【０１３８】
ラッチ４２Ｃは、例えば注ぎ口３２Ｃにおいて容器頂部２０Ｃに選択的に係合するように構成されてよい。例えば、閉鎖部２２Ｃが、（図１３に示すように）閉止閉鎖部位置にあり、かつ押しボタン２４Ｃが、（図１３に示すように）第１の押しボタン位置にあるとき、注ぎ口３２Ｃは、ラッチ４２Ｃのそれぞれに覆いかぶさるように構成されている１つ以上のラッチ止め４４Ｃ（図１３）を含んでよい。ラッチ止め４４Ｃは、注ぎ口３２Ｃに形成されたリップ、注ぎ口に形成された肩部、注ぎ口３２Ｃに形成されたラッチ用凹部の上面、又は他の好適なラッチ止め４４Ｃを含んでよい。更に、押しボタン２４Ｃが適切に実装される場合、ラッチ止め４４Ｃは、例えば図１３に示すように注ぎ口３２Ｃの内部に形成されてよく、又は注ぎ口３２Ｃの外部に形成されてよい（図１３には示さない）。
【０１３９】
図１３に示すように、押しボタン２４Ｃが第１の押しボタン位置にあり、かつ閉鎖部２２Ｃが閉止閉鎖部位置にあるとき、ラッチ４２Ｃは、ラッチ止め４４Ｃの後縁部からラッチ４２Ｃの前端部まで測定される係合距離ｄｅだけラッチ止め４４Ｃの下方に延在してよい。ラッチ４２Ｃは、例えば、ラッチ４２Ｃの前端部が第２の押しボタン位置を構成し得るラッチ止め４４Ｃの後縁部から離れるまで、ユーザーが係合距離ｄｅを通って後方に押しボタン２４Ｃを押すことによって、ラッチ止め４４Ｃから係合解除されて、閉鎖部２２Ｃが開放閉鎖部位置まで移動できるようにしてよい。押しボタン２４Ｃが第２の押しボタン位置にある場合、ラッチ４２Ｃ及び注ぎ口３２Ｃはほとんど又は全く係合しない。したがって、閉鎖部２２Ｃ（及び押しボタン２４Ｃ）は、図１３の向きの容器の蓋２０Ｃに対して時計回りに、蓋開口部３４Ｃが開放している開放閉鎖部位置へと回転されてよい。
【０１４０】
図１２及び図１３に示すように、付勢部材３７Ｃは、空洞４８Ｃ内に位置付けられている付勢ばねを含んでよい。空洞４８Ｃの前部は、押しボタン２４Ｃによって画定されてよく、空洞４８Ｃの後部は、閉鎖部２２Ｃによって画定されてよい。付勢部材３７Ｃは、押しボタン２４Ｃと閉鎖部２２Ｃとの間の空洞４８Ｃ内で若干圧縮されて、押しボタン２４Ｃを第１の押しボタン位置に向けて前方向に継続的に付勢してよい。押しボタン２４Ｃ、例えば押し領域４５Ｃに十分な後方力を加えると、押しボタン２４Ｃを第２の押しボタン位置に向けて後方に移動させ、押しボタン２４Ｃによる付勢部材３７Ｃの圧縮をもたらしてよい。後方力が押しボタン２４Ｃから除去されると、圧縮された付勢部材３７Ｃは、少なくとも部分的に圧縮解除され、押しボタン２４Ｃを付勢して第１の押しボタン位置に戻してよい。
【０１４１】
プラグ２６Ｃは、例えば図示するように、閉鎖部２２Ｃと一体形成されてよく、又は閉鎖部２２Ｃに連結される別個の構成要素として形成されてよい。プラグ２６Ｃは、閉鎖部２２Ｃが閉止閉鎖部位置にあるときに注ぎ口３２Ｃの蓋開口部３４Ｃを封止するように構成されている蓋開口部シール４６Ｃを更に含んでよい。蓋開口部シール４６Ｃは、プラグ２６Ｃと一体形成されてよく、又は図示するように、プラグ２６Ｃに連結される別個の構成要素として形成されてよい。蓋開口部シール４６Ｃは、図示するように、オーバーサイズの弾性環状プラグ突起部を含んでよい。この実施形態及び他の実施形態では、蓋開口部シール４６Ｃのオーバーサイズの環状プラグ突起部は、蓋開口部３４Ｃの直径よりも大きい非圧縮直径を有してよい。オーバーサイズの環状プラグ突起部は、少なくとも部分的に圧縮されて蓋開口部３４Ｃ内に嵌合してシールを形成してよい。あるいは、蓋開口部シール４６Ｃとしては、図１〜図５、図１４〜図２１Ｂ、及び図２２〜図３１の実施形態でのようなＯリングガスケット、図６〜図９の実施形態でのような逆ドーム型弾性シール、又は他の好適な蓋開口部シールが挙げられてよい。
【０１４２】
蓋開口部３４Ｃが閉鎖部２２Ｃによって閉止されているとき、蓋開口部シール４６Ｃと蓋開口部３４Ｃとの封止は十分に緊密であって、容器１０Ｃから流体又は他の内容物が意図せず漏出しないようにし得るが、比較的緩やかな開放力の下で、閉止閉鎖部位置にある閉鎖部２２Ｃをそれ自体で保持するほど緊密ではない。代わりに、ラッチ４２Ｃはラッチ止め４４Ｃと協働して、押しボタン２４Ｃが第１の押しボタン位置にあるときに閉鎖部２２Ｃを閉止閉鎖部位置に保持してよい。
【０１４３】
図１４は、本明細書に記載する少なくとも１つの実施形態に従って配置された、別の例示の容器１０Ｄの上面斜視図である。図１４に示すように、容器１０Ｄは、容器本体１８Ｄと、容器の蓋１６Ｄと、を含んでよい。容器本体１８Ｄは、本明細書において一般に内容物と称する１種以上の液体及び／又は固体を保持し、及び／又は格納する寸法及び形状であってよい。
【０１４４】
容器の蓋１６Ｄは容器本体１８Ｄと協働して、容器本体１８Ｄ内の液体など内容物を保護し得る。容器の蓋１６Ｄは容器本体１８Ｄから完全に取り外されて、容器本体１８Ｄの頂部開口部（図１４では見えない）を露出させてよく、この頂部開口部を通って容器本体１８Ｄの内部にアクセスして、例えば、内容物を容器１０Ｄに追加し得る、容器１０Ｄから内容物を取り出しし得る、容器本体１８Ｄの内部を洗浄し得る、又はそれ以外で容器本体１８Ｄの内部にアクセスし得る。
【０１４５】
容器の蓋１６Ｄは、比較的小さい、例えば、容器本体１８Ｄの頂部開口部よりも小さい蓋開口部（例えば、図１６を参照）を画定し得、この蓋開口部を通って容器本体１８Ｄの内部にアクセスし得る。例えば、ユーザーは、容器の蓋１６Ｄの蓋開口部を通って容器１０Ｄの内容物を消費し得る、蓋開口部を通って粉末状のドリンク混合物を容器１０Ｄ内に分配し得る、又はそれ以外で容器の蓋１６Ｄの蓋開口部を通って容器本体１８Ｄの内部にアクセスし得る。
【０１４６】
容器の蓋１６Ｄは、容器本体１８Ｄに選択的に結合されてよい。例えば、容器の蓋１６Ｄは、容器の蓋１６Ｄを螺入する、スナップ嵌めする、ねじる、摺動する、又はねじ込むことによって容器本体１８Ｄに選択的に結合されてよい。例えば、容器本体１８Ｄの上部は、１つ以上の雄ねじ山又は雌ねじ山を含んでよく、容器の蓋１６Ｄの下部は、１つ以上の対応するねじ山を含んでよい。ねじ山は、容器の蓋１６Ｄが容器本体１８Ｄに選択的に結合され得るように嵌合してよい。容器の蓋１６Ｄの容器本体１８Ｄへのねじ結合は、確実なシール、気密シール、水密シール、及び／又は漏れ止めシールを形成してよい。ねじ結合では、容器本体１８Ｄと容器の蓋１６Ｄとを確実に結合するために、複数の巻、又は単一の巻、又はそれよりも少ない巻が必要であり得る。より一般的には、容器本体１８Ｄ及び容器の蓋１６Ｄは、任意の好適な巻数で結合されてよい。容器本体１８Ｄ及び容器の蓋１６Ｄはまた、例えば、容器の用途に応じて、他の好適な種類の結合及び構造を使用して結合されてよい。
【０１４７】
図１５Ａ及び図１５Ｂは、本明細書に記載する少なくとも１つの実施形態に従って配置された、容器の蓋１６Ｄの上面斜視図である。図１６は、本明細書に記載する少なくとも１つの実施形態に従って配置された、容器の蓋１６Ｄの分解上面斜視図である。図１５Ａ〜図１６に示すように、容器の蓋１６Ｄは、容器頂部２０Ｄと、閉鎖部２２Ｄと、押しボタン２４Ｄと、プラグ２６Ｄ（例えば、図２１Ａ及び図２１Ｂを参照）と、を含んでよい。代替的に又は追加的に、容器の蓋１６Ｄは、以下に記載する第１の押しボタン位置など特定の位置で押しボタン２４Ｄを選択的にロックするロック１９を含んでよい。図１５Ａは、ロック位置にあるロック１９を示し、図１５Ｂは、ロック解除位置にあるロック１９を示す。
【０１４８】
容器頂部２０Ｄは、端壁２８Ｄと、スカート３０Ｄと、注ぎ口３２Ｄと、キャリーループ２７Ｄと、を含んでよい。スカート３０Ｄは、概して端壁２８Ｄから下方に延在してよく、容器本体１８Ｄの頂部に嵌合係合するように構成されてよい。この実施形態及び他の実施形態では、スカート３０Ｄは、その内面又は外面に１つ以上の容器係合部材を含んで、容器頂部２０Ｄを容器本体１８Ｄに選択的に固定してよい。例えば、スカート３０Ｄは、（図２１Ａでのように）雌ねじ山、雄ねじ山、バヨネットマウント、又は１つ以上の対応するねじ山、バヨネットマウント、若しくは容器本体１８Ｄの上外面若しくは上内面上に形成された他の蓋係合部材と嵌合係合するように構成されている他の容器係合部材を含んで、容器頂部２０Ｄを容器本体１８Ｄに固定してよい。
【０１４９】
注ぎ口３２Ｄは、端壁２８Ｄから上方に延在してよい。１つ以上の蓋開口部３４Ｄは、注ぎ口３２Ｄを貫通してよい。いくつかの実施形態では、注ぎ口３２Ｄは、１つ以上の蓋開口部を画定してよい。一例として、単一の概ね円形の蓋開口部３４Ｄを図１６に示す。他の実施形態では、注ぎ口３２Ｄは、任意の好適な寸法及び／又は形状の２つ以上の開口部を画定してよい。容器の蓋１６Ｄが容器本体１８Ｄに連結され、閉鎖部２２Ｄが開放閉鎖部位置に移動されると、ユーザーは、蓋開口部３４Ｄを通って容器１０Ｄから内容物を消費し得る、ないしは別の方法で取り出し得る。代替的に又は追加的に、ユーザーは、蓋開口部３４Ｄを通って容器１０Ｄに内容物を追加し得る。
【０１５０】
閉鎖部２２Ｄは、容器頂部２０Ｄに枢動可能に連結されてよく、蓋開口部３４Ｄを選択的に覆うように構成されてよい。例えば、閉鎖部２２Ｄは、蓋開口部３４Ｄが開放されている開放閉鎖部位置と、（図１５Ａ及び図１５Ｂに示すように）蓋開口部３４Ｄが閉止されている閉止閉鎖部位置との間で回転可能であってよい。
【０１５１】
閉鎖部２２Ｄは、キャリーループ２７Ｄのキャリーループアーム２１Ｄを介して容器頂部２０Ｄに枢動可能に連結されてよく、キャリーループアーム２１Ｄは、閉鎖部２２Ｄの回転軸を画定し得る。キャリーループアーム２１Ｄは、本明細書に開示する枢動ポスト３３Ａ、３３Ｂ、３３Ｃに類似の１つ以上の枢動ポストを備えることができる。いくつかの実施形態では、閉鎖部２２Ｄの回転軸は、例えば、本明細書に開示するような１つ以上の枢動ポストによって画定され得る一方で、キャリーループ２７Ｄを省略する。図示する実施形態では、キャリーループアーム２１Ｄのそれぞれは、動作中に対応する開口部３６Ｄ内に保持され、閉鎖部２２Ｄが容器頂部２０Ｄに対して回転できるようにする突起部３８Ｄ（図１６では１つのみが見える）を受容するように構成されている開口部３６Ｄ（図１６では１つのみが見える）を画定する。
【０１５２】
押しボタン２４Ｄは、閉鎖部２２Ｄに摺動可能に連結されてよく、注ぎ口３２Ｄ又は容器頂部２０Ｄの他の部分に選択的に係合して、閉鎖部２２Ｄを閉止閉鎖部位置に選択的に保持するように構成されてよい。弾性部材３７Ｄは、押しボタン２４Ｄが、例えば注ぎ口３２Ｄにおいて容器頂部２０Ｄに係合し得る、第１の押しボタン位置に向けて押しボタン２４Ｄを付勢し、押しボタン２４Ｄが容器頂部２０Ｄから係合解除される第２の押しボタン位置への押しボタン２４Ｄの移動に応答して弾性的に変形するように構成されてよい。弾性部材３７Ｄは、それによって押しボタン２４Ｄを前方向に付勢してよく、例えば、押しボタン２４Ｄは、弾性部材３７Ｄによって前方向に付勢されてよい。他の実施形態では、押しボタン２４Ｄは弾性部材３７Ｄによって後方向に付勢されてよい。
【０１５３】
図１６に示すように、閉鎖部２２Ｄは押しボタン用凹部２３Ｄを有してよい。図１５Ａ〜図１６を合わせて参照すると、押しボタン２４Ｄは、実質的に押しボタン用凹部２３Ｄ内に配設されてよく、閉鎖部２２Ｄによって実質的に包囲されてよい。例えば、押しボタン２４Ｄの大部分（例えば、長さ、幅、高さ、表面積、及び／又は体積）は、図１５Ａ、図１５Ｂ、図２１Ａ、及び図２１Ｂに示すように、例えば閉鎖部２２Ｄによって覆われてよく、及び／又は閉鎖部２２Ｄ内に封入されてよい。
【０１５４】
図１７Ａ及び図１７Ｂは、本明細書に記載する少なくとも１つの実施形態に従って配置された、図１５Ａ〜図１６の押しボタン２４Ｄの正面上面斜視図及び正面下面斜視図をそれぞれ含む。図１８Ａ及び図１８Ｂは、本明細書に記載する少なくとも１つの実施形態に従って配置された、図１５Ａ〜図１６のロック１９の正面上面斜視図及び正面下面斜視図をそれぞれ含む。図１９は、本明細書に記載する少なくとも１つの実施形態に従って配置された、図１５Ａ〜図１６の弾性部材３７Ｄの上面斜視図である。図２０は、本明細書に記載する少なくとも１つの実施形態に従って配置された、図１５Ａ〜図１６の閉止部２２Ｄの正面斜視図である。図２１Ａは、本明細書に記載する少なくとも１つの実施形態に従って配置された、ロック１９がロック位置にある、図１５Ａ〜図１６の容器の蓋１６Ｄの、図１５Ａの切断面２１Ａ−２１Ａに沿って取った断面図である。切断面２１Ａ−２１Ａは、ロック１９がロック位置にあり、ロック１９のロックスイッチ１９Ｄのほぼ中央を通過するように位置合わせされる。図２１Ｂは、本明細書に記載する少なくとも１つの実施形態に従って配置された、ロック１９がロック解除位置にある、図１５Ａ〜図１６の容器の蓋１６Ｄの、図１５Ｂの切断面２１Ｂ〜２１Ｂに沿って取った断面図である。切断面２１Ｂ−２１Ｂは、ロック１９がロック解除位置にあり、ロックスイッチ１９Ｄのほぼ中央を通過するように位置合わせされる。
【０１５５】
図１４〜図２１Ｂを合わせて参照すると、押しボタン２４Ｄは、本体４０Ｄ、本体４０Ｄから後方に延在するアーム５１、１つ以上のラッチ４２Ｄ、及び／又は１つ以上の保持タブ４３Ｄを含んでよい。押しボタン２４Ｄは、図示するように単一のラッチ４２Ｄ及び単一の保持タブ４３Ｄを含んでよく、保持タブ４３Ｄは、１つのアーム５１の後方端に含まれてよい。あるいは、押しボタン２４Ｄは、２つ以上のラッチ４２Ｄ、２つ以上のアーム５１、又は２つ以上の保持タブ４３Ｄを含んでよい。保持タブ４３Ｄは、閉鎖部２２Ｄの押しボタン用凹部２３Ｄ内に押しボタン２４Ｄを保持するように構成されてよい。本明細書に記載する他の保持タブは、保持タブ４３Ｄの代わりに、又はそれに加えて実装されてよい。
【０１５６】
閉鎖部２２Ｄの押しボタン用凹部２３Ｄは、押しボタン用凹部上壁５３と、押しボタン用凹部後壁５５と、を有し得る。押しボタン用凹部上壁５３及び押しボタン用凹部後壁５５は、少なくとも部分的に押しボタン用凹部２３Ｄを共に画定してよい。少なくとも１つの穴５５Ａが、保持タブ４３Ｄによる穴５５Ａの通過を受け入れるのに十分な大きさである、押しボタン用凹部後壁５５に形成される。いくつかの実施形態において、穴５５Ａの数は、保持タブ４３Ｄの数と等しくてよい。他の実施形態では、単一の穴５５Ａは、２つ以上の保持タブ４３Ｄを受け入れてよい。
【０１５７】
図２１Ｂに示すように、押しボタン２４Ｄが閉鎖部２２Ｄと共に組み立てられると、押しボタン２４Ｄのアーム５１は、穴５５Ａを通って延在してよく、保持タブ４３Ｄは、押しボタン用凹部後壁５５の後面の後方に位置する。押しボタン用凹部後壁５５の後面は、保持タブ４３Ｄのタブ止めを含んでよく、又はタブ止めとして機能してよい。したがって、保持タブ４３Ｄは、押しボタン用凹部後壁５５の後面に係合して、押しボタン用凹部後壁５５の後面を越えての保持タブ４３Ｄの前方移動を阻止するように構成されてよい。したがって、図２１Ｂに示すように、押しボタン２４Ｄの保持タブ４３Ｄが押しボタン用凹部後壁５５の後ろに位置するまで押しボタン２４Ｄを押しボタン用凹部２３Ｄに挿入した後、前方向は保持タブ止め４３Ｄ及び押しボタン用凹部後壁５５の後面、後方向は押しボタン２４Ｄの本体４０Ｄの後端部及び押しボタン用凹部後壁５５の前面など１つ以上の他の特徴によって決定された規定の範囲内で、押しボタン２４Ｄが閉鎖部２２Ｄに対して前後に摺動可能であってよい。
【０１５８】
アーム５１は、図示するように押しボタン２４Ｄが前方向に付勢される実施例では本体４０Ｄから後方に延在してよく、又は後方向に付勢される実施例では本体４０Ｄから前方に延在してよく、横方向に付勢される実施例では本体４０Ｄから横方向に延在してよく、又は対応する実施例では、前方向及び横方向若しくは後方向及び横方向の組み合わせであってよい。
【０１５９】
いくつかの実施形態では、保持タブ４３Ｄは、押しボタン用凹部後壁５５の後面から選択的に係合解除可能であって、押しボタン２４Ｄ及び閉鎖部２２Ｄの分解及び再組み立てを可能にしてよい。他の実施形態では、保持タブ４３Ｄは、保持タブ４３Ｄ若しくは他の構成要素、又はその一部を塑性変形させなければ、又は取り外さなければ、押しボタン用凹部後壁５５の後面から係合解除できなくてよい。アーム５１は弾性材料を含んでよく、保持タブ４３Ｄはアーム５１によって付勢されて、押しボタン用凹部後壁５５の後面に係合してよい。したがって、閉鎖部２２Ｄの頂部に向けた方向で保持タブ４３Ｄに取り外し力を加えることに応答して、アーム５１は、弾性的に変形して、保持タブ４３Ｄと穴５５Ａとの位置合わせを可能にして、押しボタン２４Ｄを押しボタン用凹部２３Ｄから取り外すことができるように構成されてよい。具体的には、保持タブ４３Ｄと穴５５Ａとの位置合わせに適応するようにアーム５１が弾性的に変形されると、保持タブ４３Ｄは、前方に押され、少なくとも穴５５Ａに挿入されて、保持タブ４３Ｄが押しボタン用凹部後壁５５を離れるまで押しボタン２４Ｄを前方にたぐり寄せ、次いで、押しボタン２４Ｄは、押しボタン用凹部２３Ｄから完全に取り出されてよい。
【０１６０】
ラッチ４２Ｄは、例えば注ぎ口３２Ｄにおいて容器頂部２０Ｄに選択的に係合するように構成されてよい。例えば、閉鎖部２２Ｄが、（図２１Ａ及び図２１Ｂに示すように）閉止閉鎖部位置にあり、かつ押しボタン２４Ｄが、（図２１Ａ及び図２１Ｂに示すように）第１の押しボタン位置にあるとき、注ぎ口３２Ｄは、ラッチ４２Ｄに覆いかぶさるように構成されている１つ以上のラッチ止め４４Ｄ（図２１Ａ及び図２１Ｂ）を含んでよい。ラッチ止め４４Ｄは、注ぎ口３２Ｄに形成されたリップ、注ぎ口３２Ｄに形成された肩部、注ぎ口３２Ｄに形成されたラッチ用凹部の上面、又は他の好適なラッチ止め４４Ｄを含んでよい。更に、押しボタン２４Ｄが適切に実装される場合、ラッチ止め４４Ｄは、例えば図２１Ａ及び図２１Ｂに示すように注ぎ口３２Ｄの内部に形成されてよく、又は注ぎ口３２Ｄの外部に形成されてよい（図２１Ａ及び図２１Ｂには示さない）。
【０１６１】
図２１Ａ及び図２１Ｂに示すように、押しボタン２４Ｄが第１の押しボタン位置にあり、かつ閉鎖部２２Ｄが閉止閉鎖部位置にあるとき、ラッチ４２Ｄは、ラッチ止め４４Ｄの後縁部からラッチ４２Ｄの前端部まで測定される係合距離ｄｅだけラッチ止め４４Ｄの下方に延在してよい。ラッチ４２Ｄは、例えば、ラッチ４２Ｄの前端部が第２の押しボタン位置を構成し得るラッチ止め４４Ｄの後縁部から離れるまで、ユーザーが係合距離ｄｅを通って後方に押しボタン２４Ｄを押すことによって、ラッチ止め４４Ｄから係合解除可能であって、閉鎖部２２Ｄが開放閉鎖部位置まで移動できるようにしてよい。押しボタン２４Ｄが第２の押しボタン位置にある場合、ラッチ４２Ｄ及び注ぎ口３２Ｄはほとんど又は全く係合しない。したがって、閉鎖部２２Ｄ（及び押しボタン２４Ｄ）は、図２１Ａ及び図２１Ｂの向きの容器の蓋２０Ｄに対して時計回りに、蓋開口部３４Ｄが開放している開放閉鎖部位置へと回転されてよい。
【０１６２】
弾性部材３７Ｄは、押しボタン２４Ｄが注ぎ口３２Ｄに係合する第１の押しボタン位置（図２１Ａに図示する）に向けて押しボタン２４Ｄを付勢するように構成されてよい。弾性部材３７Ｄはまた、押しボタン２４Ｄが注ぎ口３２Ｄを係合解除する第２の押しボタン位置への押しボタン２４Ｄの移動に応答して、弾性的に変形するように構成されてよい。
【０１６３】
図１９に示すように、弾性部材３７Ｄは、付勢部材５７と、蓋開口部シール４６Ｄと、を含んでよい。付勢部材５７及び蓋開口部シール４６Ｄは、図示するように単一及び／若しくはモノリシック構成要素として一体形成されてよく、又は形成後にそれに続いて連結される別個の構成要素として形成されてよい。
【０１６４】
いくつかの実施形態では、弾性部材３７Ｄは、蓋開口部シール４６Ｄと付勢部材５７とを接合する舌部を備えてよい。代替的に又は追加的に、付勢部材５７は舌部を備えてよい。舌部は、押しボタン２４Ｄを第１の押しボタン位置に向けて付勢してよく、第２の押しボタン位置への押しボタンの移動に応答して弾性的に変形してよい。
【０１６５】
図１６及び図２０〜図２１Ｂを参照すると、プラグ２６Ａは、蓋開口部シール４６Ｄの少なくとも一部を内部に受容するように概ね構成されているシール受座３１Ｄを画定してよい。例えば、シール受座３１Ｄは、プラグ２６Ｄの周囲に形成された環状チャネルを含んでよく、シール受座３１Ｄ又は環状チャネルは、蓋開口部シール４６Ｄの内径とほぼ同一の直径を有する。いくつかの実施形態では、シール受座３１Ｄの直径は、蓋開口部シール４６Ｄの直径よりも若干小さくてよく、蓋開口部シール４６Ｄは、シール受座３１Ｄ内に設置されたときに、蓋開口部シール４６Ｄが伸張されてシール受座３１Ｄの周囲にぴったりと収まるように、弾性材料及び／又は伸縮性材料で形成される。他の実施形態では、蓋開口部シール４６Ｄは、シール受座３１Ｄ内に設置されたときに弛緩し、伸張しなくてよい。
【０１６６】
図１９、図２１Ａ、及び図２１Ｂを参照すると、付勢部材５７は、前方向に付勢される実施例において、蓋開口部シール４６Ｄの前部から後方に延在してよい。代替的に又は追加的に、付勢部材５７は、蓋開口部シール４６Ｄから上方に延在してよい。前述したように、付勢部材５７は、舌端部５７Ａ及び舌首部５７Ｃのうちの１つ以上を備える舌部を備えてよい。舌端部５７Ａは、前方向に付勢される実施例において前向き面５７Ｂを含んでよく、舌端部５７Ａよりも狭い舌首部５７Ｃを介して蓋開口部シール４６Ｄに連結されてよい。
【０１６７】
図１７Ａ及び図１７Ｂを参照すると、押しボタン２４Ａは、弾性部材３７Ｄの付勢部材５７に対して相補的な形状を有し得る舌部用チャネル５９を備えてよい。舌部用チャネル５９は、押しボタン２４Ｄの下側に位置してよい。舌部用チャネル５９は、舌端部用空洞５９Ａと、舌首部用空洞５９Ｂと、を含んでよい。図示する実施形態では、舌端部用空洞５９Ａは、内部に付勢部材５７の舌端部５７Ａを受容する寸法であり、そのように構成されていてよく、舌首部用空洞５９Ｂは、内部に舌首部５７Ｃを受容する寸法であり、そのように構成されてよい。舌部用チャネル５９は、前方向に付勢される実施例において、後向き面５９Ｃを更に含んでよい。弾性部材３７Ｄの付勢部材５７が押しボタン２４Ｄの舌部用チャネル５９内に位置付けられるとき、舌端部５７Ａの前向き面５７Ｂは、押しボタン２４Ｄによって画定される舌部用チャネル５９の後向き面５９Ｃに隣接して、及び／又はこれと直接接触して位置付けられてよい。
【０１６８】
図２１Ａ及び図２１Ｂに示すように、容器の蓋１６Ｄが組み立てられると、弾性部材３７Ｄの蓋開口部シール４６Ｄは、プラグ２６Ｄのシール受座３１Ｄ内に着座してよく、付勢部材５７は、蓋開口部シール４６Ｄの前部から押しボタン２４Ｄの舌部用チャネル５９の中へと後方に、また任意選択的に上方に延在する。押しボタン２４Ｄが第１の押しボタン位置にあるとき、押しボタン２４Ｄの舌部用チャネル５９の後向き面５９Ｃは、舌端部５７の前向き面５７Ｂと直接接触していてよい。いくつかの実施形態では、押しボタン２４Ｄが第１の押しボタン位置にあるとき、付勢部材５７又は少なくとも舌首部５７Ｃは、少なくとも部分的に後方に伸張されて、押しボタン２４Ｄを第１の押しボタン位置に向けて前方に継続的に付勢してよい。
【０１６９】
押しボタン２４Ｄ、例えば、押し領域４５Ｄに十分な後方力を加えると、付勢部材５７による継続的な前方向付勢力を克服し、押しボタン２４Ｄを第２の押しボタン位置に向けて後方に移動させ得る。押しボタン２４Ｄが第２の押しボタン位置に向かって後方移動することにより、付勢部材５７、又は少なくとも舌首部５７Ｃが伸張し得る。これは、舌部用チャネル５９の後向き面５９Ｃを付勢部材５７の前向き面５７Ｂに対して付勢すると、押しボタン２４Ｄが舌端部５７Ａを後方に移動させるためである。舌首部５７Ｃの前部は、蓋開口部シール４６Ｄの前部に連結され、これは次に、プラグ２６Ｄのシール受座３１Ｄ内に着座し、その結果、押しボタン２４Ｄの後方移動は舌端部５７Ａの後方移動を引き起こすため、舌首部５７Ｃはその長さに沿って伸張する。
【０１７０】
後方力が押しボタン２４Ｄから除去されると、付勢部材５７の伸張した舌首部５７Ｃは少なくとも部分的に再圧縮され、付勢部材５７の前向き面５７Ｂが押しボタン２４Ｄの舌部用チャネル５９内の後向き面５９Ｃに対して前方向に付勢する際に、押しボタン２４Ｄを第１の押しボタン位置に戻すように付勢する。この実施形態及び他の実施形態では、容器の蓋１６Ｄは、別個の構成要素として付勢部材及び蓋開口部シールの両方を有する一部の容器の蓋と比較して、部品数及びコストが削減され得る。
【０１７１】
ロック１９は、押しボタン２４Ｄ及び閉鎖部２２Ｄの一方又は両方に対して移動可能であってよい。ロック１９は、押しボタン２４Ｄ及び閉鎖部２２Ｄの一方、両方に対して移動可能に連結されてよい、又はいずれも連結されなくてよい。概して、ロック１９は、ロック位置（図２１Ａ）とロック解除位置（図２１Ｂ）との間を移動可能であってよい。ロック位置では、ロック１９は、押しボタン２４Ｄが第１の押しボタン位置から第２の押しボタン位置に移動することを阻止する、又は防止するように位置付けられてよい。ロック解除位置では、ロックは、第１の押しボタン位置と第２の押しボタン位置との間での押しボタン２４Ｄの移動に適応するか、又はそれを可能にするように位置付けられてよい。
【０１７２】
いくつかの実施形態では、ロック１９は、押しボタン２４Ｄと閉鎖部２２Ｄとの間に少なくとも部分的に位置付けられてよい。ロック１９は、押しボタン２４Ｄ及び閉鎖部２２Ｄの一方又は両方に形成された空洞及び／又は凹部内に少なくとも部分的に位置付けられてよい。例えば、閉鎖部２２Ｄは、例えば、押しボタン用凹部上壁５３の底面内など、閉鎖部２２Ｄの底面にロック用凹部６０（図２０）を画定してよい。図２０に示すロック用凹部６０は、ロック１９の移動のために支点６０Ａを形成する後方端部を有する。ロック用凹部６０を含むことに加えて又はそれに代えて、閉鎖部２２Ｄはロックスイッチチャネル、つまり凹部６２Ｄを備えて、ユーザーがロック１９をロック位置とロック解除位置との間で移動させるために閉鎖部２２Ｄを通るアクセスを提供してよい。
【０１７３】
図１７Ａを参照すると、押しボタン２４Ｄは、上面６４を含み、上面６４にロック用空洞６６を画定する。ロック用空洞６６は、ロック用空洞６６の第１の部分にある第１の止め具６６Ａと、ロック用空洞６６の第２の部分にある第２の止め具６６Ｂと、を含む。第２の止め具６６Ｂは、第１の止め具６６Ａの前方に位置する。加えて、ロック用空洞６６の底面は、第１の止め具６６Ａの後方にある第１の受容部６８Ａと、第２の止め具６６Ｂの後方にある第２の受容部６８Ｂと、を含んでよい。第２の受容部６８Ｂは、前後方向に細長い形状を有し得る。受容部６８Ａ、６８Ｂは、例えば、窪み、陥没部、開口部、通路、凹部、又はこれらの組み合わせを含み得る。
【０１７４】
図１８Ａ及び図１８Ｂを参照すると、ロック１９は当接部１９Ｃを含んでよい。当接部１９Ｃは、ロック１９がロック位置にある間に押しボタン２４Ｄが第２の押しボタン位置に向かって前進すると、第１の止め具６６Ａと接触するように配置されている１つ以上の表面を備え得る。例えば、当接部は、図１８Ａ及び図１８Ｂに示すように、１つ以上の前向き面を含み得る。
【０１７５】
当接部１９Ｃは、任意選択的に基部１９Ａから（例えば、下方又は上方に）延在してよい。基部１９Ａは、例えば、図１８Ａ及び図１８Ｂに示すように平面であり得、又は他の構成を有し得る。
【０１７６】
当接部１９Ｃは、支持体１９Ｂの一部を形成してよい。支持体１９Ｂは、基部１９Ａが存在する場合には、そこから延在してよい。支持体１９Ｂは、任意選択的に、基部１９Ａから下方に延在する水平域として形成されてよい。支持体１９Ｂは、押しボタン２４Ｄの移動に抵抗する第１の止め具６６Ａとの接触中に、ロック１９の移動及び／若しくは位置決めを容易にし、並びに／又は当接部１９Ｃを支持し得る。支持体１９Ｂは、１つ以上の側部、例えば、上側及び／又は下側に凹部を有してよい。
【０１７７】
図１７Ａ〜図１８Ｂを参照すると、ロック１９がロック位置及びロック解除位置の両方にあるとき、支持体１９Ｂは、ロック用空洞６６及び基部１９Ａ内に位置付けられてよく、押しボタン２４Ｄの上面６４が存在する場合にはその上で、又はそれによって支持されてよい。例えば、ロック１９がロック位置にあるか、ロック解除位置にあるかにかかわらず、基部１９Ａは、基部１９Ａの前部の一部又は全体、基部１９Ａの前隅部のうちの一方又は両方、及び基部１９Ａの１つ以上の側部に沿って押しボタン２４Ｄの上面６４によって支持されてよい。
【０１７８】
加えて、図１８Ａ、図１８Ｂ、及び図２０を参照すると、ロック１９は、閉鎖部２２Ｄの押しボタン用凹部上壁５３の底面にあるロック用凹部６０内に少なくとも部分的に受容されてよい。例えば、基部１９Ａ及び／又は支持体１９Ｂは、ロック用凹部６０内に少なくとも部分的に受容されてよい。ロック１９の枢軸１９Ｆは、ロック用凹部６０の支点６０Ａに少なくとも部分的に受容されてよい。枢軸１９Ｆは、基部１９Ａ及び／又は支持体１９Ｂによって形成されてよい。
【０１７９】
図２１Ａを参照すると、押しボタン２４Ｄが第１の押しボタン位置にあり、ロック１９がロック位置にあるとき、ロック１９の当接部１９Ｃは、押しボタン２４Ｄのロック用空洞６６の第１の止め具６６Ａに面して位置付けられ、第１の止め具６６Ａから係合距離よりも短い距離ｄｅ及びわずか０だけ離間していてよい。閉鎖部２２Ｄが閉止閉鎖部位置にある間に当接部１９Ｃを第１の止め具６６Ａに対してこの方法で位置付けることにより、押しボタン２４Ｄの不用意な後方移動によって閉鎖部２２Ｄが誤って開放されないようにしてよい。具体的には、押しボタン２４Ｄを不用意に後方に押すこと、又は更には意図的に後方に押すことにより、押しボタン２４Ｄは、仮にそうなっても、第１の押しボタン位置から、第１の止め具６６Ａが当接部１９Ｃと接触する位置までのみ後方に移動させられ得る。第１の止め具６６Ａは、押しボタン２４Ｄが第１の押しボタン位置にあるときに、係合距離ｄｅよりも短い距離だけ当接部１９Ｃから離間しているため、押しボタン２４Ｄは、ラッチ４２Ｄがラッチ止め４４Ｄを離れるまで係合距離ｄｅを不用意に後方移動できず、閉鎖部２２Ｄは閉止閉鎖部位置に留まってよい。
【０１８０】
図２１Ｂを参照すると、押しボタン２４Ｄが第１の押しボタン位置にあり、かつロックがロック解除位置にあるとき、ロック１９の当接部１９Ｃは、押しボタン２４Ｄのロック用空洞６６の第２の止め具６６Ｂに面して位置付けられ、第２の止め具６６Ｂから係合距離ｄｅ以上の距離だけ離間しており、このため、押しボタン２４Ｄは、第１の押しボタン位置から第２の押しボタン位置へと移動できてよい。具体的には、ロック１９がロック解除位置にあるとき、押しボタン２４Ｄを後方に押すことにより、押しボタン２４Ｄは第１の押しボタン位置から後方へ少なくとも係合距離ｄｅを移動して、ラッチ４２Ｄはラッチ止め４４Ｄから離れ、閉鎖部２２Ｄを開放することができる。
【０１８１】
再び図１８Ａ及び図１８Ｂを参照すると、ロック１９は、ロックスイッチ１９Ｄ及び／又は突起部１９Ｅを更に含んでよい。ロックスイッチ１９Ｄは、基部１９Ａ、支持体１９Ｂ、及び／又は基部１９Ａの前部若しくはその付近にある当接部１９Ｃから上方に延在し得る。図２１Ａ及び図２１Ｂに示すように、ロックスイッチ１９Ｄは、閉鎖部２２Ｄの押しボタン用凹部上壁５３に形成されたロックスイッチチャネル６２Ｄを通って上方に延在する。スイッチ１９Ｄは、例えば、ユーザーによって操作されて、ロック１９をロック位置とロック解除位置との間で移動させることができる。
【０１８２】
突起部１９Ｅは、ロック用空洞６６の第１の受容部６８Ａ及び第２の受容部６８Ｂのいずれかに受容されてよい。第１の受容部６８Ａは、ロック１９のロック位置と関連付けられてよく、第２の受容部６８Ｂはロック１９のロック解除位置と関連付けられてよい。例えば、突起部１９Ｅは、ロック１９がロック位置にあるときに第１の受容部６８Ａに受容されてよく、突起部１９Ｅは、ロック１９がロック解除位置にあるときに第２の受容部６８Ｂに受容されてよい。いくつかの実施形態では、突起部１９Ｅと第１の受容部６８Ａ及び第２の受容部６８Ｂとの相互作用は、ロック１９がロック位置及びロック解除位置のうちの対応する１つに移動されたときを示す触覚フィードバックを提供してよい。代替的に又は追加的に、突起部１９Ｅと第１の受容部６８Ａ及び第２の受容部６８Ｂとの相互作用は、ロック位置とロック解除位置との間でのロック１９の不用意な移動を阻止してよい。
【０１８３】
図１５Ａ〜図１６、図２１Ａ、及び図２１Ｂでは、容器の蓋２０Ｄに取り付けられるか、又は容器の蓋２０Ｄと共に形成されるものとして、キャリーループアーム２１Ｄを含むキャリーループ２７Ｄを示す。キャリーループ２７Ｄ及び／又はキャリーループアーム２１Ｄは、可撓性及び／若しくは半可撓性であってよく、並びに／又は容器の蓋２０Ｄの一部若しくは全体に対して移動可能であってよい。
【０１８４】
プラグ２６Ｄは、例えば図示するように、閉鎖部２２Ｄと一体形成されてよく、又は閉鎖部２２Ｄに連結される別個の構成要素として形成されてよい。代替的に又は追加的に、プラグ２６Ｄは、蓋開口部シール４６Ｄと一体形成されてよいが、図１４〜図２１Ｂでは別個の構成要素として示す。
【０１８５】
蓋開口部シール４６Ｄは、閉鎖部２２Ｄが閉止閉鎖部位置にあるときに注ぎ口３２Ｄの蓋開口部３４Ｄを封止するように構成されてよい。蓋開口部シール４６Ｄとしては、図１〜図５、図１４〜図２１Ｂ、及び図２２〜図３１の実施形態でのようなＯリングガスケット、図１０〜図１３の実施形態でのようなオーバーサイズの弾性環状プラグ突起部、図６〜図９の実施形態でのような逆ドーム型弾性シール、又は他の好適な蓋開口部シールが挙げられてよい。
【０１８６】
蓋開口部３４Ｄが閉鎖部２２Ｄによって閉止されているとき、蓋開口部シール４６Ｄと蓋開口部３４Ｄとの封止は十分に緊密であって、容器１０Ｄから流体又は他の内容物が意図せず漏出しないようにし得るが、比較的緩やかな開放力の下で、閉止閉鎖部位置にある閉鎖部２２Ｄをそれ自体で保持するほど緊密ではない。代わりに、ラッチ４２Ｄはラッチ止め４４Ｄと協働して、押しボタン２４Ｄが第１の押しボタン位置にあるときに閉鎖部２２Ｄを閉止閉鎖部位置に保持してよい。
【０１８７】
図２２は、本明細書に記載する少なくとも１つの実施形態に従って配置された、別の例示の容器１０Ｅの上面斜視図である。図２２に示すように、容器１０Ｅは、容器本体１８Ｅと、容器の蓋１６Ｅと、を含んでよい。容器本体１８Ｅは、本明細書において一般に内容物と称する１種以上の液体及び／又は固体を保持し、及び／又は格納する寸法及び形状であってよい。
【０１８８】
容器の蓋１６Ｅは容器本体１８Ｅと協働して、容器本体１８Ｅ内の液体など内容物を保護し得る。容器の蓋１６Ｅは容器本体１８Ｅから完全に取り外されて、容器本体１８Ｅの頂部開口部１０２（図２９Ａ）を露出させてよく、この頂部開口部を通って容器本体１８Ｅの内部にアクセスして、例えば、内容物を容器１０Ｅに追加し得る、容器１０Ｅから内容物を取り出し得る、容器本体１８Ｅの内部を洗浄し得る、又はそれ以外で容器本体１８Ｅの内部にアクセスし得る。
【０１８９】
容器の蓋１６Ｅは蓋開口部３４Ｅ（例えば、図２４を参照）を画定し、容器本体１８Ｅの内部はこの蓋開口部を通ってアクセスされ得る。例えば、ユーザーは、容器の蓋１６Ｅの蓋開口部３４Ｅを通って容器１０Ｅの内容物を消費し得る、蓋開口部３４Ｅを通って粉末状のドリンク混合物を容器１０Ｅ内に分配し得る、又はそれ以外で容器の蓋１６Ｅの蓋開口部３４Ｅを通って容器本体１８Ｅの内部にアクセスし得る。蓋開口部３４Ｅは、注ぎ口３２Ｅを通る通路（例えば、図２４を参照）を指してよく、この蓋開口部／通路３４Ｅは注ぎ口３２Ｅの頂部開口部、並びに注ぎ口３２Ｅを通る通路の残部を含んでよい。本明細書の他の箇所で説明する蓋開口部３４Ａ、３４Ｂ、３４Ｃ、３４Ｄは、同様に、対応する注ぎ口３２Ａ、３２Ｂ、３２Ｃ、３２Ｄを通って延在し得る通路を指す。蓋開口部３４Ｅの頂部開口部は、比較的小さくてよく、例えば、容器本体の頂部開口部１０２及び／又は容器頂部の端壁よりも小さくてよい。蓋開口部の底部開口部は、蓋開口部の頂部開口部よりも大きくても小さくてもよい。
【０１９０】
容器の蓋１６Ｅは、容器本体１８Ｅに選択的に結合されてよい。例えば、容器の蓋１６Ｅは、容器の蓋１６Ｅを螺入する、スナップ嵌めする、ねじる、摺動する、又はねじ込むことによって容器本体１８Ｅに選択的に結合されてよい。例えば、容器本体１８Ｅの上部は、１つ以上の雄ねじ山又は雌ねじ山１０４を含んでよく、容器の蓋１６Ｅの下部は、１つ以上の対応するねじ山１０６を含んでよい。ねじ山１０４、１０６は、容器の蓋１６Ｅが容器本体１８Ｅに選択的に結合され得るように嵌合してよい。容器の蓋１６Ｅの容器本体１８Ｅへのねじ結合（例えば、ねじ山１０４、１０６の嵌合）は、確実なシール、気密シール、水密シール、及び／又は漏れ止めシールを形成してよい。ねじ結合では、容器本体１８Ｅと容器の蓋１６Ｅとを確実に結合するために、複数の巻、又は単一の巻、又はそれよりも少ない巻が必要であり得る。より一般的には、容器本体１８Ｅ及び容器の蓋１６Ｅは、任意の好適な巻数で結合されてよい。容器本体１８Ｅ及び容器の蓋１６Ｅはまた、例えば、容器の用途に応じて、他の好適な種類の結合及び構造を使用して結合されてよい。本明細書に記載する他の実施形態は、図２９Ａに示す容器１８Ｅ及び容器頂部１６Ｅと同様に構成されてよく、例えば、対応する容器１８Ａ、１８Ｂ、１８Ｃ、１８Ｄ内の頂部開口部１０２、並びに対応する容器１８Ａ、１８Ｂ、１８Ｃ、１８Ｄ及び容器の蓋１６Ａ、１６Ｂ、１６Ｃ、１６Ｄ上のねじ山１０４、１０６、又は他の相補的なコネクタを備える。
【０１９１】
図２３Ａ〜図２３Ｃは、本明細書に記載する少なくとも１つの実施形態に従って配置された、容器の蓋１６Ｅの上面斜視図である。図２４は、本明細書に記載する少なくとも１つの実施形態に従って配置された、容器の蓋１６Ｅの分解上面斜視図である。図２３Ａ〜図２４に示すように、容器の蓋１６Ｅは、容器頂部２０Ｅと、閉鎖部２２Ｅと、押しボタン２４Ｅと、プラグ２６Ｅ（例えば、図２３Ｃを参照）と、を含んでよい。代替的に又は追加的に、容器の蓋１６Ｅは、以下に記載する第１の押しボタン位置など特定の位置で押しボタン２４Ｅを選択的にロックするロック７０を含んでよい。図２３Ａは、閉鎖部２２Ｅが閉止位置にある、ロック位置にあるロック７０を示し、図２３Ｂは、閉鎖部２２Ｅが閉止位置にある、ロック解除位置にあるロック７０を示し、図２３Ｃは、開放閉鎖部位置にある閉鎖部２２Ｅを示す。図示していないが、閉鎖部２２Ａ、２２Ｂ、２２Ｃ、及び２２Ｄの開放閉鎖部位置は、図２３Ｃに示す閉鎖部２２Ｅの開放閉鎖部位置に類似してよい。
【０１９２】
容器頂部２０Ｅは、端壁２８Ｅと、スカート３０Ｅと、注ぎ口３２Ｅと、キャリーループ２７Ｅと、を含んでよい。スカート３０Ｅは、概して端壁２８Ｅから下方に延在してよく、容器本体１８Ｅの頂部に嵌合係合するように構成されてよい。この実施形態及び他の実施形態では、スカート３０Ｅは、その内面又は外面に１つ以上の容器係合部材を含んで、容器頂部２０Ｅを容器本体１８Ｅに選択的に固定してよい。例えば、スカート３０Ｅは、（図２９Ａでのように）雌ねじ山、雄ねじ山、バヨネットマウント、又は１つ以上の対応するねじ山、バヨネットマウント、若しくは容器本体１８Ｅの上外面若しくは上内面上に形成された他の蓋係合部材と嵌合係合するように構成されている他の容器係合部材を含んで、容器頂部２０Ｅを容器本体１８Ｅに固定してよい。
【０１９３】
注ぎ口３２Ｅは、端壁２８Ｅから上方に延在してよい。１つ以上の蓋開口部３４Ｅは、注ぎ口３２Ｅを貫通してよい。いくつかの実施形態では、注ぎ口３２Ｅは、１つ以上の蓋開口部を画定してよい。一例として、単一の概ね円形の蓋開口部３４Ｅを図２３Ｃ及び図２４に示す。他の実施形態では、注ぎ口３２Ｅは、任意の好適な寸法及び／又は形状の２つ以上の開口部を画定してよい。容器の蓋１６Ｅが容器本体１８Ｅに連結され、閉鎖部２２Ｅが図２３Ｃの開放閉鎖部位置に移動されると、ユーザーは、蓋開口部３４Ｅを通って容器１０Ｅから内容物を消費し得る、ないしは別の方法で取り出し得る。代替的に又は追加的に、ユーザーは、蓋開口部３４Ｅを通って容器１０Ｅに内容物を追加し得る。
【０１９４】
閉鎖部２２Ｅは、容器頂部２０Ｅに枢動可能に連結されてよく、蓋開口部３４Ｅを選択的に覆うように構成されてよい。例えば、閉鎖部２２Ｅは、（図２３Ｃに示すように）蓋開口部３４Ｅが開放されている開放閉鎖部位置と、（図２３Ａ及び図２３Ｂに示すように）蓋開口部３４Ｅが閉止されている閉止閉鎖部位置との間で回転可能であってよい。
【０１９５】
図２３Ｃに示す閉鎖部２２Ｅの開放閉鎖部位置では、閉鎖部２２Ｅは、図２３Ａ及び図２３Ｂの閉止閉鎖部位置から約９０度回転される。しかしながら、開放閉鎖部位置は、必ずしも容器の蓋２０Ｅに対する閉鎖部２２Ｅの特定の角度配向を指すわけではない。むしろ、開放閉鎖部位置は、蓋開口部３４Ｅが閉鎖部２２Ｅによって十分に覆われておらず、蓋開口部３４Ｅを通って容器１０Ｅの内部に少なくとも部分的にアクセスすることができる、容器の蓋２０Ｅに対する閉鎖部２２Ｅの任意の角度配向を指し得る。例えば、閉鎖部２２Ｅが閉止閉鎖部位置から容器の蓋２０Ｅに対して、例えば１５度〜１２０度回転した、容器の蓋２０Ｅに対する閉鎖部２２Ｅの任意の角度配向は、開放閉鎖部位置と見なされ得る。
【０１９６】
閉鎖部２２Ｅは、キャリーループ２７Ｅのキャリーループアーム２１Ｅを介して容器頂部２０Ｅに枢動可能に連結されてよく、キャリーループアーム２１Ｅは、閉鎖部２２Ｅの回転軸を画定し得る。キャリーループアーム２１Ｅは、本明細書に開示する枢動ポスト３３Ａ、３３Ｂ、３３Ｃに類似の１つ以上の枢動ポストを備えることができる。いくつかの実施形態では、閉鎖部２２Ｅは、キャリーループアームに含まれない１つ以上の枢動ポストを介して容器頂部２０Ｅに連結され得、かかる実施形態では、容器の蓋１６Ｅは、キャリーループを含んでも含まなくてもよい。いくつかの実施形態では、閉鎖部２２Ｅの回転軸は、例えば、本明細書に開示するような１つ以上の枢動ポストによって画定され得る一方で、任意選択的にキャリーループ２７Ｅを省略する。図示する実施形態では、キャリーループアーム２１Ｅのそれぞれは、動作中に対応する開口部３６Ｅ内に保持され、閉鎖部２２Ｅが容器頂部２０Ｅに対して回転できるようにする突起部３８Ｅ（図２４では１つのみが見える）を受容するように構成されている開口部３６Ｅ（図２４では１つのみが見える）を画定する。図２４では見えない開口部３６Ｅは、図２４で見える開口部３６Ｅの鏡像であり、この開口部とは反対側のキャリーループアーム２１Ｅ内に位置してよい。図２４では見えない突起部３８Ｅは、図２４で見える突起部３８Ｅの鏡像であり、この突起部とは反対側の閉鎖部２２Ｅに位置してよい。同様の表記は、本明細書に対で記載する他の開口部、突起部、又は構成要素／態様に適用され得、対のうちの１つの部材のみを本明細書の他の図に示す。
【０１９７】
押しボタン２４Ｅは、閉鎖部２２Ｅに摺動可能に連結されてよく、注ぎ口３２Ｅ又は容器頂部２０Ｅの他の部分に選択的に係合して、閉鎖部２２Ｅを閉止閉鎖部位置に選択的に保持するように構成されてよい。弾性部材３７Ｅは、押しボタン２４Ｅが、例えば注ぎ口３２Ｅにおいて容器頂部２０Ｅに係合し得る、第１の押しボタン位置に向けて押しボタン２４Ｅを付勢し、押しボタン２４Ｅが容器頂部２０Ｅから係合解除される第２の押しボタン位置への押しボタン２４Ｅの移動に応答して弾性的に変形するように構成されてよい。弾性部材３７Ｅは、それによって押しボタン２４Ｅを前方向に付勢してよく、例えば、押しボタン２４Ｅは、弾性部材３７Ｅによって前方向に付勢されてよい。他の実施形態では、押しボタン２４Ｅは弾性部材３７Ｅによって後方向に付勢されてよい。
【０１９８】
図２４に示すように、閉鎖部２２Ｅは押しボタン用凹部２３Ｅを有してよい。図２３Ａ〜図２４を合わせて参照すると、押しボタン２４Ｅは、実質的に押しボタン用凹部２３Ｅ内に配設されてよく、閉鎖部２２Ｅによって実質的に包囲されてよい。例えば、押しボタン２４Ｅの大部分（例えば、長さ、幅、高さ、表面積、及び／又は体積）は、図２３Ａ、図２３Ｂ、図２９Ａ、図２９Ｂ、及び図２９Ｃに示すように、例えば閉鎖部２２Ｅによって覆われてよく、及び／又は閉鎖部２２Ｄ内に封入されてよい。
【０１９９】
図２５Ａ〜図２５Ｄは、本明細書に記載する少なくとも１つの実施形態に従って配置された、それぞれ、図２３Ａ〜図２４の押しボタン２４Ｅの正面上面斜視図、正面下面斜視図、上面図、及び側面図を含む。図２５Ｅは、本明細書に記載する少なくとも１つの実施形態に従って配置された、図２３Ａ〜図２４の押しボタン２４Ｅの、図２５Ａの切断面２５Ｅ−２５Ｅに沿って取った断面図を含む。図２６Ａ及び図２６Ｂは、本明細書に記載する少なくとも１つの実施形態に従って配置された、図２３Ａ〜図２４のロック７０の正面上面斜視図及び正面下面斜視図をそれぞれ含む。図２７Ａは、本明細書に記載される少なくとも１つの実施形態に従って配置された、図２３Ａ〜図２４の弾性部材３７Ｅの上面斜視図を含む。図２７Ｂは、本明細書に記載する少なくとも１つの実施形態に従って配置された、図２３Ａ〜図２４の弾性部材３７Ｅの、図２７Ａの切断面２７Ｂ−２７Ｂに沿って取った断面図を含む。図２８Ａ及び図２８Ｂは、本明細書に記載する少なくとも１つの実施形態に従って配置された、図２３Ａ〜図２４の閉鎖部２２Ｅの正面上面斜視図及び正面下面斜視図をそれぞれ含む。
【０２００】
図２９Ａは、本明細書に記載する少なくとも１つの実施形態に従って配置された、ロック７０がロック位置にある、図２３Ａ〜図２４の容器の蓋１６Ｅの図２３Ａの、切断面２９Ａ−２９Ａに沿って取った断面図である。切断面２９Ａ−２９Ａは、ロック７０がロック位置にあり、ロック７０のロックスイッチ７０Ｄのほぼ中央を通過するように位置合わせされる。図２９Ａは、容器１８Ｅの頂部開口部１０２と、ねじ山１０４と、を含む容器１８Ｅの頂部を更に示す。図２９Ｂは、本明細書に記載する少なくとも１つの実施形態に従って配置された、ロック７０がロック解除位置にある、図２３Ａ〜図２４の容器の蓋１６Ｅの、図２３Ｂの切断面２９Ｂ〜２９Ｂに沿って取った断面図である。切断面２９Ｂ−２９Ｂは、ロック７０がロック解除位置にあり、ロックスイッチ７０Ｄのほぼ中央を通過するように位置合わせされる。図２９Ｃは、本明細書に記載する少なくとも１つの実施形態に従って配置された、押しボタン２４Ｅが第２の押しボタン位置にある、図２３Ａ〜図２４の容器の蓋１６Ｅの、図２３Ｂの切断面２９Ｂ−２９Ｂに沿って取った断面図である。図３０は、本明細書に記載する少なくとも１つの実施形態に従って配置された、図２９Ｂの一部の拡大図である。図３１は、本明細書に記載する少なくとも１つの実施形態に従って配置された、押しボタン２４Ｅが第１の押しボタン位置にある、図２３Ａ〜図２４の容器の蓋１６Ｅの、図２３Ｂの切断面３１−３１に沿って取った断面図である。切断面３１−３１は、押しボタン２４Ｅ及び弾性部材３７Ｅの両方を水平に貫通するように位置合わせされる。
【０２０１】
図２２〜図２９Ｃを合わせて参照すると、押しボタン２４Ｅは、本体４０Ｅ、本体４０Ｅから後方に延在するアーム８０、１つ以上のラッチ４２Ｅ、及び／又は１つ以上の保持タブ４３Ｅを含んでよい。押しボタン２４Ｅは、図示するように単一のラッチ４２Ｅと、単一の保持タブ４３Ｅと、を含んでよく、保持タブ４３Ｅは、アーム８０に支持されている。あるいは、押しボタン２４Ｅは、２つ以上のラッチ４２Ｅ、２つ以上のアーム８０、又は２つ以上の保持タブ４３Ｅを含んでよい。保持タブ４３Ｅは、閉鎖部２２Ｅの押しボタン用凹部２３Ｅ内に押しボタン２４Ｅを保持するように構成されてよい。１つ以上の保持タブ４３Ｅは、１つ以上のアームの１つ以上の端部、例えば、後方端部に位置付けられ得る。本明細書に記載する他の保持タブは、保持タブ４３Ｅの代わりに、又はそれに加えて実装されてよい。
【０２０２】
閉鎖部２２Ｅの押しボタン用凹部２３Ｅは、押しボタン用凹部上壁７６と、押しボタン用凹部後壁７８と、を有し得る。押しボタン用凹部上壁７６及び押しボタン用凹部後壁７８は、少なくとも部分的に押しボタン用凹部２３Ｅを共に画定してよい。少なくとも１つの穴７８Ａが、保持タブ４３Ｅによる穴７８Ａの通過を受け入れるのに十分な大きさである、押しボタン用凹部後壁７８に形成される。いくつかの実施形態において、穴７８Ａの数は、保持タブ４３Ｅの数と等しくてよい。他の実施形態では、単一の穴７８Ａは、２つ以上の保持タブ４３Ｅを受け入れてよい。
【０２０３】
図２９Ａ及び図２９Ｂに示すように、押しボタン２４Ｅが閉鎖部２２Ｅと共に組み立てられると、押しボタン２４Ｅのアーム８０は、穴７８Ａを通って延在してよく、保持タブ４３Ｅは、押しボタン用凹部後壁７８の後面の後方に位置する。押しボタン用凹部後壁７８の後面は、保持タブ４３Ｅのタブ止めを含んでよく、又はタブ止めとして機能してよい。したがって、保持タブ４３Ｅは、押しボタン用凹部後壁７８の後面に係合して、押しボタン用凹部後壁７８の後面を越えての保持タブ４３Ｅの前方移動を阻止するように構成されてよい。したがって、図２９Ｂに示すように、押しボタン２４Ｅの保持タブ４３Ｅが押しボタン用凹部後壁７８の後面の後ろに位置するまで押しボタン２４Ｅを押しボタン用凹部２３Ｅに挿入した後、前方向は保持タブ止め４３Ｅ及び押しボタン用凹部後壁７８の後面、後方向は押しボタン２４Ｅの本体４０Ｅの後端部及び押しボタン用凹部後壁７８の前面など１つ以上の他の特徴によって決定された規定の範囲内で、押しボタン２４Ｅが閉鎖部２２Ｄに対して前後に摺動可能であってよい。
【０２０４】
アーム８０は、図示するように押しボタン２４Ｅが前方向に付勢される実施例では本体４０Ｅから後方に延在してよく、後方向に付勢される実施例では本体４０Ｅから前方に延在してよく、横方向に付勢される実施例では本体４０Ｅから横方向に延在してよく、又は対応する実施例では、前方向及び横方向若しくは後方向及び横方向の組み合わせであってよい。
【０２０５】
いくつかの実施形態では、保持タブ４３Ｅは、押しボタン用凹部後壁７８の後面から選択的に係合解除可能であって、押しボタン２４Ｅ及び閉鎖部２２Ｅの分解及び再組み立てを可能にしてよい。他の実施形態では、保持タブ４３Ｅは、保持タブ４３Ｅ若しくは他の構成要素、又はその一部を塑性変形させなければ、又は取り外さなければ、押しボタン用凹部後壁７８の後面から係合解除できなくてよい。アーム８０は弾性材料を含んでよく、保持タブ４３Ｅはアーム８０によって付勢されて、押しボタン用凹部後壁７８の後面に係合してよい。したがって、閉鎖部２２Ｅの頂部に向かう方向で保持タブ４３Ｅに取り外し力を加えることに応答して、アーム８０は、弾性的に変形して、保持タブ４３Ｅと穴７８Ａとの位置合わせを可能にして、押しボタン２４Ｅを押しボタン用凹部２３Ｅから取り外すことができるように構成されてよい。具体的には、保持タブ４３Ｅと穴７８Ａとの位置合わせに適応するようにアーム８０が弾性的に変形されると、保持タブ４３Ｅは、前方に押され、少なくとも穴７８Ａに挿入されて、保持タブ４３Ｅが押しボタン用凹部後壁７８を離れるまで押しボタン２４Ｅを前方にたぐり寄せ、次いで、押しボタン２４Ｅは、押しボタン用凹部２３Ｅから完全に取り出されてよい。代替的に又は追加的に、付勢部材７２は、押しボタン２４Ｅと閉鎖部２２Ｅとの間で予圧されてよく（例えば、圧縮中に操作される場合には部分的に圧縮される、又は伸張中に操作される場合には部分的に伸張する）、その結果、付勢部材７２は、保持タブ４３Ｅが穴７８Ａに位置合わせされた後に、少なくとも最初は押しボタン２４Ｅを前方へ付勢してよい。
【０２０６】
ラッチ４２Ｅは、例えば注ぎ口３２Ｅにおいて容器頂部２０Ｅに選択的に係合するように構成されてよい。例えば、注ぎ口３２Ｅは、閉鎖部２２Ｅが（図２９Ａ及び図２９Ｂに示すように）閉止閉鎖部位置にあり、かつ押しボタン２４Ｅが（図２９Ａ及び図２９Ｂに示すように）第１の押しボタン位置にあるとき、ラッチ４２Ｅに覆いかぶさるように構成されている１つ以上のラッチ止め４４Ｅ（図２９Ａ〜２９Ｃ）を含んでよい。ラッチ止め４４Ｅは、注ぎ口３２Ｅに形成されたリップ、注ぎ口３２Ｅに形成された肩部、注ぎ口３２Ｅに形成されたラッチ用凹部の上面、又は他の好適なラッチ止め４４Ｅを含んでよい。更に、押しボタン２４Ｅが適切に実装される場合、ラッチ止め４４Ｅは、例えば図２９Ａ及び図２９Ｂに示すように注ぎ口３２Ｅの内部に形成されてよく、又は注ぎ口３２Ｅの外部に形成されてよい（図２９Ａ及び図２９Ｂには示さない）。
【０２０７】
図２９Ａ及び図２９Ｂに示すように、押しボタン２４Ｅが第１の押しボタン位置にあり、かつ閉鎖部２２Ｅが閉止閉鎖部位置にあるとき、ラッチ４２Ｅは、ラッチ止め４４Ｅの後縁部からラッチ４２Ｅの前端部まで測定される係合距離ｄｅだけラッチ止め４４Ｅの下方に延在してよい。ラッチ４２Ｅは、例えば、図２９Ｃに示すようにラッチ４２Ｅの前端部が第２の押しボタン位置を構成し得るラッチ止め４４Ｅの後縁部から離れるまで、ユーザーが係合距離ｄｅを通って後方に押しボタン２４Ｅを押すことによって、ラッチ止め４４Ｅから係合解除されて、閉鎖部２２Ｅが開放閉鎖部位置まで移動できるようにしてよい。押しボタン２４Ｅが図２９Ｃの第２の押しボタン位置にある場合、ラッチ４２Ｅ及び注ぎ口３２Ｅはほとんど又は全く係合しない。したがって、閉鎖部２２Ｅ（及び押しボタン２４Ｅ）は、図２９Ｃの向きの容器の蓋２０Ｅに対して時計回りに、蓋開口部３４Ｅが開放している開放閉鎖部位置（例えば、図２３Ｃ）へと回転されてよい。
【０２０８】
弾性部材３７Ｅは、押しボタン２４Ｅが注ぎ口３２Ｅに係合する第１の押しボタン位置（図２９Ａに図示する）に向けて押しボタン２４Ｅを付勢するように構成されてよい。弾性部材３７Ｅはまた、押しボタン２４Ｅが注ぎ口３２Ｅを係合解除する第２の押しボタン位置（図２９Ｃに図示する）への押しボタン２４Ｄの移動に応答して、弾性的に変形するように構成されてよい。
【０２０９】
図２７Ａ及び図２７Ｂに示すように、弾性部材３７Ｅは、付勢部材７２と、蓋開口部シール４６Ｅと、を含んでよい。付勢部材７２及び蓋開口部シール４６Ｅは、例えば、図示するように単一及び／若しくはモノリシック構成要素として一体形成されてよく、又は形成後にそれに続いて連結される別個の構成要素として形成されてよい。
【０２１０】
いくつかの実施形態では、弾性部材３７Ｅは、蓋開口部シール４６Ｅと付勢部材７２とを接合する舌部を備えてよい。代替的に又は追加的に、付勢部材７２は舌部を備えてよい。舌部は、押しボタン２４Ｅを第１の押しボタン位置に向けて付勢してよく、第２の押しボタン位置への押しボタンの移動に応答して弾性的に変形してよい。
【０２１１】
図２４及び図２８Ａ〜図２９Ｃを参照すると、プラグ２６Ｅは、蓋開口部シール４６Ｅの少なくとも一部を内部に受容するように概ね構成されているシール受座３１Ｅを画定してよい。例えば、シール受座３１Ｅは、プラグ２６Ｅの周囲に形成された環状チャネルを含んでよく、シール受座３１Ｅ又は環状チャネルは、蓋開口部シール４６Ｅの内径とほぼ同一の直径を有する。いくつかの実施形態では、シール受座３１Ｅの直径は、蓋開口部シール４６Ｅの直径よりも若干小さくてよく、蓋開口部シール４６Ｅは、シール受座３１Ｅ内に設置されたときに、蓋開口部シール４６Ｅが伸張されてシール受座３１Ｅの周囲にぴったりと収まるように、弾性材料及び／又は伸縮性材料で形成される。他の実施形態では、蓋開口部シール４６Ｅは、シール受座３１Ｅ内に設置されたときに弛緩し、伸張しなくてよい。
【０２１２】
図２７Ａ、図２７Ｂ、及び図２９Ａ〜図２９Ｃを参照すると、付勢部材７２は、蓋開口部シール４６Ｅから延在してよい。代替的に又は追加的に、付勢部材７２は、蓋開口部シール４６Ｅから上方に延在してよい。前述したように、付勢部材７２は、舌端部７２Ａ及び舌首部７２Ｄのうちの１つ以上を備える舌部を備えてよい。舌端部７２Ａは、前向き面７２Ｂと、後向き面７２Ｃと、を含んでよく、舌端部７２Ａよりも狭い舌首部７２Ｄを介して蓋開口部シール４６Ｅに連結されてよい。容器の蓋１６Ｅが組み立てられると、後向き面７２Ｃは、図３１に示すように、押しボタン用凹部後壁７８に隣接して、及び／又はこれと直接接触して位置付けられてよい。
【０２１３】
図２５Ａ〜図２５Ｅを参照すると、押しボタン２４Ｅは、弾性部材３７Ｅの付勢部材７２に対して相補的な形状を有し得る舌部用チャネル８８を備えてよい。舌部用チャネル８８は、押しボタン２４Ｅの下側に位置してよい。舌部用チャネル８８は、舌端部用空洞８８Ａと、舌首部用空洞８８Ｂと、を含んでよい。図示する実施形態では、舌端部用空洞８８Ａは、内部に付勢部材７２の舌端部７２Ａを受容する寸法であり、そのように構成されていてよく、舌首部用空洞８８Ｂは、内部に舌首部７２Ｄを受容する寸法であり、そのように構成されてよい。舌部用チャネル８８は、後向き面８８Ｃを更に含んでよい。弾性部材３７Ｅの付勢部材７２が押しボタン２４Ｅの舌部用チャネル８８内に位置付けられるとき、舌端部７２Ａの前向き面７２Ｂは、図３１に示すように、押しボタン２４Ｅによって画定される舌部用チャネル８８の後向き面８８Ｃに隣接して、及び／又はこれと直接接触して位置付けられてよい。
【０２１４】
図２９Ａ〜図２９Ｃ、及び図３１に示すように、容器の蓋１６Ｅが組み立てられると、弾性部材３７Ｅの蓋開口部シール４６Ｅは、プラグ２６Ｅのシール受座３１Ｅ内に着座してよく、付勢部材７２は、蓋開口部シール４６Ｅの前部から押しボタン２４Ｅの舌部用チャネル８８の中へと後方に、また任意選択的に上方に延在する。押しボタン２４Ｅが第１の押しボタン位置にあるとき、舌端部７２Ａは、押しボタン２４Ｅ及び閉鎖部２２Ｅによって形成された空洞内に位置付けられてよい（図３１）。具体的には、舌端部７２は、押しボタン２４Ｅと閉鎖部２２Ｅとの間に位置付けられてよく、押しボタン２４Ｅの舌部用チャネル８８の後向き面８８Ｃは、舌端部７２Ａの前向き面７２Ｂと直接接触し、閉鎖部２２Ｅの押しボタン用凹部後壁７８は、舌端部７２Ａの後向き面７２Ｃと直接接触する。いくつかの実施形態では、押しボタン２４Ｅが第１の押しボタン位置にあるとき、舌端部７２Ａは、押しボタン２４Ｅと閉鎖部２２Ｅとの間で少なくとも部分的に圧縮されて、押しボタン２４Ｅを第１の押しボタン位置に向けて前方向に継続的に付勢してよい。代替的に又は追加的に、舌首部７２Ｄは、少なくとも部分的に後方に伸張されて、押しボタン２４Ｅを第１の押しボタン位置に向けて前方向に継続的に付勢してよい。
【０２１５】
押しボタン２４Ｅ、例えば、押し領域４５Ｅに十分な後方力を加えると、付勢部材７２による継続的な前方向付勢力を克服し、押しボタン２４Ｅを第２の押しボタン位置に向けて後方に移動させ得る。押しボタン２４Ｅが第２の押しボタン位置に向かって後方移動することにより、付勢部材７２、特に舌端部７２Ｅが圧縮し得る、及び／又は舌首部７２Ｄが伸張し得る。これは、舌部用チャネル８８の後向き面８８Ｃを付勢部材７２の前向き面７２Ｂに対して付勢すると、押しボタン２４Ｅが、閉鎖部２２Ｅの押しボタン用凹部後壁７８に対して後方に舌端部７２Ａを圧縮させるためである。舌首部７２Ｄの前部は、蓋開口部シール４６Ｅの前部に連結され、これは次に、プラグ２６Ｅのシール受座３１Ｅ内に着座し、その結果、押しボタン２４Ｅの後方移動は舌端部７２Ａの後方移動を引き起こすため、舌首部７２Ｄはその長さに沿っていてよい。
【０２１６】
いくつかの実施形態では、舌首部７２Ｄは、１つ以上の畝又は凸凹部を含み得る。舌首部７２Ｄ内に畝又は凸凹部を含むことにより、畝を有さない舌首部と比較して、伸張に対する舌首部７２Ｄの抵抗を減少させ得る。したがって、舌首部７２Ｄ内の畝又は凸凹部は、舌端部７２Ａを蓋開口部シール４６Ｅから少なくとも部分的に機械的に分離してよい。例えば、第１の押しボタン位置から第２の押しボタン位置への押しボタン２４Ｅの移動によって、舌端部７２Ａが押しボタン２４Ｅと閉鎖部２２Ｅとの間で圧縮されるとき（この移動はまた、舌首部７２Ｄを伸張し得る）、畝又は凸凹部を有する舌首部７２Ｄは、例えば、舌首部２９Ｃ、５７Ｃが上述の蓋開口部シール４６Ａ、４６Ｄを引き寄せ得るよりも小幅に、蓋開口部シール４６Ｅを引き寄せ得る。
【０２１７】
後方力が押しボタン２４Ｅから除去されると、付勢部材７２の圧縮された舌端部７２Ａは、少なくとも部分的に圧縮解除される、つまり伸張することができ、及び／又は付勢部材７２の伸張された舌首部７２Ｄは、少なくとも部分的に再圧縮されてよい。前述の動作のいずれか又は両方は、押しボタン２４Ｅを第１の押しボタン位置に戻すように付勢し得る。例えば、舌端部７２Ａの後向き面７２Ｃが、押しボタン用凹部後壁７８と接触し、かつ付勢部材７２の前向き面７２Ｂが舌部用チャネル８８内の後向き面８８Ｃと接触しているとき、圧縮された舌端部７２Ａの少なくとも部分的な圧縮解除つまり伸張は、押しボタン２４Ｅを前方向へと付勢する。この実施形態及び他の実施形態では、容器の蓋１６Ｅは、別個の構成要素として付勢部材及び蓋開口部シールの両方を有する一部の容器の蓋と比較して、部品数及びコストが削減され得る。
【０２１８】
ロック７０は、押しボタン２４Ｅ及び閉鎖部２２Ｅの一方又は両方に対して移動可能であってよい。ロック７０は、押しボタン２４Ｅ及び閉鎖部２２Ｅの一方、両方に対して移動可能に連結されてよい、又はいずれも連結されなくてよい。概して、ロック７０は、ロック位置（図２９Ａ）とロック解除位置（図２９Ｂ）との間を移動可能であってよい。ロック位置では、ロック７０は、押しボタン２４Ｅが第１の押しボタン位置から第２の押しボタン位置に移動することを阻止する、又は防止するように位置付けられてよい。ロック解除位置では、ロックは、第１の押しボタン位置と第２の押しボタン位置との間での押しボタン２４Ｅの移動に適応するか、又はそれを可能にするように位置付けられてよい。
【０２１９】
いくつかの実施形態では、ロック７０は、押しボタン２４Ｅと閉鎖部２２Ｅとの間に少なくとも部分的に位置付けられてよい。ロック７０は、押しボタン２４Ｅ及び閉鎖部２２Ｅの一方又は両方に形成された空洞及び／又は凹部内に少なくとも部分的に位置付けられてよい。例えば、閉鎖部２２Ｅは、例えば、押しボタン用凹部上壁７６の底面内など、閉鎖部２２Ｅの底面にロック用凹部７４（図２０）を画定してよい。図２０に示すロック用凹部７４は、ロック７０の移動のために支点７４Ａを含む後方端部を有する。ロック用凹部７４を含むことに加えて又はそれに代えて、閉鎖部２２Ｅはロックスイッチチャネル、つまり凹部６２Ｅを備えて、ユーザーがロック７０をロック位置とロック解除位置との間で移動させるために閉鎖部２２Ｅを通るアクセスを提供してよい。
【０２２０】
図２５Ａを参照すると、押しボタン２４Ｅは、上面８２を含み、上面８２にロック用空洞８４を画定する。ロック用空洞８４は、ロック用空洞８４の第１の部分にある第１の止め具８４Ａと、ロック用空洞８４の第２の部分にある第２の止め具８４Ｂと、を含む。第２の止め具８４Ｂは、第１の止め具８４Ａの前方に位置する。加えて、ロック用空洞８４の底面は、第１の止め具８４Ａの後方にある第１の受容部８６Ａと、第２の止め具８４Ｂの後方にある第２の受容部８６Ｂと、を含んでよい。第２の受容部８６Ｂは、前後方向に細長い形状を有し得る。受容部８６Ａ、８６Ｂは、例えば、窪み、陥没部、開口部、通路、凹部、又はこれらの組み合わせを含み得る。
【０２２１】
図２６Ａ及び図２６Ｂを参照すると、ロック７０は当接部７０Ｃを含んでよい。当接部７０Ｃは、ロック７０がロック位置にある間に押しボタン２４Ｅが第２の押しボタン位置に向かって前進すると、第１の止め具８４Ａと接触するように配置されている１つ以上の表面を備え得る。例えば、当接部は、図２６Ａ及び図２６Ｂに示すように、１つ以上の前向き面を含み得る。
【０２２２】
当接部７０Ｃは、任意選択的に基部７０Ａから（例えば、下方又は上方に）延在してよい。基部７０Ａは、例えば、図２６Ａ及び図２６Ｂに示すように平面であり得、又は他の構成を有し得る。
【０２２３】
当接部７０Ｃは、支持体７０Ｂの一部を形成してよい。支持体７０Ｂは、基部７０Ａが存在する場合には、そこから延在してよい。支持体７０Ｂは、任意選択的に、基部７０Ａから下方に延在する水平域として形成されてよい。支持体７０Ｂは、押しボタン２４Ｅの移動に抵抗する第１の止め具８４Ａとの接触中に、ロック７０の移動及び／若しくは位置決めを容易にし、並びに／又は当接部７０Ｃを支持し得る。支持体７０Ｂは、１つ以上の側部、例えば、上側及び／又は下側に凹部を有してよい。
【０２２４】
図２５Ａ〜図２６Ｂを参照すると、ロック７０がロック位置及びロック解除位置の両方にあるとき、支持体７０Ｂは、ロック用空洞８４及び基部７０Ａ内に配置されてよく、押しボタン２４Ｅの上面８２が存在する場合にはその上で、又はそれによって支持されてよい。例えば、ロック７０がロック位置にあるか、ロック解除位置にあるかにかかわらず、基部７０Ａは、基部７０Ａの前部の一部又は全体、基部７０Ａの前隅部のうちの一方又は両方、及び基部７０Ａの１つ以上の側部に沿って押しボタン２４Ｅの上面８２によって支持されてよい。
【０２２５】
加えて、図２６Ａ、図２６Ｂ、図２８Ａ、及び図２８Ｂを参照すると、ロック７０は、閉鎖部２２Ｅの押しボタン用凹部上壁７６の底面にあるロック用凹部７４内に少なくとも部分的に受容されてよい。例えば、基部７０Ａ及び／又は支持体７０Ｂは、ロック用凹部７４内に少なくとも部分的に受容されてよい。ロック７０の枢軸７０Ｆは、ロック用凹部７４の支点７４Ａにおいて、又はそれに近接して位置付けられてよい。枢軸７０Ｆは、基部７０Ａ及び／又は支持体７０Ｂによって形成されてよい。
【０２２６】
図２９Ａを参照すると、押しボタン２４Ｅが第１の押しボタン位置にあり、かつロック７０がロック位置にあるとき、ロック７０の当接部７０Ｃは、押しボタン２４Ｅのロック用空洞８４の第１の止め具８４Ａに面して位置付けられ、第１の止め具８４Ａから係合距離よりも短い距離ｄｅ及びわずか０だけ離間してよい。閉鎖部２２Ｅが閉止閉鎖部位置にある間に当接部７０Ｃを第１の止め具８４Ａに対してこの方法で位置付けることにより、押しボタン２４Ｅの不用意な後方移動によって閉鎖部２２Ｅが誤って開放されないようにしてよい。具体的には、押しボタン２４Ｅを不用意に後方に押すこと、又は更には意図的に後方に押すことにより、押しボタン２４Ｅは、仮にそうなっても、第１の押しボタン位置から第１の止め具８４Ａが当接部７０Ｃと接触する位置までのみ後方に移動させられ得る。第１の止め具８４Ａは、押しボタン２４Ｅが第１の押しボタン位置にあるときに、係合距離ｄｅよりも短い距離だけ当接部７０Ｃから離間しているため、押しボタン２４Ｅは、ラッチ４２Ｅがラッチ止め４４Ｅを離れるまで係合距離ｄｅを不用意に後方移動できず、閉鎖部２２Ｅは閉止閉鎖部位置に留まってよい。
【０２２７】
図２９Ｂ及び図２９Ｃを参照すると、押しボタン２４Ｅが第１の押しボタン位置にあり、かつロックがロック解除位置にあるとき、ロック７０の当接部７０Ｃは、押しボタン２４Ｅのロック用空洞８４の第２の止め具８４Ｂに面して位置付けられ、第２の止め具８４Ｂから係合距離ｄｅ以上の距離だけ離間しており、このため、押しボタン２４Ｅは、図２９Ｂの第１の押しボタン位置から図２９Ｃの第２の押しボタン位置へと移動できてよい。具体的には、ロック７０がロック解除位置にあるとき、押しボタン２４Ｅを後方に押すことにより、押しボタン２４Ｅは第１の押しボタン位置から後方へと少なくとも係合距離ｄｅだけ移動して、図２９Ｃに示すように、ラッチ４２Ｅはラッチ止め４４Ｅから離れ、閉鎖部２２Ｅを開放することができる。
【０２２８】
再び図１８Ａ及び図１８Ｂを参照すると、ロック７０は、ロックスイッチ７０Ｄ及び／又は突起部７０Ｅを更に含んでよい。ロックスイッチ７０Ｄは、基部７０Ａ、支持体７０Ｂ、及び／又は当接部７０Ｃから上方に延在し得る。ロックスイッチ７０Ｄは、例えば図２６Ａに示すように、基部７０Ａの前部において、又はその付近で上方に延在し得、又は、例えば基部の前部と後部との間など他の位置に位置付けられてよい。図２９〜図２９Ｃに示すように、ロックスイッチ７０Ｄは、閉鎖部２２Ｅの押しボタン用凹部上壁７６に形成されたロックスイッチチャネル６２Ｅを通って上方に延在する。スイッチ７０Ｄは、例えば、ユーザーによって操作されて、ロック７０をロック位置とロック解除位置との間で移動させることができる。
【０２２９】
突起部７０Ｅは、ロック用空洞８４の第１の受容部８６Ａ及び第２の受容部８６Ｂのいずれかに受容されてよい。第１の受容部８６Ａは、ロック７０のロック位置と関連付けられてよく、第２の受容部８６Ｂはロック７０のロック解除位置と関連付けられてよい。例えば、突起部７０Ｅは、ロック７０がロック位置にあるときに第１の受容部８６Ａに受容されてよく、突起部７０Ｅは、ロック７０がロック解除位置にあるときに第２の受容部８６Ｂに受容されてよい。いくつかの実施形態では、突起部７０Ｅと第１の受容部８６Ａ及び第２の受容部８６Ｂとの相互作用は、ロック７０がロック位置及びロック解除位置のうちの対応する１つに移動されたときを示す触覚フィードバックを提供してよい。代替的に又は追加的に、突起部７０Ｅと第１の受け部８６Ａ及び第２の受け部８６Ｂとの相互作用は、ロック位置とロック解除位置との間でのロック７０の不用意な移動を阻止してよい。
【０２３０】
図２５Ａ〜図２５Ｅを参照すると、押しボタン２４Ｅは、本体４０Ｅの少なくとも一部に沿って前後に延在する１つ以上のチャネル９２を含んでよい。例えば、チャネル９２は、本体４０Ｅの両側に形成されてよい。図２５Ａ〜図２５Ｅでは、本体４０Ｅの２つの側部に沿って２つのチャネル９２を有するように押しボタン２４を示す。他の実施形態では、押しボタン２４Ｅは、押しボタン２４Ｅの同一位置又は他の位置に単一のチャネル９２又は３つ以上のチャネル９２を有してよい。
【０２３１】
図２８Ａ及び図２８Ｂを参照すると、閉鎖部２２Ｅは、前後に延在し、押しボタン２４Ｅのチャネル９２に対して相補的である１つ以上のレール９４を押しボタン用凹部２３Ｅ内に含んでよい。レール９４は、押しボタン用凹部２３Ｅの両側に形成されてよく、押しボタン用凹部２３Ｅの中へと部分的に延在してよく、また、押しボタン用凹部２３Ｅの側部に沿って少なくとも部分的に長さ方向に延在してよい。レール９４のそれぞれは、チャネル９２の対応する１つを受容するように構成されてよい。図２８Ａ及び図２８Ｂでは、押しボタン用凹部２３Ｅの２つの側部に沿って２つのレール９４を有するように閉鎖部２２Ｅを示す。他の実施形態では、閉鎖部２２Ｅは、押しボタン用凹部２３Ｅの同一位置又は他の位置に単一のレール９４又は３つ以上のレール９４を有してよい。押しボタン２４Ｅのチャネル９２は、閉鎖部２２Ｅのレール９４と嵌合及び／又は係合して、閉鎖部２２Ｅに対する押しボタン２４Ｅの水平並進運動を可能にし、その一方、閉鎖部２２Ｅに対する押しボタン２４Ｅの回転運動及び／又は垂直並進運動を阻止及び／又は防止する。
【０２３２】
チャネル９２及びレール９４の位置は、逆であってよい。例えば、押しボタン２４Ｅは、（１つ以上のチャネル９２の代わりに）１つ以上のレールを含んでよく、その一方、閉鎖部２２Ｅは、（１つ以上のレール９４の代わりに）１つ以上の相補的チャネルを含んでよい。あるいは、押しボタン２４Ｅは１つ以上のレール及び１つ以上のチャネルを含んでよく、その一方、閉鎖部２２Ｅは、１つ以上の相補的チャネル及び１つ以上の相補的レールを含んでよい。
【０２３３】
図２５Ａ〜図２５Ｅに示すように、押しボタン２４Ｅは、１つ以上の突起部９１を更に含んでよい。突起部９１は、上面８２から上方に、及び／又は上方に延在してもよい。突起部９１は、例えば、押しボタン２４Ｅに概ね後方の力が加えられるとき、又は押しボタン２４Ｅが前方向に付勢されるときに、押しボタン２４Ｅが閉鎖部２２Ｅに対して傾く、又は回転することを防止及び／又は阻止し得る。突起部９１は、アーム８０の可撓性と協力して、保持タブ４３Ｅが押しボタン用凹部後壁７８内の穴７８Ａと意図的に位置合わせされていない閉鎖部２２Ｅに連結されている押しボタン２４Ｅを保持して、押しボタン２４Ｅを閉鎖部２２Ｅの押しボタン用凹部２３Ｅから取り出してよい。
【０２３４】
図２５Ａ〜図２５Ｅ及び図２８Ａ〜図３０Ｂを参照すると、いくつかの実施形態では、押しボタン２４Ｅの一部、例えば、押し領域４５Ｅの後ろの一部は、閉鎖部２２Ｅの前部を包み込んで後方に延在してよい。具体的には、閉鎖部２２Ｅは前側レール９６を含んでよく、押しボタン２４Ｅは、前側レール９６の少なくとも一部を内部に受容するように構成されている後向きのチャネル９８（以下、「チャネル９８」）を含んでよい。いくつかの実施形態では、押しボタン２４Ｅが第１の押しボタン位置（図２９Ａ、図２９Ｂ、図３０）にあるときにチャネル９８内に受容される前側レール９６の量は、押しボタン２４Ｅが第２の押しボタン位置にあるときよりも少なくてよい。チャネル９８と前側レール９６との相互作用は、閉鎖部２２Ｅに対する押しボタン２４Ｅの運動を制約し得る。例えば、チャネル９８及び前側レール９６は嵌合、及び／又は係合して、閉鎖部２２Ｅに対する押しボタン２４Ｅの水平並進運動を可能にし、その一方、閉鎖部２２Ｅに対する押しボタン２４Ｅの回転運動及び／又は垂直並進運動を阻止及び／又は防止することができる。
【０２３５】
図２３Ａ〜図２４及び図２９Ａ〜図３０では、容器の蓋２０Ｅに取り付けられるか、又はこれと共に形成されるものとしてキャリーループアーム２１Ｅを含むキャリーループ２７Ｅを示す。キャリーループ２７Ｅ及び／又はキャリーループアーム２１Ｅは、可撓性及び／若しくは半可撓性であってよく、並びに／又は容器の蓋２０Ｅの一部若しくは全体に対して移動可能であってよい。
【０２３６】
プラグ２６Ｅは、例えば図示するように、閉鎖部２２Ｅと一体形成されてよく、又は閉鎖部２２Ｅに連結される別個の構成要素として形成されてよい。代替的に又は追加的に、プラグ２６Ｅは、蓋開口部シール４６Ｅと一体形成されてよいが、図２２〜図３１では別個の構成要素として示す。
【０２３７】
蓋開口部シール４６Ｅは、閉鎖部２２Ｅが閉止閉鎖部位置にあるときに注ぎ口３２Ｅの蓋開口部３４Ｅを封止するように構成されてよく、例えば、プラグ２６Ｅを介して閉鎖部２２Ｅに連結されてよい。蓋開口部シール４６Ｅとしては、図１〜図５、図１４〜図２１Ｂ、及び図２２〜図３１の実施形態でのようなＯリングガスケット、図１０〜図１３の実施形態でのようなオーバーサイズの弾性環状プラグ突起部、図６〜図９の実施形態でのような逆ドーム型弾性シール、又は他の好適な蓋開口部シールが挙げられてよい。
【０２３８】
図２７Ａ、図２７Ｂ、及び図３０を参照すると、蓋開口部シール４６Ｅは、第１の外周フランジ９０Ａ、第２の外周フランジ９０Ｂ、及び／又は第３の外周フランジ９０Ｃ（総称して「外周フランジ９０」）など１つ以上の外周フランジを含んでよい。第１の外周フランジ９０Ａは、第２の外周フランジ９０Ｂの下方に位置し、両フランジとも第３の外周フランジ９０Ｃの下方に位置する。蓋開口部３４Ｅは、第１の直径Ｄ１を有する腰部、つまりくびれ部を有する断面プロファイルを有してよい。蓋開口部３４Ｅの直径は、蓋開口部３４Ｅに沿って腰部、つまりくびれから上方又は下方に移動しながら、第１の直径Ｄ１から増大してよい。例えば、腰部又はくびれ部から上方に移動しながら、蓋開口部３４Ｅの直径が、例えば第２の直径Ｄ２へと増大してよい。同様に、腰部又はくびれ部から下方に移動しながら、蓋３４Ｅの直径が、例えば第３の直径Ｄ３へと増大してもよい。
【０２３９】
図３０でのように閉鎖部２２Ｅが閉止閉鎖部位置に位置付けられるとき、蓋開口部シール４６Ｅは、外周フランジ９０のうちの少なくとも１つが腰部、つまりくびれ部の上方に位置付けられ、外周フランジ９０のうちの少なくとも１つが腰部、つまりくびれ部の下方に位置付けられるように、蓋開口部３４Ｅ内に位置付けられてよい。具体的には、図３０に示すように、第２の外周フランジ９０Ｂ及び第３の外周フランジ９０Ｃは、腰部、つまりくびれ部の上方に位置付けられてよく、その一方、第１の外周フランジ９０Ａは、腰部、つまりくびれ部の下方に位置付けられてよい。
【０２４０】
代替的に又は追加的に、蓋開口部３４Ｅは、蓋開口部３４Ｅの高さに沿って可変径を有してよい。蓋開口部３４Ｅは、蓋開口部３４Ｅの中間高さにおいて第１の直径Ｄ１を有してよい。蓋開口部３４Ｅの可変径は、蓋開口部３４Ｅの少なくとも上部の中間高さから上方に移動しながら、例えば第２の直径Ｄ２へと増大し得る。同様に、蓋開口部３４Ｅの可変径は、蓋開口部３４Ｅの少なくとも下部の中間高さから下方に移動しながら増大し得る。
【０２４１】
図３０でのように閉鎖部２２Ｅが閉止閉鎖部位置に位置付けられるとき、蓋開口部シール４６Ｅは、外周フランジ９０のうちの少なくとも１つが中間高さの上方に位置付けられ、外周フランジのうちの少なくとも１つが中間高さの下方に位置付けられるように、蓋開口部３４Ｅ内に位置付けられてよい。具体的には、図３０に示すように、第２の外周フランジ９０Ｂ及び第３の外周フランジ９０Ｃは、中間高さの上方に位置付けられてよく、その一方、第１の外周フランジ９０Ａは、中間高さの下方に位置付けられてよい。
【０２４２】
外周フランジ９０のうちの少なくとも１つが、蓋開口部シール３４Ｅの腰部、つまりくびれ部、及び／又は中間高さの下方に位置付けられている、蓋開口部シール４６Ｅの構成は、容器の蓋１６Ｅの圧力定格を増大させてよい。例えば、蓋開口部シール４６Ｅは、対応する閉鎖部が閉止閉鎖部位置にあるときに、対応する蓋開口部の腰部、つまりくびれ部の下方に位置する少なくとも１つの外周フランジを有さない蓋開口部シールよりも高い圧力に対して封止されたままであり得る。
【０２４３】
蓋開口部３４Ｅが閉鎖部２２Ｅによって閉止されているとき、蓋開口部シール４６Ｅと蓋開口部３４Ｅとの封止は十分に緊密であって、容器１０Ｅから流体又は他の内容物が意図せず漏出しないようにし得るが、比較的緩やかな開放力の下で、閉止閉鎖部位置にある閉鎖部２２Ｅをそれ自体で保持するほど緊密ではない。代わりに、ラッチ４２Ｅはラッチ止め４４Ｅと協働して、押しボタン２４Ｅが第１の押しボタン位置にあるときに閉鎖部２２Ｅを閉止閉鎖部位置に保持してよい。
【０２４４】
前述のように、押しボタン２４Ｅは、実質的に閉鎖部２２Ｅの押しボタン用凹部２３Ｅ内に配設されてよく、閉鎖部２２Ｅによって実質的に包囲されてよい。より詳細には、例えば、押しボタン２４Ｅは、閉鎖部２２Ｅの押しボタン用凹部上壁７８と押しボタン用凹部下壁１０８との間に、実質的に（例えば、長さ、幅、高さ、表面積、及び／又は容積の５０％超）配設されてよい。
【０２４５】
いくつかの実施形態では、押し領域４５Ｅ、付勢部材７２、及びラッチ４２Ｅは、ラッチ４２Ｅが、押し領域４５Ｅと付勢部材７２との間に、押しボタン２４Ｅが第１の押しボタン位置から第２の押しボタン位置へ移動する方向で位置付けられている状態で配置されてよい。いくつかの実施形態では、押し領域４５Ｅ、付勢部材７２、及びラッチ４２Ｅは、付勢部材７２が、押し領域４５Ｅとラッチ２４Ｅとの間に、押しボタン２４Ｅが第１の押しボタン位置から第２の押しボタン位置へ移動する方向で位置付けられている状態で配置されてよい。いくつかの実施形態では、押し領域４５Ｅ、付勢部材７２、及びラッチ４２Ｅは、前後に、例えば、押しボタン２４Ｅが第１の押しボタン位置から第２の押しボタン位置へ移動する方向で、位置合わせされ得る、又は少なくとも実質的に位置合わせされ得る。代替的に又は追加的に、押しボタン２４Ｅが第２の押しボタン位置から第１の押しボタン位置へと移動する方向の付勢部材７２Ａの突起部は、押しボタン２４Ｅのラッチ４２Ｅ及び／又は押し領域４５Ｅと交差してよい。前述の態様のうちの１つ以上は、閉鎖部２２Ｅに対する押しボタン２４Ｅのより滑らかな移動及び／又は動作を支援してよく、これにより、操作時に押しボタン２４Ｅが閉鎖部２２Ｅに不用意に結合する可能性を回避し得る、又は少なくとも低減し得る。
【０２４６】
押しボタン２４Ｅは、アーム８０の端部に形成される保持タブ４３Ｅと、閉鎖部２２Ｅの押しボタン用凹部後壁７８との相互作用、具体的には押しボタン用凹部後壁７８の後向き面との相互作用によって、閉鎖部２２Ｅに取り外し可能に連結されているものとして説明する。具体的には、保持タブ４３Ｅは、閉鎖部２２Ｅに選択的に係合して、押しボタン２４Ｅを閉鎖部２２Ｅに選択的に連結するように構成されてよい。この実施形態及び他の実施形態では、保持タブ４３Ｅは、閉鎖部２２Ｅに対して外部から閉鎖部２２Ｅと係合解除可能である。例えば図２９Ａに示すように、例えば、保持タブ４３Ｅは、閉鎖部２２Ｅに対して外部から閉鎖部２２Ｅと、具体的には、押しボタン用凹部後壁７８の後面と係合解除可能である。より一般的には、保持タブ４３Ｅは、閉鎖部２２Ｅに対して外部から閉鎖部２２Ｅの後向き面と係合解除可能であり得る。
【０２４７】
本明細書に記載するいくつかの実施形態は、概して、閉鎖部２２Ｅなど閉鎖部に移動可能に連結され、容器頂部１６Ｅなど容器頂部に選択的に係合して、閉鎖部を閉止位置に選択的に保持するように構成されている、押しボタン２４Ｅなど押しボタンを含んでよい。押しボタンは、閉鎖部に係合して、保持タブと閉鎖部との係合部を越えての保持タブの前方への移動を阻止する、保持タブ４３Ｅなど保持タブを備えてよい。
【０２４８】
押しボタンは、保持タブを閉鎖部に向けて付勢し、閉鎖部に向けて保持タブを選択的に係合解除するように弾性的に変形可能であり、閉鎖部から保持タブを選択的に係合解除して、押しボタンが閉鎖部から分離され得るように弾性的に変形可能である弾性部分を備えてよい。アーム８０は、押しボタンのかかる弾性部分の一例である。
【０２４９】
保持タブは、閉鎖部の後向き面に係合して、後向き面を越えての保持タブの前方移動を阻止してよい。押しボタン用凹部後壁７８の後向き面は、かかる後向き面の一例である。代替的に又は追加的に、かかる後向き面は、閉鎖部の押しボタン用凹部の上壁、下壁、又は側壁に形成されてよく、又はその中に含まれてよい。例えば、閉鎖部２２Ｅの押しボタン用凹部２３Ｅの側壁は、後向き面を備えてよい。側壁、又は少なくともその一部は、押しボタン用凹部の後部に配設されてよい。
【０２５０】
代替的に又は追加的に、押しボタン用凹部の側壁に穴が形成されてよく、押しボタンのアーム、例えばアーム８０は、押しボタン用凹部側壁に形成された穴の中へと延在してよい。保持タブは、押しボタン用凹部側壁に係合して、後向き面を越えての保持タブの前方移動を阻止してよい。
【０２５１】
本明細書に開示する実施形態の様々な構成要素及び特徴は、所望に応じて組み合わされ得る、又は代用され得る。例えば、プラグ２６Ａ、２６Ｂ、２６Ｃ、２６Ｄ、２６Ｅ（以下、「プラグ２６」）及び／又は蓋開口部シール４６Ａ、４６Ｂ、４６Ｃ、４６Ｄ、４６Ｅ（以下、「蓋開口部シール４６」）のいずれかは、容器の蓋１６Ａ、１６Ｂ、１６Ｃ、１６Ｄ、１６Ｅのいずれか（以下、「容器の蓋１６」）で使用されてよい。代替的に又は追加的に、修正が行われてよい。例えば、図３、図４Ｂ、図５、図１６、図１９、図２１Ａ、及び図２１Ｂに示す弾性部材３７Ａ及び３７Ｄは、伸張状態で動作するものとして説明しているが、その代わりに、適切に修正して圧縮状態で動作し得る。同様に、図８及び９に示す付勢部材３７Ｂ及び５８、図１２及び１３に示す付勢部材３７Ｃ、並びに図２３Ｃ、図２４、図２７Ａ、図２７Ｂ、及び図２９Ａ〜図３１に示すシール及び付勢部材３７Ｅは、圧縮状態で動作するものとして説明しているが、その代わりに、適切に修正して伸張状態で動作し得る。
【０２５２】
弾性部材３７Ａ、３７Ｄ、及び３８Ｅ、具体的には舌部２９、５７、及び７２は、いくつかの図では非コイル状エラストマーばねとして示し、その一方、付勢部材３７Ｂ、３７Ｃ、５８は、いくつかの図では螺旋コイルばねとして示す。弾性部材３７Ａ、３７Ｄ、及び３７Ｅ並びに付勢部材３７Ｂ、３７Ｃ、及び５８（以下、「付勢部材３７」）は、他の実施形態では、実施例に応じて他の形態であってよい。例えば、対応する容器の蓋１６の１つ以上の構成要素を適切に修正すると、付勢部材３７、５８のいずれかは、代替的に又は追加的に、螺旋コイルばね、ねじりばね、竹の子ばね、板ばね、エラストマーばね、バンド、又は任意の他の好適な付勢部材構成として実装されてよい。
【０２５３】
容器本体１８Ａ、１８Ｂ、１８Ｃ、１８Ｄ、１８Ｅ（以下、「容器本体１８」）は、１種以上の液体及び／又は固体を保持し、及び／又は格納するような寸法であり、そのように構成されてよい。具体的には、容器本体１８は、水、フレーバーウォーター、ビタミン増強水など液体を格納するために使用される器又はボトルをそれぞれ含んでよい。容器本体１８はまた、ジュース、エネルギードリンク、止渇飲料、及び他の種類の飲料など流体及び溶液を格納してよい。容器本体１８はまた、粉末、濃縮物、混合物、及び食品など固体を格納するために使用されてよい。
【０２５４】
容器本体１８は、任意の好適な寸法であってよい。例えば、容器本体１８は、約８、１２、１６、２０、又は２４オンス（つまり約２００、３００、４００、５００、６００、７００、８００、９００ｍＬ又は１リットル）を保持してよい。容器本体１８は、より小さい寸法及びより大きい寸法など、任意の好適な寸法を有してよい。加えて、容器本体１８は、例えば、容器の用途に応じて、本明細書に開示する以外の他の形状及び構成を有してよい。更に、容器本体１８は絶縁されていて、内容物を所望の温度に保つように支援してよい。容器本体１８は、プラスチック、ガラス、金属、並びに／又は好適な特性及び特質を有する他の材料で作製されてよい。
【０２５５】
容器の蓋１６は、概して、少なくとも２つが連結される部分において、容器本体１８の寸法及び形状に対して相補的であり得る、任意の好適な寸法及び／又は形状を有してよい。更に、容器本体１６は絶縁されていて、容器本体１８内の内容物を所望の温度に保つように支援してよい。容器の蓋１６は、プラスチック、ガラス、金属、並びに／又は好適な特性及び特質を有する他の材料で作製されてよい。プラグ２６、付勢部材３７、５８、及び／又は蓋開口部シール４６は、弾性、展性、可撓性、屈曲可能、伸縮性、及び／又は弾性である材料で構成されてよい。例えば、プラグ２６及び／又は蓋開口部シール４６は、シリコーン、ポリマー、ゴム、プラスチック、又は好適な特性及び特質を有する他の材料のうちの１つ以上で構成されてよい。付勢部材３７、５８は、シリコーン、ポリマー、ゴム、プラスチック、鋼若しくは他の金属、又は好適な特性及び特質を有する他の材料のうちの１つ以上を含んでよく、かつ／又はこれらで構成されてよい。プラグ２６及び／又は付勢部材３７の弾力性は、他の箇所に記載するように押しボタン２４Ａ、２４Ｂ、２４Ｃ、２４Ｄ、２４Ｅ（以下、「押しボタン２４」）の動作に寄与し得、その一方、蓋開口部シール４６の弾力性は、蓋開口部３４Ａ、３４Ｂ、３４Ｃ、３４Ｄ、３４Ｅ（以下、「蓋開口部３４」）との水密シールの形成に寄与し得る。
【０２５６】
開示する技術のいくつかの実施形態では、容器は、水、飲料、ドリンク、ジュース、ビタミン増強飲料、エネルギードリンク、止渇飲料、フレーバーウォーター、タンパク質補給ドリンク、シェーク、食品、ドレッシング、ソース、液体食事代替物、溶液、懸濁液など１種以上の液体を格納、輸送、及び／又は分配するために使用され得る。容器はまた、エネルギードリンク、タンパク質補給ドリンク、シェーク、液体食事代替物など溶液及び／又は固体を格納、輸送、及び／又は分配するために使用されてよい。
【０２５７】
いくつかの実施形態では、容器はシェーカーカップであってよく、サプリメント、ビタミン、タンパク質粉末など内容物は、所望に応じてシェーク、撹拌、混合、及び／又はブレンドされてよい。これにより、容器を使用して、タンパク質補給ドリンク、シェーク、スムージー、ドレッシング、ソースなどを作製することができる。容器は、水及び他の種類の流体が輸送され、及び／又は消費される水筒として使用され得る。容器物としては、果物、野菜、スープなど食品が更に挙げられ得る。
【０２５８】
有利には、いくつかの実施形態では、容器は再利用可能かつ再充填可能であってよく、これにより、長期間にわたって多くの異なる目的で容器を使用可能にし得る。容器はまた、容易に持ち運ばれ、携帯可能であってよい。例えば、容器は、ユーザーによって片手で便利に保持されてもよく、及び／又はキャリーループを有してよい。更に、容器は、容器本体は絶縁されていて、より低い温度又は高い温度など所望の温度に内容物を保つように支援してよい。
【０２５９】
いくつかの実施形態では、容器は、少数の部品及び構成要素を含んでよく、このことは、製造及び組み立てを容易にし得る。いくつかの実施形態では、容器は、容易に分解され、洗浄されてよい。他の箇所で説明するように、容器は、容器を様々な供給源から容易に充填することを可能にする容器の蓋及び／又は閉鎖部を含んでよい。容器、容器本体、及び容器の蓋は、例えば、容器の用途に応じて、任意の数の部品及び構成要素を含んでよい。
【０２６０】
「一態様」などの語句は、かかる態様が対象技術に必須であること、又はかかる態様が対象技術の全ての構成に適用されることを意味するものではない。一態様に関する開示は、全ての構成、又は１つ以上の構成に適用され得る。一態様は、本開示の１つ以上の実施例を提供し得る。「一態様」などの語句は、１つ以上の態様を指し、逆もまた同様である。「一実施形態」などの語句は、かかる実施形態が対象技術に必須であること、又はかかる実施形態が対象技術の全ての構成に適用されることを意味するものではない。一実施形態に関する開示は、全ての構成、又は１つ以上の構成に適用され得る。一実施形態は、本開示の１つ以上の実施例を提供し得る。「一実施形態」などの語句は、１つ以上の実施形態を指し、逆もまた同様である。「ある構成」などの語句は、かかる構成が対象技術に必須であること、又はかかる構成が対象技術の全ての構成に適用されることを意味するものではない。ある構成に関する開示は、全ての構成、又は１つ以上の構成に適用され得る。ある構成は、本開示の１つ以上の実施例を提供し得る。「ある構成」などの語句は、１つ以上の構成を指し、逆もまた同様である。
【０２６１】
単数の要素への言及は、特に明記しない限り、「１つ、かつ１つのみ」を意味することを意図するものではなく、「１つ以上」を意味することを意図する。男性形の代名詞（例えば、彼の）は、女性及び中性（例えば、彼女の及びその）を含み、逆もまた同様である。用語「いくつか」は、１つ以上を指す。本明細書に開示するいかなるものも、かかる開示が上記の説明に明示的に列挙されるかどうかにかかわらず、公衆に供されることを意図するものではない。
【０２６２】
本開示は、様々な態様の説明として意図される、本明細書に記載する特定の実施形態に関して限定されるものではない。その趣旨及び範囲から逸脱することなく、多くの修正及び変更を行うことができる。本開示の範囲内の機能的に同等な方法及び装置は、本明細書で列挙されるものに加えて、前述の説明から可能である。かかる修正及び変形は、本開示の範囲内に含まれることが意図される。また、本明細書で使用する用語は、特定の実施形態のみを説明するためのものであり、限定することは意図されない。
【０２６３】
本明細書における実質的に全ての複数形及び／又は単数形の用語の使用に関して、当業者は、文脈及び／又は用途に適切なように、複数から単数に、及び／又は単数から複数へと転換することができる。明確にするために、様々な単数／複数の置換が本明細書に明示的に記載されてよい。
【０２６４】
概して、本明細書で使用する用語、特に添付の「特許請求の範囲」（例えば、添付の「特許請求の範囲」の本体）において使用する用語は、概ね「オープン」な用語として意図される（例えば、用語「含む（ｉｎｃｌｕｄｉｎｇ）」は「含むが限定されない」と解釈されるべきであり、用語「有する」は「少なくとも有する」と解釈されるべきであり、用語「含む」は、「含むが、限定されない」と解釈されるべきであるなど）。当業者は、導入されたクレーム記載において特定の数が意図される場合、かかる意図は当該クレーム中に明確に記載され、かかる記載がない場合、かかる意図は存在しないことを更に理解するであろう。理解を促すために、例えば、後続の添付の「特許請求の範囲」では、「少なくとも１つの」及び「１つ以上の」といった導入句を使用し、クレーム記載を導入することがある。しかし、かかる語句の使用は、不定冠詞「ａ」又は「ａｎ」よるクレーム記載の導入が、たとえ同一クレーム内に、導入句「１つ以上の」又は「少なくとも１つの」及び不定詞「ａ」又は「ａｎ」の両方が含まれるとしても、かかる導入されたクレーム記載を含む特定のクレームをかかる記載事項を１つのみ含む実施形態に限定することを示唆すると解釈されるべきではない（例えば、「ａ」及び／又は「ａｎ」は、「少なくとも１つの」又は「１つ以上の」を意味すると解釈されるべきである）。定冠詞を使用してクレーム記載を導入する場合にも同様のことが当てはまる。加えて、導入されたクレーム記載の具体的な数が明示的に列挙されている場合であっても、当業者は、かかる記載が少なくとも列挙された数を意味することを認識するであろう（例えば、他に修飾語のない「２つの記載事項」という記載は、少なくとも２つの記載事項、又は２つ以上の記載事項を意味する）。更に、「Ａ、Ｂ、及びＣなどのうちの少なくとも１つ」に類似の表記を使用する場合、概して、かかる構造では、当業者が当該表記を理解するであろう意味が意図される（例えば、「Ａ、Ｂ、及びＣのうちの少なくとも１つを有するシステム」は、Ａのみ、Ｂのみ、Ｃのみ、Ａ及びＢを共に、Ａ及びＣを共に、Ｂ及びＣを共に、並びに／又はＡ、Ｂ、及びＣを共に含むシステムなどが挙げられるが、これらに限定されない）。「Ａ、Ｂ、又はＣなどのうちの少なくとも１つ」に類似の表記を使用する場合、概して、かかる構造では、当業者が当該表記を理解するであろう意味が意図される（例えば、「Ａ、Ｂ、又はＣのうちの少なくとも１つを有するシステム」は、Ａのみ、Ｂのみ、Ｃのみ、Ａ及びＢを共に、Ａ及びＣを共に、Ｂ及びＣを共に、並びに／又はＡ、Ｂ、及びＣを共に含むシステムなどが挙げられるが、これらに限定されない）。当業者は、本明細書、「特許請求の範囲」、又は図面にかかわらず、２つ以上の代替用語を提示する実質上あらゆる離接語及び／又は離接句は、それらの用語のうちの１つ、それらの用語のいずれか、又はそれらの用語の両方を含む可能性を企図することを更に理解するであろう。例えば、語句「Ａ又はＢ」は、「Ａ」又は「Ｂ」又は「Ａ及びＢ」の可能性を含むと理解されるであろう。
【０２６５】
加えて、本開示の特徴又は態様がマーカッシュ群に関して記載されている場合、当業者は、本開示がまた、マーカッシュ群のメンバーの任意の個々のメンバー又はサブグループに関して記載されることを認識するであろう。
【０２６６】
書面による説明を提供するという観点など任意の及び全ての目的のために、本明細書に開示する全ての範囲はまた、任意の及び全ての可能な部分範囲及びそれらの部分範囲の組み合わせを包含する。列挙された任意の範囲は、少なくとも等しい半分、３分の１、４分の１、５分の１、１０分の１、及び／又はその他へと分割される同一の範囲を十分に記載し、かつ可能にするものとして容易に認識され得る。非限定的な例として、本明細書に記載の各範囲は、下部３分の１、中央３分の１、上部３分の１などに容易に分割され得る。「まで」、「少なくとも」など全ての用語は、列挙した数を含み、後に上述のように部分範囲に分割可能な範囲を指す。最終的に、範囲は、個々のメンバーを含む。したがって、例えば、１〜３個のセルを有する群は、１個、２個、又は３個のセルを有する群を指す。同様に、１〜５個のセルを有する群は、１個、２個、３個、４個、又は５個のセルを有する群などを指す。
【０２６７】
上記から、本開示の様々な実施形態を例示の目的で本明細書に記載しており、本開示の範囲及び趣旨から逸脱することなく様々な修正を行うことができる。したがって、本明細書に開示する様々な実施形態は、限定することを意図するものではない。
【図１】
2020536019.tif 000003
【図２】
2020536019.tif 000004
【図３】
2020536019.tif 000005
【図４Ａ】
2020536019.tif 000006
【図４Ｂ】
2020536019.tif 000007
【図５】
2020536019.tif 000008
【図６】
2020536019.tif 000009
【図７】
2020536019.tif 000010
【図８】
2020536019.tif 000011
【図９】
2020536019.tif 000012
【図１０】
2020536019.tif 000013
【図１１】
2020536019.tif 000014
【図１２】
2020536019.tif 000015
【図１３】
2020536019.tif 000016
【図１４】
2020536019.tif 000017
【図１５Ａ】
2020536019.tif 000018
【図１５Ｂ】
2020536019.tif 000019
【図１６】
2020536019.tif 000020
【図１７Ａ】
2020536019.tif 000021
【図１７Ｂ】
2020536019.tif 000022
【図１８Ａ】
2020536019.tif 000023
【図１８Ｂ】
2020536019.tif 000024
【図１９】
2020536019.tif 000025
【図２０】
2020536019.tif 000026
【図２１Ａ】
2020536019.tif 000027
【図２１Ｂ】
2020536019.tif 000028
【図２２】
2020536019.tif 000029
【図２３Ａ】
2020536019.tif 000030
【図２３Ｂ】
2020536019.tif 000031
【図２３Ｃ】
2020536019.tif 000032
【図２４】
2020536019.tif 000033
【図２５Ａ】
2020536019.tif 000034
【図２５Ｂ】
2020536019.tif 000035
【図２５Ｃ】
2020536019.tif 000036
【図２５Ｄ】
2020536019.tif 000037
【図２５Ｅ】
2020536019.tif 000038
【図２６Ａ】
2020536019.tif 000039
【図２６Ｂ】
2020536019.tif 000040
【図２７Ａ】
2020536019.tif 000041
【図２７Ｂ】
2020536019.tif 000042
【図２８Ａ】
2020536019.tif 000043
【図２８Ｂ】
2020536019.tif 000044
【図２９Ａ】
2020536019.tif 000045
【図２９Ｂ】
2020536019.tif 000046
【図２９Ｃ】
2020536019.tif 000047
【図３０】
2020536019.tif 000048
【図３１】
2020536019.tif 000049
【国際調査報告】
2020536019.tif 000050
2020536019.tif 000051